(57)【要約】通信装置１の送信手段１ａからサーバ２に対して、要求情報３が送信される。すると、送信手段２ｃにより、要求情報３に応じた関連情報４ａと識別コード４ｂとが取得され、通信装置１に対して送信される。この関連情報４ａと識別コード４ｂとは、通信装置１の記憶手段１ｃで記憶される。その後、送信手段１ａにより、購入要求情報５ａがサーバ２に送信される。この購入要求情報５ａには、識別コード５ｂとユーザ識別情報５ｃとが付加されている。すると、サーバ２の送信手段２ｃにより、購入要求情報５ａに応じたコンテンツデータ６ａと識別コード５ｂに応じた付加データ６ｂとが通信装置１に対して送信される。
2005006230.tif 000002
【特許請求の範囲】
【請求項１】
受信中の放送番組内のコンテンツに関連する関連情報を要求する要求情報を特定間隔で連続的に送信する送信手段と、
上記要求情報に対応する上記関連情報と、コンテンツ購入に伴って特定のサービスを受けるための権利を示す識別コードとを受信する受信手段と、
受信された上記関連情報および上記識別コードを記憶する記憶手段と、
上記記憶手段に記憶された上記関連情報を表示する表示手段と、
を有することを特徴とする情報処理装置。
【請求項２】
上記送信手段は、コンテンツの購入を要求する購入要求情報と共に、上記識別コードを送信し、
上記受信手段は、上記購入要求情報に対応するコンテンツデータと、上記識別コードに対応する付加データとを受信する
ことを特徴とする請求の範囲第１項に記載の情報処理装置。
【請求項３】
上記送信手段は、コンテンツの購入を要求する購入要求情報、上記識別コード、およびユーザを識別するユーザ識別情報を送信する
ことを特徴とする請求の範囲第１項に記載の情報処理装置。
【請求項４】
上記受信手段は、複数の上記識別コードを受信し、
上記送信手段は、コンテンツの購入を要求する購入要求情報、および複数の上記識別コードを送信する
ことを特徴とする請求の範囲第１項に記載の情報処理装置。
【請求項５】
上記送信手段が送信する複数の上記識別コードは、上記受信手段が受信した複数の上記識別コードのうち、上記購入要求情報で示される購入目的で使用可能な上記識別コードである
ことを特徴とする請求の範囲第４項に記載の情報処理装置。
【請求項６】
上記受信手段は、上記要求情報に対応する関連情報と共に、上記放送番組を受信するユーザが任意のコンテンツを購入する際に、上記ユーザが特定のサービスを受けるための権利を示す第１の識別コードを受信し、
上記記憶手段は、上記受信手段が受信した上記関連情報と上記第１の識別コードとを記憶し、
上記表示手段は、上記記憶手段に記憶された上記関連情報を表示し、
上記送信手段は、上記任意のコンテンツの購入指示に応答して、当該任意のコンテンツの購入を要求する購入要求情報と共に上記第１の識別コードを送信し、
上記受信手段は、上記購入要求情報に対応するコンテンツデータと共に、上記ユーザによる更なるコンテンツ購入において、上記ユーザが特定のサービスを受けるための権利を示す第２の識別コードを受信する
ことを特徴とする請求の範囲第１項に記載の情報処理装置。
【請求項７】
上記受信手段は、上記コンテンツデータ、上記第２の識別コード、及び上記第１の識別コードに対応する付加データを受信する
ことを特徴とする請求の範囲第６項に記載の情報処理装置。
【請求項８】
上記送信手段は、上記購入要求情報、上記第１の識別コード、及び上記ユーザを識別するためのユーザ識別情報を送信する
ことを特徴とする請求の範囲第６項に記載の情報処理装置。
【請求項９】
上記送信手段は、複数の上記第１の識別コードを送信し、
上記受信手段は、上記コンテンツデータ、上記第２の識別コード、及び複数の上記第１の識別コードに対応する付加データを受信する
ことを特徴とする請求の範囲第６項に記載の情報処理装置。
【請求項１０】
通信装置により受信される放送番組内のコンテンツに関連する関連情報を記憶する記憶手段と、
上記通信装置から特定間隔で連続的に送信される上記関連情報を要求する要求情報を受信する受信手段と、
上記受信手段により受信される上記要求情報に応じて上記通信装置に対して上記関連情報を送信すると共に、上記通信装置のユーザがコンテンツを購入するときに特定のサービスを受けるための権利を示す識別コードを送信する送信手段と
を具えることを特徴とする情報処理装置。
【請求項１１】
上記送信手段は、特定の時間帯には同一の上記識別コードを送信する
ことを特徴とする請求の範囲第１０項に記載の情報処理装置。
【請求項１２】
上記受信手段は、上記通信装置からコンテンツの購入を要求する購入要求情報、上記識別コード及びユーザ識別情報を受信し、
上記送信手段は、上記購入要求情報に応じたコンテンツデータ、及び上記識別コードに応じた付加データを、上記通信装置に対して送信し、
さらに、上記送信手段による上記付加データの送信を上記ユーザ識別情報ごとに管理する管理手段と
を具えることを特徴とする請求の範囲第１０項に記載の情報処理装置。
【請求項１３】
上記送信手段は、上記識別コードの数に応じて上記付加データを送信する
ことを特徴とする請求の範囲第１２項に記載の情報処理装置。
【請求項１４】
上記識別コードには有効期限を示す情報が含まれおり、上記送信手段は、有効期限を過ぎていない上記識別コードに応じた上記付加データを送信する
ことを特徴とする請求の範囲第１２項に記載の情報処理装置。
【請求項１５】
上記識別コードには、上記ユーザがコンテンツを購入するときに特定のサービスを提供するサービス業者を識別するサービス業者識別情報が含まれており、上記送信手段は、上記サービス業者識別情報で提供されるサービスに関する上記付加データを送信する
ことを特徴とする請求の範囲第１２項に記載の情報処理装置。
【請求項１６】
上記送信手段は、上記要求情報に対応する上記関連情報と共に、上記放送番組を受信するユーザが任意のコンテンツを購入する際に、上記ユーザが特定のサービスを受けるための権利を示す第１の識別コードを送信し、
上記受信手段は、上記任意のコンテンツの購入を要求する購入要求情報と共に上記第１の識別コードを受信し、
上記送信手段は、上記購入要求情報に対応するコンテンツデータと共に、上記ユーザによる更なるコンテンツ購入において、上記ユーザが特定のサービスを受けるための権利を示す第２の識別コードを送信する
ことを特徴とする請求の範囲第１０項に記載の情報処理装置。
【請求項１７】
上記送信手段は、特定の時間帯には同一の上記第１の識別コードを送信する
ことを特徴とする請求の範囲第１６項に記載の情報処理装置。
【請求項１８】
上記受信手段は、上記購入要求情報、上記第１の識別コード、及び上記ユーザを識別するためのユーザ識別情報を受信し、
上記送信手段は、上記コンテンツデータ及び上記第１の識別コードに対応する付加データを送信し、
さらに、上記送信手段による上記付加データの送信を上記ユーザ識別情報ごとに管理する管理手段を具える
ことを特徴とする請求の範囲第１６項に記載の情報処理装置。
【請求項１９】
上記送信手段は、上記第１の識別コードの数に応じて上記付加データを送信する
ことを特徴とする請求の範囲第１８項に記載の情報処理装置。
【請求項２０】
上記第１の識別コードには、有効期限を示す情報が含まれている
ことを特徴とする請求の範囲第１６項に記載の情報処理装置。
【請求項２１】
上記第１の識別コードには、上記ユーザが上記コンテンツを購入するときに上記ユーザに対して特定のサービスを提供するサービス業者を識別するサービス業者識別情報が含まれている
ことを特徴とする請求の範囲第１６項に記載の情報処理装置。
【請求項２２】
上記サービス業者識別情報に基づいて上記第１の識別コードを認証する
ことを特徴とする請求の範囲第２１項に記載の情報処理装置。
【請求項２３】
上記第２の識別コードには、上記サービス業者識別情報とは異なるサービス業者識別情報が含まれている
ことを特徴とする請求の範囲第２１項に記載の情報処理装置。
【請求項２４】
上記第２の識別コードは、ダミートラックである
ことを特徴とする請求の範囲第１６項に記載の情報処理装置。
【請求項２５】
受信中の放送番組内のコンテンツに関連する関連情報を要求する要求情報を特定間隔で連続的に送信し、
上記要求情報に対応する上記関連情報と、コンテンツ購入に伴って特定のサービスを受けるための権利を示す識別コードとを受信し、
受信された上記関連情報および上記識別コードを記憶し、
上記記憶される上記関連情報を表示する
ことを特徴とする情報処理方法。
【請求項２６】
通信装置により受信される放送番組内のコンテンツに関連する関連情報を記憶しており、
上記通信装置から特定間隔で連続的に送信される上記関連情報を要求する要求情報を受信し、
受信される上記要求情報に応じて上記通信装置に対して上記関連情報を送信すると共に、上記通信装置のユーザがコンテンツを購入するときに特定のサービスを受けるための権利を示す識別コードを送信する
ことを特徴とする情報処理方法。
【請求項２７】
上記通信装置は、関連情報提供サーバと、認証サーバと通信可能に構成され、
上記関連情報提供サーバが、上記通信装置から送信される要求情報と、上記通信装置と上記関連情報提供サーバ間のセッションＩＤであるサービスセッションＩＤを受信し、
上記関連情報提供サーバが、上記サービスセッションＩＤにより認証処理を行い、認証エラーのとき、認証エラーを示す情報と当該関連情報提供サーバを識別するサービス識別情報を上記通信装置に送信し、
上記認証サーバが、上記通信装置から、上記関連情報提供サーバへアクセスするための認証チケットの発行を要求する認証チケット発行要求情報を、上記通信装置と上記認証サーバ間のセッションＩＤである認証セッションＩＤと共に受信し、
上記認証サーバが、上記認証セッションＩＤを認証処理し、認証を許可するとき、認証チケットを発行すると共に上記通信装置に送信し、
上記関連情報提供サーバは、上記通信装置から送信された認証チケットを受信すると共に認証サーバに送信し、
上記認証サーバは、上記認証チケットが正当であると認証したとき認証許可を示す情報を上記関連情報提供サーバに送信し、
上記関連情報提供サーバは、上記認証許可を示す情報を受信すると、上記通信装置と上記関連情報提供サーバ間のセッションＩＤであるサービスセッションＩＤを発行し、上記通信装置に送信し、
上記関連情報提供サーバは、上記通信装置から、上記関連情報を要求する要求情報を、上記受信されたサービスセッションＩＤと共に受信し、
上記関連情報提供サーバは、上記サービスセッションＩＤにより認証処理を行い、認証を許可するとき、上記要求情報に応じた関連情報と、上記識別コードを上記通信装置に対して送信する
ことを特徴とする請求の範囲第２６項に記載の情報処理方法。
【請求項２８】
上記認証サーバが、上記認証セッションＩＤを認証処理し、認証エラーのとき、認証エラーを示す情報を上記通信装置に送信し、
上記認証サーバは、上記通信装置から送信される上記ユーザＩＤとパスワードに基づき認証処理し、認証を許可するとき、上記通信装置と上記認証サーバ間のセッションＩＤである認証セッションＩＤを発行すると共に上記通信装置に送信した後に、
上記認証サーバは、上記通信装置から、上記認証チケット発行要求情報を、上記認証セッションＩＤと共に受信する
ことを特徴とする請求の範囲第２７項に記載の情報処理方法。
【請求項２９】
コンピュータを、
受信中の放送番組内のコンテンツに関連する関連情報を要求する要求情報を特定間隔で連続的に送信する送信手段、
上記要求情報に対応する上記関連情報と、コンテンツ購入に伴って特定のサービスを受けるための権利を示す識別コードとを受信する受信手段、
受信された上記関連情報および上記識別コードを記憶する記憶手段、
上記記憶手段に記憶される上記関連情報を表示する表示手段、
として機能させることを特徴とする情報処理プログラム。
【請求項３０】
コンピュータを、
通信装置により受信される放送番組内のコンテンツに関連する関連情報を記憶する記憶手段、
上記通信装置から特定間隔で連続的に送信される上記関連情報を要求する要求情報を受信する受信手段、
上記受信手段により受信される上記要求情報に応じて上記通信装置に対して上記関連情報を送信すると共に、上記通信装置のユーザがコンテンツを購入するときに特定のサービスを受けるための権利を示す識別コードを送信する送信手段、
として機能させることを特徴とする情報処理プログラム。
【発明の詳細な説明】
【技術分野】  本発明は放送コンテンツの関連情報を受信する情報処理装置、情報処理方法、および情報処理プログラムに関し、特に放送中のコンテンツの関連情報を定期的に受信する情報処理装置、情報処理方法、および情報処理プログラムに関する。
【背景技術】  現在、様々なコンテンツが販売されている。コンテンツは、たとえば、ＣＤ（Ｃｏｍｐａｃｔ  Ｄｉｓｃ）等の記録媒体に記録されて販売される。また、コンテンツをインターネット経由で購入することもできる。たとえば、サーバから端末装置へ、オンラインで楽曲のデジタルコンテンツを提供するサービス（ＥＭＤ：Ｅｌｅｃｔｒｏｎｉｃ  Ｍｕｓｉｃ  Ｄｉｓｔｒｉｂｕｔｉｏｎ）がある。また、電子商取引（ＥＣ：Ｅｌｅｃｔｒｏｎｉｃ  Ｃｏｍｍｅｒｃｅ）により、オンラインで音楽用のＣＤを注文し、そのＣＤを配送させることもできる。
なお、記録媒体に記録されたコンテンツには、電子透かしや広告などの付加データが付加されていることがある。これらの付加データの利用促進のため、記録媒体からのコンテンツの再生等に伴って付加データが利用されたとき、特典情報を入手できるようにする技術がある（特許文献１参照）。
【特許文献１】特開２００２−１１２０１２号公報。 
ところで、ＦＭ放送などの放送局は、放送される楽曲に関連する関連情報をインターネット経由で提供している。たとえば、現在放送されている楽曲の関連情報の提供サービス（ナウオンエアー）や、過去の番組内で放送された楽曲リスト（オンエアーリスト）の提供サービスなどが行われている。
また、インターネット経由で楽曲等のコンテンツを検索するサービス（配信楽曲検索サービス）や、ＣＤを検索するサービス（ＣＤ検索サービス）も行われている。これらの検索サービスでは、検索キーに合致するＣＤの情報や、そのＣＤに収録された楽曲の関連情報が検索結果として返される。
これらのサービスを互いに連携させることで、サービスの利用促進を図ることもできる。たとえば、関連情報を提供するサーバからコンテンツを販売するサーバへリンクを張り、関連情報提供サービスからコンテンツ販売サービスへの移行を円滑に行えるようにする。複数のサービスを連携させることで、それらのサービスを利用するユーザの利便性が向上する。
しかし、単にサービスを連携させただけでは、最初に利用したサービスの内容に応じて、次に利用するサービスの質を変えることができない。たとえば、パーソナルコンピュータを用いて、楽曲の関連情報を元にＣＤを購入する場合、特定の番組における特定の時間帯に放送した楽曲の関連情報から配信楽曲またはＣＤを検索して購入した場合にのみ、割引等の特典を受けることができる仕組みは存在しない。また、ＣＤの購入を店頭で行った場合にも、同様の割引サービスを受ける仕組みが望まれている。
なお、特許文献１に記載された技術は、記録媒体に記録されたコンテンツと付加データを利用するものであり、ネットワークを介したサービスを連携させるものではない。
【発明の開示】
本発明はこのような点に鑑みてなされたものであり、コンテンツの関連情報の提供サービスを受けたユーザが、他のサービスの利用の際に何らかの特典を得られるような情報処理装置、情報処理方法および情報処理プログラムを提供することを目的とする。
本発明に係る第１の態様では上記課題を解決するために、受信中の放送番組内のコンテンツに関連する関連情報を要求する要求情報を特定間隔で連続的に送信する送信手段と、前記要求情報に対応する前記関連情報と、コンテンツ購入に伴って特定のサービスを受けるための権利を示す識別コードとを受信する受信手段と、受信された前記関連情報および前記識別コードを記憶する記憶手段と、前記記憶手段に記憶された前記関連情報を表示する表示手段と、を有することを特徴とする情報処理装置が提供される。
このような情報処理装置によれば、送信手段により、要求情報が特定間隔で送信される。すると、受信手段により、要求情報に対応する関連情報とコンテンツ購入に伴って特定のサービスを受けるための権利を示す識別コードとが受信される。関連情報と識別コードとは、記憶手段で記憶される。さらに、関連情報は、表示手段により表示される。
また、本発明に係る第２の態様では上記課題を解決するために、通信装置により受信される放送番組内のコンテンツに関連する関連情報を記憶する記憶手段と、前記通信装置から特定間隔で連続的に送信される前記関連情報を要求する要求情報を受信する受信手段と、前記受信手段により受信される前記要求情報に応じて前記通信装置に対して前記関連情報を送信すると共に、前記通信装置のユーザがコンテンツを購入するときに特定のサービスを受けるための権利を示す識別コードを送信する送信手段と、を備える情報処理装置が提供される。
このような情報処理装置によれば、受信手段により、通信装置から要求情報が受信される。すると、送信手段により、受信された要求情報に応じて通信装置に対して関連情報が送信されると共に、通信装置のユーザがコンテンツを購入するときに特定のサービスを受けるための権利を示す識別コードが送信される。
また、本発明に係る第３の態様によれば、受信中の放送番組内のコンテンツに関連する関連情報を要求する要求情報を特定間隔で連続的に送信し、前記要求情報に対応する前記関連情報と、コンテンツ購入に伴って特定のサービスを受けるための権利を示す識別コードとを受信し、受信された前記関連情報および前記識別コードを記憶し、前記記憶手段に記憶される前記関連情報を表示する、ことを特徴とする情報処理方法が提供される。
このような情報処理方法によれば、要求情報が特定間隔で送信される。すると、要求情報に対応する関連情報とコンテンツ購入に伴って特定のサービスを受けるための権利を示す識別コードとが受信される。関連情報と識別コードとが記憶され、さらに、関連情報が表示される。
また、本発明に係る第４の態様によれば、通信装置により受信される放送番組内のコンテンツに関連する関連情報を記憶しており、前記通信装置から特定間隔で連続的に送信される前記関連情報を要求する要求情報を受信し、受信される前記要求情報に応じて前記通信装置に対して前記関連情報を送信すると共に、前記通信装置のユーザがコンテンツを購入するときに特定のサービスを受けるための権利を示す識別コードを送信する、ことを特徴とする情報処理方法が提供される。
このような情報処理方法によれば、通信装置から要求情報が受信される。すると、受信された要求情報に応じて通信装置に対して関連情報が送信されると共に、通信装置のユーザがコンテンツを購入するときに特定のサービスを受けるための権利を示す識別コードが送信される。
また、本発明に係る第５の態様によれば、コンピュータを、受信中の放送番組内のコンテンツに関連する関連情報を要求する要求情報を特定間隔で連続的に送信する送信手段、前記要求情報に対応する前記関連情報と、コンテンツ購入に伴って特定のサービスを受けるための権利を示す識別コードとを受信する受信手段、受信された前記関連情報および前記識別コードを記憶する記憶手段、前記記憶手段に記憶される前記関連情報を表示する表示手段、として機能させることを特徴とする情報処理プログラムが提供される。
このような情報処理プログラムをコンピュータに実行させれば、送信手段により、要求情報が特定間隔で送信される。すると、受信手段により、要求情報に対応する関連情報とコンテンツ購入に伴って特定のサービスを受けるための権利を示す識別コードとが受信される。関連情報と識別コードとは、記憶手段で記憶される。さらに、関連情報は、表示手段により表示される。
また、本発明の第６の態様によれば、コンピュータを、通信装置により受信される放送番組内のコンテンツに関連する関連情報を記憶する記憶手段、前記通信装置から特定間隔で連続的に送信される前記関連情報を要求する要求情報を受信する受信手段、前記受信手段により受信される前記要求情報に応じて前記通信装置に対して前記関連情報を送信すると共に、前記通信装置のユーザがコンテンツを購入するときに特定のサービスを受けるための権利を示す識別コードを送信する送信手段、として機能させることを特徴とする情報処理プログラムが提供される。
このような情報処理プログラムをコンピュータに実行させれば、受信手段により、通信装置から要求情報が受信される。すると、送信手段により、受信された要求情報に応じて通信装置に対して関連情報が送信されると共に、通信装置のユーザがコンテンツを購入するときに特定のサービスを受けるための権利を示す識別コードが送信される。
以上説明したように本発明に係る第１、第３および第５の態様では、要求情報に対応する関連情報とコンテンツ購入に伴って特定のサービスを受けるための権利を示す識別コードとを受信し、記憶するようにしたため、以後に、識別コードを利用した特定のサービスを受けることが可能となる。
また、本発明に係る第２、第４および第６の態様では、通信装置に対して関連情報を送信すると共に、通信装置のユーザがコンテンツを購入するときに特定のサービスを受けるための権利を示す識別コードを送信するようにしたため、関連情報を取得したユーザに対して、特定のサービスの利用するための権利を付与することができる。
【図面の簡単な説明】  図１は、第１の実施の形態に適用される発明の概念図である。
図２は、本発明の実施の形態に係るネットワークシステムを示す図である。
図３は、ＣＤタイトル情報提供サーバのハードウェア構成例を示す図である。
図４は、端末装置の外観を示す図である。
図５は、端末装置のハードウェア構成を示すブロックである。
図６は、端末装置のプログラムモジュール構成を示す図である。
図７は、識別コードに基づく特典取得例を示す図である。
図８は、放送中の楽曲の関連情報に関するクリップ手順を示すシーケンス図である。
図９は、関連情報のデータ構造例を示す図である。
図１０は、クリップにより保存される識別コードのデータ構造例を示す図である。
図１１は、クリップした関連情報の保存形式を示す図である。
図１２は、楽曲データ購入手順を示すシーケンス図である。
図１３は、店頭での購入手続きを示す図である。
図１４は、店頭端末装置の処理手順を示すフローチャートである。
図１５は、第２の実施の形態に適用される発明の概念図である。
図１６は、本発明の実施の形態に係るネットワークシステムを示す図である。
図１７は、第１の識別コードと第２の識別コードとに基づく特典取得例を示す図である。
図１８は、端末装置が放送局サーバから取得した関連情報をクリップする際のシーケンス図である。
図１９は、第１の識別コードの構成例を示す図である。
図２０は、楽曲購入の際のシーケンス図である。
図２１は、第２の識別コードの構成例を示す図である。
図２２は、店頭端末装置の処理手順を示すフローチャートである。
図２３は、本実施の形態における音楽関連サービス提供システムの全体構成を示す略線図である。
図２４は、クライアント端末の機能回路ブロックによるハードウェア構成を示すブロック図である。
図２５は、ディレクトリ構成を示す略線図である。
図２６は、ポータルサーバの機能回路ブロックによるハードウェア構成を示すブロック図である。
図２７は、音楽データ配信サーバの機能回路ブロックによるハードウェア構成を示すブロック図である。
図２８は、物販サーバの機能回路ブロックによるハードウェア構成を示すブロック図である。
図２９は、ラジオ放送情報配信サーバの機能回路ブロックによるハードウェア構成を示すブロック図である。
図３０は、クライアント端末及びポータルサーバ間のユーザ認証処理手順を示すシーケンスチャートである。
図３１は、クライアント端末及び音楽データ配信サーバ間のユーザ認証処理手順を示すシーケンスチャートである。
図３２は、音楽データ配信サービス提供処理手順を示すシーケンスチャートである。
図３３は、物販サービス提供処理手順を示すシーケンスチャートである。
図３４は、ラジオ放送情報（オンエアリスト情報）配信サービス提供処理手順（１）を示すシーケンスチャートである。
図３５は、ラジオ放送情報（ナウオンエア情報）配信サービス提供処理手順（２）を示すシーケンスチャートである。
【符号の説明】
１……通信装置、１ａ……送信手段、１ｂ……受信手段、１ｃ……記憶手段、１ｄ……表示手段、２……サーバ、２ａ……記憶手段、２ｂ……受信手段、２ｃ……送信手段、２ｄ……コンテンツデータベース、２ｅ……管理手段、３……要求情報、４ａ……関連情報、４ｂ……識別コード、５ａ……購入要求情報、５ｂ……識別コード、５ｃ……ユーザ識別情報、６ａ……コンテンツデータ、６ｂ……付加データ、１Ｘ、２Ｘ……情報処理装置、１ａＸ、２ｃＸ……送信手段、１ｂＸ、２ｂＸ……受信手段、１ｃＸ、２ａＸ……記憶手段、１ｄＸ……表示手段、３Ｘ……関連情報、４Ｘ……要求情報、５Ｘ……第１の識別コード、６Ｘ……購入要求情報、７Ｘ……コンテンツデータ、８Ｘ……第２の識別コード、１０００……音楽関連サービス提供システム、１００２……クライアント端末、１００３……ポータルサーバ、１００４……音楽データ配信サーバ、１００５……物販サーバ、１００６……ラジオ放送情報配信サーバ、１００７……インターネットラジオサーバ、１００８……課金サーバ
【発明を実施するための最良の形態】  以下、本発明の実施の形態を図面を参照して説明する。
まず、実施の形態に適用される発明の概要について説明し、その後、実施の形態の具体的な内容を説明する。
（１）第１の実施の形態
図１は、第１の実施の形態に適用される発明の概念図である。本実施の形態に提供されるコンピュータシステムは、通信装置１の機能を実現する情報処理装置の発明と、サーバ２の機能を実現する情報処理装置の発明とに分かれる。
通信装置１は、送信手段１ａ、受信手段１ｂ、記憶手段１ｃ、および表示手段１ｄを有している。
送信手段１ａは、受信中の放送番組内のコンテンツに関連する関連情報４ａを要求する要求情報３を特定間隔で連続的に送信する。また、送信手段１ａは、関連情報４ａと識別コード４ｂとを取得後、コンテンツの購入を要求する購入要求情報５ａと共に、識別コード５ｂや、ユーザを識別するユーザ識別情報５ｃを送信する。
受信手段１ｂは、要求情報３に対応する関連情報４ａと、コンテンツ購入に伴って特定のサービスを受けるための権利を示す識別コード４ｂとを受信する。また、受信手段１ｂは、購入要求情報５ａに対応するコンテンツデータ６ａと、識別コード５ｂに対応する付加データ６ｂとを受信する。
記憶手段１ｃは、受信された関連情報４ａおよび識別コード４ｂを記憶する。
表示手段１ｄは、記憶手段１ｃに記憶された関連情報４ａを表示する。
サーバ２は、記憶手段２ａ、受信手段２ｂ、送信手段２ｃ、コンテンツデータベース２ｄ、および管理手段２ｅを有している。
記憶手段２ａは、通信装置１により受信される放送番組内のコンテンツに関連する関連情報を記憶する。
受信手段２ｂは、通信装置１から特定間隔で連続的に送信される関連情報を要求する要求情報３を受信する。また、受信手段２ｂは、通信装置１からコンテンツの購入を要求する購入要求情報５ａ、識別コード５ｂ及びユーザ識別情報５ｃを受信する。
送信手段２ｃは、受信手段２ｂにより受信される要求情報３に応じて通信装置１に対して関連情報４ａを送信すると共に、通信装置１のユーザがコンテンツを購入するときに特定のサービスを受けるための権利を示す識別コード４ｂを送信する。たとえば、送信手段２ｃは、特定の時間帯には同一の識別コードを送信する。さらに、送信手段２ｃは、購入要求情報５ａに応じたコンテンツデータ６ａをコンテンツデータベース２ｄから取得し、取得したコンテンツデータ６ａ、及び識別コード５ｂに応じた付加データ６ｂを送信する。
コンテンツデータベース２ｄは、通信装置１に提供するコンテンツデータ６ａを蓄積するデータベースである。
管理手段２ｅは、送信手段２ｃによる付加データ６ｂの送信をユーザ識別情報５ｃごとに管理する。たとえば、管理手段２ｅは、コンテンツデータ６ａや付加データ６ｂの著作権管理や、識別コード４ｂの使用回数管理などを行う。
このようなシステムにおいて、まず、通信装置１の送信手段１ａからサーバ２に対して、要求情報３が送信される。この要求情報３は、所定の間隔で定期的に送信される。サーバ２では、受信手段２ｂにより要求情報３が受信される。要求情報３は、送信手段２ｃに渡される。すると、送信手段２ｃにより、要求情報３に応じた関連情報４ａと識別コード４ｂとが取得され、これらが通信装置１に対して送信される。通信装置１では、受信手段１ｂにより関連情報４ａと識別コード４ｂとが受信される。受信された関連情報４ａと識別コード４ｂとは、記憶手段１ｃで記憶される。そして、その関連情報４ａが表示手段１ｄによって表示される。
その後、ユーザから通信装置１への操作入力等に応答して、送信手段１ａにより、購入要求情報５ａがサーバ２に送信される。この購入要求情報５ａには、識別コード５ｂ（識別コード４ｂ）とユーザ識別情報５ｃとが付加されている。送信された各情報は、サーバ２の受信手段２ｂで受信される。受信された情報は、送信手段２ｃに渡される。すると、送信手段２ｃにより、購入要求情報５ａに応じたコンテンツデータ６ａがコンテンツデータベース２ｄから取得されると共に、識別コード５ｂに応じた付加データ６ｂが決定される。そして、送信手段２ｃにより、コンテンツデータ６ａと付加データ６ｂとが通信装置１に対して送信される。この際、管理手段２ｅにより、送信手段２ｃによる付加データ６ｂが、ユーザ識別情
報５ｃごとに管理される。通信装置１では、コンテンツデータ６ａと付加データ６ｂとが受信手段１ｂで受信される。
このようにサーバ２は、関連情報４ａを要求した通信装置１に識別コード４ｂを渡し、通信装置１から出力される購入要求情報５ａに識別コード５ｂが付加されていれば、購入されたコンテンツデータ６ａに加え識別コード５ｂに応じた付加データ６ｂを通信装置１に渡すようにした。これによりこのシステムは、関連情報４ａを利用したユーザに対して、付加データ６ｂによる特典を与えることができ、関連情報４ａの利用促進を図ることができる。
なお、送信手段１ａが購入要求情報５ａと共に識別コード５ｂを送信するとき、複数の識別コードを送信してもよい。たとえば、送信する複数の識別コードは、受信手段１ｂが受信した複数の識別コードのうち、購入要求情報５ａで示される購入目的で使用可能な識別コードである。複数の識別コード５ｂを受け取ったサーバ２側の送信手段２ｃは、識別コードの数に応じた付加データ６ｂを送信してもよい。
また、識別コードには有効期限を示す情報を含めることもできる。この場合、通信装置１の送信手段１ａは、有効期限を過ぎていない識別コードに応じた付加データを送信する。すなわち、有効期限を過ぎた識別コードは、無効なデータとして取り扱われる。これによりこのシステムは、期間を限定した付加サービスをユーザに提供することができる。
さらには、識別コードに、ユーザがコンテンツを購入するときに当該ユーザに対して特定のサービスを提供するサービス業者を識別するサービス業者識別情報を含めることもできる。その場合、サーバ２側の送信手段２ｃは、サービス業者識別情報で提供されるサービスに関する付加データを送信する。これによりこのシステムは、サービス業者毎にきめ細かな特典付きのサービスを提供することが可能となる。
なお、識別コードに応じて受けることのできるサービスとは、たとえば、ある楽曲データの購入やＣＤの購入時の購入金額の割引サービスである。なお、放送される番組毎に識別コードを設定することもできるし、楽曲毎に個別の識別コードを設定することもできる。
また、コンテンツデータ６ａと共に送信される付加データ６ｂは、たとえば、ボーナストラック（サービスで提供されるコンテンツ）である。この付加データ６ｂをユーザ識別情報５ｃに関連付けて管理手段２ｅにおいて管理することで、著作権等の管理が可能となる。すなわち、どのユーザにコンテンツを提供したのかをサーバ２で管理しておけば、不正にコンテンツを取得したユーザを見分けることができる。また、管理手段２ｅにおいて、識別コード４ｂの利用回数を管理すれば、利用可能回数の制限を超えた識別コードの使用を防止することができる。
また、通信装置１の表示手段１ｄでは、関連情報４ａを表示する際に、その関連情報４ａに識別コード４ｂが付加されている場合、識別コード４ｂがあることを示すアイコンを表示してもよい。
ところで、放送されるコンテンツとしては、楽曲がある。楽曲の関連情報には、その楽曲のタイトルや演奏しているアーティストの名称などが含まれる。以下、ネットワークに接続された端末装置に図１に示す通信装置の機能を内蔵し、関連情報を取得する場合を例に採り、本発明の実施の形態を具体的に説明する。
なお、以下の説明では、楽曲または楽曲集合に関する関連情報を保存する処理を、クリップと呼ぶこととする。
図２は、本発明の実施の形態に係るネットワークシステムを示す図である。端末装置１０は、ネットワーク３０を介して各種サーバに接続されている。ネットワーク３０は、たとえば、インターネットである。サーバとしては、ＣＤタイトル情報提供サーバ３１、放送局サーバ３２、音楽配信サーバ３３、ＣＤショップサーバ３４、インターネットラジオサーバ３５、総合サービスサーバ３６などがある。
ＣＤタイトル情報提供サーバ３１は、市販されているＣＤに収録されている楽曲の関連情報の配信サービスを行う。
放送局サーバ３２は、ＦＭ放送やテレビ（ＴＶ）放送等の放送局３７が管理するサーバである。放送局３７は、アンテナ３８を介して例えば無線による放送を行っており、放送局サーバ３２は、放送される楽曲の関連情報の提供サービスを行う。
なお、放送局サーバ３２により提供される関連情報の提供機能は、大別して次の２つに分かれる。第１の機能は、現在放送中の楽曲の関連情報を提供する機能（ナウオンエアー）である。第２の機能は、端末装置１０からの要求に応じて、既に放送した楽曲のリスト（オンエアーリスト）を提供する機能である（オンエアーリストには、各楽曲の関連情報も含まれる）。たとえば、放送局サーバ３２は、指定された番組内で放送した楽曲の関連情報を提供したり、指定された時間帯内に放送した楽曲の関連情報を提供したりする。
音楽配信サーバ３３は、楽曲のディジタルデータ（楽曲データ）を配信するサービスを行うサーバである。たとえば、音楽配信サーバ３３は、楽曲の購入手続きを行ったユーザの端末装置１０に対してのみ、楽曲データを提供する。また、音楽配信サーバ３３は、配信する楽曲の関連情報を提供することができる。
ＣＤショップサーバ３４は、ＣＤの通信販売のための注文受け付け等を行うサーバである。ＣＤショップサーバ３４は、試聴用の音声データ等の配信サービスや、販売しているＣＤに収録された楽曲の関連情報の提供サービスも行う。
インターネットラジオサーバ３５は、インターネット等の広域ネットワーク経由で音声番組を提供するサーバである。
総合サービスサーバ３６は、ネットワーク３０を介したサービスの提供窓口（ポータルサイト）として機能し、各種総合サービスの提供を仲介する。たとえば、放送されている楽曲の関連情報の配信元を示す情報（たとえばＵＲＬ（Ｕ−ｎｉｆｏｒｍ  Ｒｅｓｏｕｒｃｅ  Ｌｏｃａｔｏｒ））を、端末装置１０に配信する。
このように、複数のサーバが、ネットワーク３０上の楽曲または楽曲集合に関する情報の提供サービスを行っている。すなわち、各サーバが、ネットワーク３０上の楽曲または楽曲集合のソースとして機能している。
なお、音楽配信サーバ３３とＣＤショップサーバ３４は、楽曲購入可能サーバである。したがって、ユーザが端末装置１０を操作して楽曲購入可能サーバにアクセスすれば、ネットワーク３０を介して実際に楽曲や楽曲の集合を購入できる。端末装置１０のユーザは、音楽配信サーバ３３に対して購入手続きを行うことで、音楽配信サーバ３３から楽曲データをダウンロードできる。また、端末装置１０のユーザは、ＣＤショップサーバ３４に対して購入手続きを行うことで、自宅にＣＤを宅配してもらうことができる。
端末装置１０は、ＣＤやＭＤ（Ｍｉｎｉ  Ｄｉｓｃ）等に収録された楽曲を再生できると共に、ネットワーク３０を介して各種サーバにアクセスし、楽曲の関連情報を取得することがきる。また、端末装置１０は、アンテナ２６を介して放送されるコンテンツを受信し、音声をスピーカから出力することができる。
さらに、端末装置１０は、関連情報をクリップすることができる。なお、端末装置１０は、クリップを楽曲に対しても、楽曲集合に対しても行うことができる。これにより、気になる楽曲が多数含まれたＦＭ番組、ＣＤアルバム等については、まるごとクリップすることで、１回のクリップ動作で、気になる楽曲集合の関連情報を記録することができる。
図３は、ＣＤタイトル情報提供サーバのハードウェア構成例を示す図である。ＣＤタイトル情報提供サーバ３１は、ＣＰＵ（Ｃｅｎｔｒａｌ  Ｐｒｏｃ−ｅｓｓｉｎｇ  Ｕｎｉｔ）３１ａによって装置全体が制御されている。ＣＰＵ３１ａには、バス３１ｇを介してＲＡＭ（Ｒａｎｄｏｍ  Ａｃｃｅｓｓ  Ｍｅｍ−ｏｒｙ）３１ｂ、ハードディスクドライブ（ＨＤＤ：Ｈａｒｄ  Ｄｉｓｋ  Ｄｒｉｖｅ）３１ｃ、グラフィック処理装置３１ｄ、入力インタフェース３１ｅ、および通信インタフェース３１ｆが接続されている。
ＲＡＭ３１ｂには、ＣＰＵ３１ａに実行させるＯＳ（Ｏｐｅｒａｔｉｎｇ  Ｓｙｓｔｅｍ）のプログラムやアプリケーションプログラムの少なくとも一部が一時的に格納される。また、ＲＡＭ３１ｂには、ＣＰＵ３１ａによる処理に必要な各種データが格納される。ＨＤＤ３１ｃには、ＯＳやアプリケーションプログラムが格納される。また、ＨＤＤ３１ｃには、端末装置１０に対して提供するＣＤの関連情報が格納される。
グラフィック処理装置３１ｄには、表示装置３１ｈが接続されている。グラフィック処理装置３１ｄは、ＣＰＵ３１ａからの命令に従って、画像を表示装置３１ｈの画面に表示させる。入力インタフェース３１ｅには、キーボード３１ｉとマウス３１ｊとが接続されている。入力インタフェース３１ｅは、キーボード３１ｉやマウス３１ｊから送られてくる信号を、バス３１ｇを介してＣＰＵ３１ａに送信する。
通信インタフェース３１ｆは、ネットワーク３０に接続されている。通信インタフェース３１ｆは、ネットワーク３０を介して、他のコンピュータとの間でデータの送受信を行う。
以上のようなハードウェア構成によって、本実施の形態の処理機能を実現することができる。なお、図３には、ＣＤタイトル情報提供サーバ３１のハードウェア構成を代表的に説明したが、他のサーバも同様のハードウェア構成で実現することができる。
また、本実施の形態における端末装置１０（通信装置１）は、楽曲の再生機能を有するオーディオ機器としての機能を兼ね備えている。
図４は、端末装置の外観を示す図である。図４に示すように、本実施の形態に係る端末装置１０は、一般的なシステムコンポと同様の外観をしている。端末装置１０は、装置本体１０ａ、スピーカ２５ａ，２５ｂ、およびリモートコントローラ４０で構成される。装置本体１０ａには、ＣＤやＤＶＤ（Ｄｉｇｉｔａｌ  Ｖｅｒｓａｔｉｌｅ  Ｄｉｓｃ）の再生機能、ＭＤの録音再生機能、およびＦＭ放送やＴＶ放送の受信機能を備えている。装置本体１０ａで生成した音声信号がスピーカ２５ａ，２５ｂに送られることで、スピーカ２５ａ，２５ｂから音が出力される。
また、装置本体１０ａには、表示装置１７が設けられている。表示装置１７には、再生中の楽曲の関連情報や、クリップによって保存された関連情報等が表示される。
リモートコントローラ４０は、装置本体１０ａを遠隔操作するための入力装置である。リモートコントローラ４０には複数の操作キーが設けられている。ユーザによって操作キーが押されると、赤外線等の無線の通信手段により、押された操作キーに応じた信号がリモートコントローラ４０から装置本体１０ａに送信される。
操作キーとしては、方向キー４１ａ〜４１ｄ、決定キー４２、ファンクション選択キー４３ａ〜４３ｃ、ツールキー４４、戻るキー４５等がある。
方向キー４１ａ〜４１ｄは、たとえば、表示装置１７に表示されたカーソルや、フォーカスが当てられる場所を移動させるために使用される。４つの方向キー４１ａ〜４１ｄは、それぞれ上、下、左、右それぞれの方向に対応しており、押された方向キーに対応する方向にカーソル等が移動する。
決定キー４２は、たとえば、表示装置１７に表示された内容を確定するために使用される。
ファンクション選択キー４３ａ〜４３ｃは、機能の選択に使用される。たとえば、３つのファンクション選択キー４３ａ〜４３ｃは、それぞれ総合サービス利用機能、チューナ機能、ローカルコンテンツ管理機能に対応付けられている。そして、ファンクション選択キー４３ａ〜４３ｃの何れか１つが押されると、装置本体１０ａは、押されたファンクション選択キーに対応する機能の動作モードになる。
ツールキー４４は、表示装置１７上にツールメニューを表示させるためのボタンである。ツールメニュー内には、表示装置１７に表示されている内容に応じたコマンドが表示される。ツールメニューからユーザが任意のコマンドを選択し、そのコマンドに応じた処理を端末装置１０に実行させることができる。たとえば、ユーザが方向キー４１ａ〜４１ｄを操作して任意のコマンドを選択し、さらに決定キー４２を押すことで、選択されたコマンドに応じた処理が端末装置１０で実行される。
戻るキー４５は、表示装置１７の表示内容を、直前の状態に戻すためのボタンである。
なお、リモートコントローラ４０には、図４に示したもの以外にも様々な操作キーを設けることができる。たとえば、音量調節キー、ＣＤ等の再生キー、停止キーなどである。
次に、端末装置１０の内部構成を説明する。
図５は、端末装置のハードウェア構成を示すブロックである。図５に示すような端末装置１０により、楽曲等の様々なソースを管理、記録、再生が可能となる。
ＣＰＵ１１は、起動されたプログラムに基づいて端末装置１０の全体の制御、演算処理を行う。たとえばネットワーク３０を介した通信動作、ユーザに対する入出力動作、メディアからのコンテンツ再生やクリップ、ハードディスクドライブ（ＨＤＤ）２１へのコンテンツ記憶やそのための管理、クリップ情報等に基づくネットワーク３０を介した情報検索などを行う。なお、本実施の形態の端末装置１０が対応して記録再生可能なコンテンツデータとしては、オーディオのコンテンツデータや動画のコンテンツデータである。ＣＰＵ１１はバス１２を介して各回路部との間で制御信号やデータのやりとりを行う。
ＲＯＭ（Ｒｅａｄ  Ｏｎｌｙ  Ｍｅｍｏｒｙ）１３は、ＣＰＵ１１が実行すべき動作プログラム、プログラムローダーや、各種演算係数、プログラムで用いるパラメータ等が記憶される。また、ＲＡＭ２０には、ＣＰＵ１１が実行すべきプログラムが展開される。また、ＣＰＵ１１が各種処理を実行する際において必要となるデータ領域、タスク領域としても用いられる。
操作入力部１５は、端末装置１０の筐体に設けられた操作キーやジョグダイヤル、タッチパネルなどの各種操作子などを有する。なお、ＧＵＩ（Ｇｒａｐｈ−ｉｃａｌ  Ｕｓｅｒ  Ｉｎｔｅｒｆａｃｅ）操作のためのキーボードやマウスが操作入力部１５として設けられてもよい。操作入力部１５で入力された情報は入力処理部１４において所定の処理が施され、ＣＰＵ１１に対して操作コマンドとして伝送される。ＣＰＵ１１は入力された操作コマンドに応答した機器としての動作が得られるように、所要の演算や制御を行う。
表示装置１７としては、たとえば液晶ディスプレイなどの表示デバイスが接続され、各種情報表示が行われる。ＣＰＵ１１が各種動作状態や入力状態、通信状態に応じて表示情報を表示処理部１６に供給すると、表示処理部１６は供給された表示情報に基づいて表示装置１７に表示動作を実行させる。たとえば、表示装置１７には、サーバ等から配信された関連情報の内容や、クリップ情報の内容が表示される。また、ネットワーク３０を介した楽曲の検索が行われた場合、検索結果が表示装置１７に表示される。
メディアドライブ１９ａ，１９ｂは、可搬型の記録媒体に記録された楽曲等のコンテンツを記録、再生（記録媒体によって再生のみの場合もある）することができるドライブである。なお、メディアドライブ１９ａ，１９ｂそれぞれが記録、または再生可能な記録媒体の種類は、１種類とは限らない。すなわち、複数の種類の記録媒体に対して記録、再生を行うことも可能である。たとえば、メディアドライブ１９ａがＣＤ、ＤＶＤの再生を行い、メディアドライブ１９ｂがＭＤの記録再生を行う。
なお、楽曲等のコンテンツを記録する可搬型の記録媒体としては、ＣＤ、ＤＶＤ等の光学的な記録媒体に限定されるべきものではない。たとえば、フラッシュメモリなどの半導体メモリにより構成された記録媒体にコンテンツを格納することもできる。その場合、フラッシュメモリのリーダライタがバス１２に接続される。
ユーザは、メディアドライブ１９ａ，１９ｂに、任意のコンテンツが記録された記録媒体（ＣＤ，ＤＶＤ，ＭＤなど）を挿入し、リモートコントローラ４０の所定の操作を行うことで、楽曲等を鑑賞することができる。たとえば、ユーザがリモートコントローラ４０を操作し、メディアドライブ１９ａによる再生指示を行うと、ＣＰＵ１１はメディアドライブ１９ａに対してコンテンツの再生を指示する。これに応じて、メディアドライブ１９ａは、装填されている記録媒体から、指定されたコンテンツにアクセスして読み出しを実行する。
このようにして読み出されたコンテンツが、オーディオコンテンツである場合には、必要に応じてＣＰＵ１１の処理によってデコード処理等が施された後、オーディオデータ処理部２４に転送される。オーディオデータ処理部２４においては、イコライジング等の音場処理や音量調整、Ｄ／Ａ変換、増幅等の処理が施され、スピーカ部２５から出力される。なお、スピーカ部２５は、図４に示したような複数のスピーカ２５ａ，２５ｂで構成され、ステレオで音声を出力することができる。
また、メディアドライブ１９ａ，１９ｂにて再生されたコンテンツは、ＣＰＵ１１の制御によって、ＨＤＤ２１にオーディオデータファイルとして蓄積することもできる。なお、このオーディオデータファイルの形式としては、ＣＤフォーマットにおけるサンプリング周波数４４．１ＫＨｚで１６ビット量子化のデジタルオーディオデータとしてもよい。ＨＤＤ２１の容量を節約するために、所定方式にしたがって圧縮処理が施された形式の圧縮オーディオデータとされてもよい。また、圧縮方式としても限定されるものではないが、ＡＴＲＡＣ（Ａｄ−ｖａｎｃｅｄ  ＴＲａｎｓｆｏｒｍ  Ａｃｏｕｓｔｉｃ  Ｃｏｄｉｎｇ、商標）方式やＭＰ３（ＭＰＥＧ  Ａｕｄｉｏ  Ｌａｙｅｒ−３）方式などを採用することができる。
チューナ２７は、たとえばＡＭ・ＦＭラジオチューナとされ、ＣＰＵ１１の制御に基づいてアンテナ２６で受信された放送信号を復調する。もちろんテレビチューナや衛星放送チューナ、デジタル放送チューナなどとしてのチューナでもよい。復調された放送音声信号は、オーディオデータ処理部２４において所要の処理が施され、スピーカ部２５から放送音声として出力される。
通信処理部２２は、ＣＰＵ１１の制御に基づいて送信データのエンコード処理、受信データのデコード処理を行う。ネットワークインタフェース２３は、通信処理部２２でエンコードされた送信データを、ネットワーク３０を介して所定の外部ネットワーク対応機器に送信する。また、ネットワークインタフェース２３は、ネットワーク３０を介して外部ネットワーク対応機器から送信されてきた信号を通信処理部２２に受け渡す。通信処理部２２は受信した情報をＣＰＵ１１に転送する。ネットワーク３０を介して受信する情報には、たとえば、ＦＭ等で放送中の番組の関連情報や、ＣＤ等のタイトルに含まれる楽曲の情報がある。
赤外線通信部２８は、リモートコントローラ４０との間で、赤外線等の無線の通信手段で通信を行う。そして、赤外線通信部２８は、リモートコントローラ４０から送られた信号に所定の処理を施し、ＣＰＵ１１に対して操作コマンドとして伝送する。ＣＰＵ１１は入力された操作コマンドに応答した機器としての動作が得られるように、所要の演算や制御を行う。
なお、端末装置１０の構成は、この図５の構成に限られるものではなく、更に多様に考えられる。たとえばＵＳＢ（Ｕｎｉｖｅｒｓａｌ  Ｓｅｒｉａｌ  Ｂｕｓ）、ＩＥＥＥ１３９４、Ｂｌｕｅｔｏｏｔｈ（Ｒ）などの通信方式による周辺機器とのインタフェースが設けられるようにしてもよい。そして、上記ネットワークインタフェース２３によりネットワーク３０を介してダウンロードしたオーディオのコンテンツや、上記ＵＳＢ、ＩＥＥＥ１３９４などのインタフェースを経由して転送されてきたオーディオのコンテンツについても、ＨＤＤ２１に対して記憶させることができる。またマイクロホンや外部のヘッドホンの接続に用いられる端子や、ＤＶＤ再生時に対応するビデオ出力端子、ライン接続端子、光デジタル接続端子等が
設けられてもよい。また、ＰＣＭＣＩＡスロット、メモリカードスロットなどが形成され、外部の情報処理装置やオーディオ機器とデータのやりとりが可能とされてもよい。
次に、本実施の形態のシステムにおけるプログラムモジュールの構成について説明する。なお、プログラムモジュールは端末装置１０に実行させる処理を記述した情報であり、プログラムモジュールに基づいて端末装置１０が所定の機能を実現することができる。以下の説明では、プログラムモジュールを実行することで実現される機能を、そのプログラムモジュールの名称で呼ぶこととする。
図６は、端末装置のプログラムモジュール構成を示す図である。図６に示すように端末装置１０のプログラムモジュールはＯＳ上で動作するように構成されている。端末装置１０は、各プログラムモジュールの機能によって、ＣＤタイトル情報提供サーバ３１、放送局サーバ３２、音楽配信サーバ３３、ＣＤの物販を行うＣＤショップサーバ３４、総合サービスサーバ３６、インターネットラジオサーバ３５、その他の各種サーバと通信を行うことができる。
ＨＴＴＰ（Ｈｙｐｅｒ  Ｔｅｘｔ  Ｔｒａｎｓｆｅｒ  Ｐｒｏｔｏｃｏｌ）メッセージプログラム１１１は、ＣＤタイトル情報提供サーバ３１、放送局サーバ３２、ＣＤショップサーバ３４、および総合サービスサーバ３６等の各種サーバとの間のやりとりをＨＴＴＰ通信で行うものである。コミュニケータプログラム１１２は、総合サービスサーバ３６等と各種通信を行う通信モジュールである。
コミュニケータプログラム１１２の上位（ユーザインタフェースに近い機能）には、コンテンツのコーデックを解釈して再生するコンテンツ再生モジュール１１３、著作権保護に関する情報を取り扱う著作権保護情報管理モジュール１１４が位置する。コンテンツ再生モジュール１１３の上位には、インターネットラジオの選局及び再生を行うインターネットラジオ選局再生モジュール１１８が設けられている。著作権保護情報管理モジュール１１４の上位には、楽曲購入及び試聴曲の再生を司る楽曲購入再生モジュール１１９が設けられている。
それらインターネットラジオ選局再生モジュール１１８、楽曲購入再生モジュール１１９の上位にはＸＭＬ（ｅＸｔｅｎｓｉｂｌｅ  Ｍａｒｋｕｐ  Ｌａｎ−ｇｕａｇｅ）ブラウザ１５１が設けられている。ＸＭＬブラウザ１５１は、各種サーバから送られるＸＭＬファイルの内容を解釈し、表示装置１７に対して画面表示を行う。また、端末装置１０が総合サービス利用モードのときにユーザが端末装置１０に対して行った入力内容はＸＭＬブラウザ１５１で解釈される。そして、ＸＭＬブラウザ１５１から他のモジュールへ、入力内容に応じた処理要求等が渡される。たとえば、ＸＭＬブラウザ１５１を介してユーザに選択された楽曲は楽曲購入再生モジュール１１９で購入され、ハードディスクコンテンツコントローラ１１７を介してＨＤＤ２１に書き込まれる。
コミュニケータプログラム１１２には、ライブラリ１３０の認証ライブラリ１３１が接続されている。認証ライブラリ１３１は、総合サービスサーバ３６やその他の各種サーバの認証処理を行う。
さらにコミュニケータプログラム１１２の上位には、データベースアクセスモジュール１１５、コンテンツデータアクセスモジュール１１６及びハードディスクコンテンツコントローラ１１７が設けられている。データベースアクセスモジュール１１５は、ＨＤＤ２１に構築された各種データベースにアクセスする。コンテンツデータアクセスモジュール１１６はＨＤＤ２１に格納されたコンテンツにアクセスする。ハードディスクコンテンツコントローラ１１７はＨＤＤ２１に格納されたコンテンツを管理する。
ハードディスクコンテンツコントローラ１１７の上位には、関連情報表示モジュール１２０、チューナ選局再生／録音モジュール１２１、および楽曲購入再生モジュール１１９が設けられている。関連情報表示モジュール１２０は、放送局３７が放送した楽曲のタイトル及びアーティスト名を表示装置１７に表示する。チューナ選局再生／録音モジュール１２１は、放送局３７を選局したり、当該放送局３７から受信した楽曲のコンテンツをＨＤＤ２１に録音したりする。
たとえば、オーディオユーザインタフェース（ＡｕｄｉｏＵＩ）１５２を介して選局された放送局３７から受信した楽曲は、コンテンツデータアクセスモジュール１１６を介してＨＤＤ２１へ書き込まれる。
関連情報表示モジュール１２０は、チューナ選局再生／録音モジュール１２１によって現在放送局３７が放送している楽曲のタイトルやアーティスト名を関連情報としてＣＤタイトル情報提供サーバ３１、放送局サーバ３２等からＨＴＴＰメッセージプログラム１１１経由で受信し、これをオーディオユーザインタフェース１５２を介して表示装置１７に表示する。
なお、オーディオユーザインタフェース１５２を介して表示装置１７に表示した関連情報は、ライブラリ１３０のクリップライブラリ１３２に一時的に記憶させることができる。また、関連情報は、ユーザからの指示に従って最終的にはデータベースアクセスモジュール１１５を介してＨＤＤ２１へ記憶させることもできる。
さらに端末装置１０のプログラムモジュールとしては、ＣＤを再生するためのＣＤ再生モジュール１４１と、ＨＤＤ２１を再生するためのＨＤＤ再生モジュール１４２とが含まれており、再生結果をオーディオデータ処理部２４及びスピーカ部２５を介して出力する。
このような構成の端末装置１０において、サーバから関連情報を取得し、その関連情報をクリップすることができる。なお、関連情報の取得と同時に識別コードが送られた場合、その識別コードを端末装置１０に格納し、楽曲データ等の購入の際に特典を受けることができる。
図７は、識別コードに基づく特典取得例を示す図である。この例では端末装置１０が、放送局サーバ３２から、放送された楽曲の関連情報９１に付加された識別コード９２を受信し、これを利用して音楽配信サーバ３３から楽曲データのコンテンツを購入する。
具体的には、放送局サーバ３２には、関連情報テーブル３２ａと識別コードテーブル３２ｂとが予め用意されている。関連情報テーブル３２ａは、放送される各楽曲の関連情報が登録されている。
識別コードテーブル３２ｂには、放送時間帯毎の識別コードが登録されている。識別コードとは特典を受けるために必要なコードである。放送時間帯は、たとえば、番組毎に区切られている。
各番組の識別コードは、たとえば、その番組のスポンサー企業が提供する特典（割引販売等）を受ける権利を示している。なお、図７の例では、番組毎に識別コードが登録されているが、放送される楽曲毎に識別コードを登録することもできる。
なお、識別コードが登録されていない時間帯もある。すなわち、スポンサー企業等から何らかのサービス提供が行われている番組の放送時間帯に対してのみ、識別コードが登録されている。識別コードが登録されていない時間帯に放送されている楽曲の関連情報を取得しても、端末装置１０に対して識別コードは提供されない。
放送局３７では、たとえば、識別コード９２が設定される番組内で、関連情報を取得することにより得られる特典があることをアナウンスする。これにより、番組を聴いていたユーザのみが特典の存在を知ることができ、その特典を受けるための識別コード９２を端末装置１０を介して受け取ることができる。
なお、識別コード９２（識別コード９５）は、特定の放送局の特定の時間帯における楽曲用に個別に割り当てることもできる。この場合、同じ楽曲であっても、異なる時刻に放送された場合には、それぞれ異なる識別コードを提供することができる。
また、識別コードを楽曲に対して固有に割り当てることもできる。この場合、複数の楽曲に共通の識別コードを割り当ててもよい。
端末装置１０は、一定間隔でポーリングを行い、放送局サーバ３２に対して現在放送されている楽曲の関連情報９１の取得要求を出す。放送局サーバ３２は、現在放送されている楽曲の関連情報９１と、現在の時間帯に設定されている識別コード９２とを、端末装置１０に対して送信する。
端末装置１０は、受信した関連情報９１を表示装置１７に表示する。ここで、ユーザからクリップを指示する操作入力が行われると、端末装置１０は、受信した関連情報９１と識別コード９２との組をＨＤＤ２１等に格納する。
その後、ユーザが端末装置１０を操作して、音楽配信サーバ３３にアクセスし、楽曲データを購入するための購入要求情報９３を送信する。購入要求情報９３は購入対象を特定する情報（たとえば、楽曲を特定するための関連情報）が含まれている。また、購入要求情報９３には、ユーザ識別情報９４や識別コード９５が付加されている。なお、ユーザ識別情報９４と識別コード９５とは、同時に送信する必要はなく、先にユーザ識別情報９４を送信してユーザ認証を行い、その後、購入要求情報９３と共に識別コード９５を送信することができる。
購入要求情報９３を受け取った音楽配信サーバ３３は、楽曲データ９６と、識別コード９５に応じた付加データ９７とを端末装置１０に送信する。付加データ９７には、たとえば、端末装置１０に記録されている識別コードの削除指示や、ボーナストラックのような付加サービスが含まれる。
次に、放送局３７が番組の中で放送した楽曲の関連情報をクリップするクリップ処理手順について説明する。なお、本実施の形態では、放送される楽曲の関連情報を放送局サーバ３２で提供しているが、複数の放送局から依頼を受けて、各放送局の番組情報の提供サービスを行う関連情報提供サーバを別に設けることもできる。
図８は、放送中の楽曲の関連情報に関するクリップ手順を示すシーケンス図である。なお、放送局３７は、番組の放送スケジュールに従って、順次番組の放送を行っているものとする。以下、図８に示す処理をステップ番号に沿って説明する。
［ステップＳ１０１］放送局３７が番組の放送を開始する。
［ステップＳ１０２］番組の開始の通知を受けて、放送局３７から放送局サーバ３２に対して、楽曲の放送開始が通知される。この通知は、放送局３７の放送機器から自動的に放送局サーバ３２に渡されてもよいし、放送局３７のスタッフが放送局サーバ３２に対して操作入力を行ってもよい。
［ステップＳ１１１］放送局サーバ３２は、複数種類の楽曲に関するタイトル、アーティスト名、当該楽曲が収録されているＣＤの名称やＣＤ番号等の楽曲に関連した関連情報をＨＤＤにデータベース化して保有している。そして、放送局サーバ３２は、放送局３７から今回通知された楽曲の関連情報を端末装置１０への提供対象とするため、サービス提供対象として保持していた関連情報を、今回通知された楽曲の関連情報に更新し、次のステップＳ１１２へ移る。
［ステップＳ１２１］端末装置１０は、放送局３７がステップＳ１０１で放送した番組を受信してこれを例えばユーザに聴取させ、その番組の中で放送された楽曲についても受信してこれを例えばユーザに聴取させ、次のステップＳ１２２へ移る。
［ステップＳ１２２］端末装置１０は、放送されている楽曲に関連したタイトル、アーティスト名等の関連情報の取得要求を、所定間隔（たとえば、３０秒間隔）で放送局サーバ３２へ送信する。すなわち、端末装置１０は、受信中の楽曲の関連情報を取得するためのポーリングを行う。そして、端末装置１０の処理が、次のステップＳ１２３へ移る。
［ステップＳ１１２］このとき放送局サーバ３２は、端末装置１０からの取得要求に応じて、現在提供対象として保持している楽曲の関連情報に対して、識別コードを付加する。識別コードは、現在の時間帯に対応付けて設定された識別コードである。
［ステップＳ１１３］放送局サーバ３２は、端末装置１０からの要求（ステップＳ１２２）に応じて、関連情報と識別コードとを、端末装置１０へネットワーク３０を介して提供する。そして、放送局サーバ３２の処理が、次のステップＳ１１４へ移る。
その後、端末装置１０は、放送中の楽曲の関連情報と識別コードとを受信し、関連情報の内容を表示装置１７に表示することができる。その結果、番組で放送された楽曲のタイトル、アーティスト名等の楽曲情報を関連情報としてユーザに認識させることができる。
なお、本実施の形態における関連情報には、タイトル、アーティスト名の他に、ＣＤ番号、楽曲を放送した供給元である放送局３７を特定するための放送局識別情報、およびその楽曲が収録されている記録媒体を特定する媒体識別情報についても含まれている。
［ステップＳ１２３］端末装置１０は、前回の取得要求から３０秒間を経過すると、放送局サーバ３２へ関連情報の取得要求を再度行う。
［ステップＳ１１４］この取得要求に応じて放送局サーバ３２は、再度楽曲の関連情報と識別コードとを端末装置１０へネットワーク３０を介して提供する。
端末装置１０は、放送局サーバ３２によって現在提供対象として保持している楽曲の関連情報が次に放送される楽曲の関連情報に更新されない限り、同じ楽曲の関連情報を取得することになる。したがって、放送局サーバ３２において提供している関連情報が更新されるまで、表示装置１７には同じ楽曲の関連情報が表示される。
［ステップＳ１２４］その後、端末装置１０は、放送局サーバ３２から提供を受けた楽曲の関連情報をクリップすることができる。クリップした場合、端末装置１０は、楽曲の関連情報に続いて他の楽曲の関連情報を放送局サーバ３２から取得し、これらについてもクリップすることができる。クリップされた関連情報により、端末装置１０のＨＤＤ２１内にデータベースが構築される。
図９は、関連情報のデータ構造例を示す図である。関連情報５０には、曲タイトル、アーティスト名、クリップ時刻、ＣＤ番号、クリップ場所等の項目のデータが含まれる。各項目に対応する内容として、楽曲に関する各種データが設定される。
曲タイトルは楽曲の名称であり、サーバから送られる関連情報に含まれるデータである。
アーティスト名は、楽曲を演奏しているアーティストの名称であり、サーバから送られる関連情報に含まれるデータである。
クリップ時刻は端末装置１０がクリップ処理した時刻であり、クリップ処理を実行したときの端末装置１０の内部クロックの時刻が設定される。
ＣＤ番号は、楽曲が収録されているＣＤの識別番号であり、サーバから送られる関連情報に含まれる情報である。なお、ＣＤ番号は、ＣＤショップがＣＤを特定するために用いる識別番号であり、ＣＤ番号の体系には現状２種類ある。どちらの番号体系を用いているかはＣＤショップによって異なる。そこで、関連情報を提供したサーバで使用しているコード体系を識別する情報を、関連情報に含めてもよい。
クリップ場所はクリップした関連情報に対応するコンテンツ（ソース）の所在を示すデータである。たとえば、ＭＤに記録された楽曲を再生中にその楽曲の関連情報をサーバから取得し、クリップをした場合、クリップ場所として「ＭＤ」が設定される。
図９の例では、曲タイトルは「雨のち晴れ」、アーティスト名は「ファルコンズ」、クリップ時刻は「２００３／３／８  １９：２０」（２００３年３月８日１９時２０分）、ＣＤ番号は「０１２３４５６７」、クリップ場所は「ＭＤ」である。
なお、項目はクリップの種類によって様々であり、目的によってクリップの項目を変更することもできる。
図１０は、クリップにより保存される識別コードのデータ構造例を示す図である。識別コード７０（９２、９５）には、発行者、目的、有効な相手、有効期限、コードＩＤなどの情報が含まれている。
発行者は、識別コード７０を発行した放送局等の名称である。
目的は、識別コード７０を利用して特典を受けることができるサービスを示している。
有効な相手は、識別コード７０を有しているユーザに特典を与えるサービスを実施している企業等の名称である。
有効期限は、識別コード７０により特典を受けることができる期間の最終日を示している。なお、有効期限が関連情報５０に付加されてもよいし、付加されなくてもよい。
コードＩＤは、発行された識別コードを一意に識別するための識別情報である。
このような、楽曲の関連情報と識別コードとの組が端末装置１０内に複数格納される。
なお、識別コードが付加された関連情報は、木構造で保存することができる。
次にクリップした関連情報の保存形式について説明する。
図１１は、クリップした関連情報の保存形式を示す図である。クリップした関連情報（クリップ情報）５０はリスト形式で保存される。リストとしては、１曲単位でクリップしたリスト６１とクリップした楽曲集合のリスト６２〜６４とが設けられる。１曲単位でクリップしたリスト６１は１つだけ設けられるが、クリップした楽曲の集合リスト６２〜６４は複数設けることができる。
１曲単位でクリップしたリスト６１は、楽曲を１曲毎に指定して取得された関連情報の保存場所（たとえば、フォルダあるいはディレクトリ）である。また、クリップした楽曲集合のリスト６２〜６４は、楽曲の集合をまとめて取得したときの各楽曲の関連情報の保存場所（たとえば、フォルダあるいはディレクトリ）である。
なお、クリップした楽曲集合のリスト６２〜６４には、楽曲集合に応じた適当な名前が設定される。たとえば、ＣＤ内の複数の楽曲の関連情報を保存した場合、そのＣＤのタイトルが、クリップした楽曲の集合リストの名前に設定される。また、ＦＭ放送の番組内で放送される楽曲集合の関連情報を保存した場合、その番組の番組名や放送日時等が、クリップした楽曲の集合リストの名前に設定される。さらに、ネットワーク３０を介した楽曲検索で検出された楽曲集合を保存した場合、クリップした楽曲の集合リストの名前に検索キーや検索日時を設定することもできる。このように、その名前は楽曲集合の種類により様々である。
各リストには、クリップされた関連情報が関連付けられている。１曲単位でクリップしたリスト６１には、１曲目の関連情報５１ａ、２曲目の関連情報５１ｂ、３曲目の関連情報５１ｃなどが関連付けられている。クリップした楽曲集合のリスト６２には、１曲目の関連情報５２ａ、２曲目の関連情報５２ｂ、３曲目の関連情報５２ｃなどが関連付けられている。クリップした楽曲集合のリスト６３には、１曲目の関連情報５３ａ、２曲目の関連情報５３ｂ、３曲目の関連情報５３ｃなどが関連付けられている。クリップした楽曲集合のリスト６４には、１曲目の関連情報５４ａ、２曲目の関連情報５４ｂ、３曲目の関連情報５４ｃなどが関連付けられている。
新たに取得した関連情報５０を保存する場合、関連情報５０が１曲単位で取得されたのか、集合として取得されたのかにより、関連付けられるリストが決定される。１曲単位で取得された場合、１曲単位でクリップしたリスト６１の最後尾に、関連情報５０が関連付けられる。楽曲の集合で取得された場合、クリップした楽曲集合のリストが新たに生成され、その集合リストに関連情報５０が関連付けられる。
なお、クリップした楽曲集合のリスト６２〜６４は楽曲の集合であればよく、ＦＭ放送で放送された楽曲のリスト（オンエアーリスト）やアルバム、プレイリスト、あるいは検索結果として得られた楽曲の集合等でもよい。このように保存形式を取ることで、楽曲単体や様々な楽曲の集合のソース（ＣＤ、ＭＤ、ＨＤＤ、ＴＶ等の再生、配信音楽の受信、関連情報の閲覧等）でクリップしたデータを同様に扱えるという利点がある。
このようにして端末装置１０は、保存された関連情報と識別コードとを利用して、音楽配信サーバ３３から楽曲データを購入すると、識別コードに応じた特典を得ることができる。
図１２は、楽曲データ購入手順を示すシーケンス図である。以下、図１２に示す処理をステップ番号に沿って説明する。
［ステップＳ１３１］まず、端末装置１０は、ユーザ認証情報として、ユーザＩＤとパスワードとを音楽配信サーバ３３に送信する。なお、このとき、端末装置１０に設定したニックネームも音楽配信サーバ３３に送信するようにしてもよい。
ニックネームは、１人のユーザが複数の端末装置を使用するときに、各端末装置を識別するために設定する名称である。同一ユーザが使用する複数の端末装置には、それぞれ異なるニックネームが設定される。
ユーザは、新しい端末装置を購入すると、関連情報取得等のサービスを最初に受ける際に、ニックネームを端末装置に設定する。その端末装置からアクセスされたサーバは、設定されたニックネームが、そのユーザが使用する他の端末装置のニックネームと重複しないことを確認した後、端末装置に対して、設定されたニックネームの登録を許可する。
［ステップＳ１４１］音楽配信サーバ３３は、ユーザＩＤとパスワードとに基づいてユーザ認証を行う。
［ステップＳ１４２］音楽配信サーバ３３は、認証処理の結果を端末装置１０に応答する。
［ステップＳ１３２］端末装置１０は、かかる応答に応じてユーザ認証に成功したことを確認した後、ユーザからの操作入力に応じて、検索要求を音楽配信サーバ３３に送信する。なお、検索要求における検索キーとして、クリップした関連情報内の一部のデータ（たとえば、ＣＤ番号）を利用することができる。
また、クリップした関連情報に基づく検索に限らず、ナウオンエアー（Ｎｏｗ  Ｏｎ  Ａｉｒ）により取得したクリップ前の関連情報や、オンエアーリスト（Ｏｎ  Ａｉｒ  Ｌｉｓｔ）で取得した関連情報を、クリップせずにダイレクトに検索に使用することもできる。
［ステップＳ１４３］音楽配信サーバ３３は、検索要求に応じて、楽曲データに関するデータベースを検索する。
［ステップＳ１４４］音楽配信サーバ３３は、検索の結果ヒットした情報を含む検索結果情報を、端末装置１０に送信する。
［ステップＳ１３３］音楽配信サーバ３３からの検索結果情報に基づいてユーザが楽曲データを購入する操作を行うと、これに応じて端末装置１０は、当該楽曲データの購入を要求する購入要求情報と共に、予め蓄積している識別コードを、音楽配信サーバ３３に送信する。たとえば、端末装置１０は、任意の関連情報に対応する識別コードを送信する。また、端末装置１０は、音楽配信サーバ３３において特典を受けることができる複数の識別コードを、まとめて音楽配信サーバ３３に対して送信してもよい。音楽配信サーバ３３で特典を受けることができるかどうかは、識別コードの「有効な相手」の欄を参照して判断することができる。
あるいは、端末装置１０で記憶している全ての識別コードを音楽配信サーバ３３に送信してもよい。この場合、音楽配信サーバ３３側で、使用可能な識別コードを選別して、特典を判定することとなる。
なお、識別コードの送信は、ユーザからの操作入力に応じて行ってもよいし、自動的に行ってもよい。たとえば、ＣＤ番号による検索の結果、該当する音楽データが１つだけ検出された場合、自動的に識別コードを送信してもよい。
［ステップＳ１４５］音楽配信サーバ３３は、識別コードが有効であれば、その識別コードに応じて特典の内容を判定する。特典の内容は、たとえば、楽曲データの販売価格の割引や、追加コンテンツの提供等である。また、音楽配信サーバ３３は、１つの識別コードを１人のユーザが使用できる回数（使用可能回数）を管理しており、その使用可能回数が超えていない場合にのみ、特典を与えることができる。また、音楽配信サーバ３３は、識別コード内の使用期限の情報を参照し、使用期限を過ぎていない場合にのみ、特典を与えることができる。
［ステップＳ１４６］音楽配信サーバ３３は、コンテンツデータと付加データとを送信する。特典としてボーナストラックがある場合、付加データにボーナストラックが含められる。また、端末装置１０における識別コードの管理に関する指示も、付加データに含めることができる。
［ステップＳ１４７］その後、音楽配信サーバ３３は、ユーザ毎に、そのユーザに提供した付加データを管理する。たとえば、識別コードによる特典の行使情報をユーザＩＤまたは、端末装置１０を特定するＩＤ（ニックネーム）と関連付けて音楽配信サーバ３３側に記憶することでもできる。これにより、特定のユーザ、または端末装置１０の特典の行使をコントロールすることができる。
［ステップＳ１３４］端末装置１０では、付加データの内容に応じて識別コードを処理する。たとえば、音楽配信サーバ３３から端末装置１０内部の当該識別コードを無効とするか否かについての情報が、付加データで渡される。その場合、端末装置１０は、その情報に応じた処理を行う。
また、識別コードの処理としては、識別コードを無効とする以外にも、たとえば、特典享受回数を指定回数分減らす処理がある。また、識別コードを、特典を受ける前と同じ状態にするようにしてもよい。
このようにして、ユーザは、識別コードに基づく特典を受けることができる。しかも、提供される識別コードは、番組等の時間帯毎に異なる。そのため、番組の放送中に関連情報を受信したユーザに識別コードを渡すことで、その番組の視聴者にのみ有効な特典を与えることができる。これにより、番組の視聴率アップを図ることができる。
また、識別コードには有効期限が設定されているため、サービスの提供期間を限定することができる。
さらに、識別コードを使用する際には、予めユーザ認証を行い、ユーザ識別情報（ユーザＩＤやパスワードなど）を予め音楽配信サーバ３３に対して送信しているため、音楽配信サーバ３３では、ユーザ毎に識別コードによる特典の提供状況を管理することができる。たとえば、ユーザが１つの識別コードを何回使用したのかを管理できる。したがって、音楽配信サーバ３３において、識別コードの使用回数が制限の回数を超えたとき、特典を与えないように管理できる。
なお、ユーザに対して特典付きのサービスを提供するサーバは、音楽配信サーバ３３に限らない。たとえば、ＣＤショップサーバ３４も、ＣＤの販売に際し、識別コードに応じた特典（割引等）を与えることができる。ＣＤショップサーバ３４に対する端末装置１０からの購入手続きは、図１２に示す処理とほぼ同じである。ただし、ステップＳ１４６におけるコンテンツデータ（楽曲データ）の送信は、ＣＤショップサーバ３４では行われない。その代わり、ＣＤショップサーバ３４では、端末装置１０のユーザからのＣＤの注文内容を記録し、ＣＤショップの店員等が、該当するＣＤをユーザに対して発送する。
また、識別コードを可搬型の記録媒体に記録して、その記録媒体を店頭に持ち込むことで、店頭におけるＣＤ購入において特典を受けることも可能である。
図１３は、店頭での購入手続きを示す図である。ユーザは、端末装置１０に記憶されている識別コードを、可搬型の記録媒体に記録する。たとえば、半導体のメモリ８０に記録する。メモリ８０は、たとえば、フラッシュメモリである。
ユーザは、識別コードが書き込まれたメモリ８０をもって、ＣＤショップ等の店頭に行く。そして、店内で識別コードにより特典が受けられるＣＤ等を購入する際に、店員にメモリ８０を渡す。
店員は、店頭に備えられた店頭端末装置３９においてメモリ８０から識別コードを読み取る。そして、ユーザに対するＣＤ等の販売に際し、識別コードに応じた特典が与えられる。
なお、店頭端末装置３９のハードウェア構成は、図５に示した端末装置１０と同様のハードウェア構成で実現することができる。ただし、メディアドライブとしては、メモリ８０のリーダライタが必要である。また、店頭端末装置３９は、チューナ２７や赤外線通信部２８を備えて無くてもよい。
図１４は、店頭端末装置の処理手順を示すフローチャートである。以下、図１４に示す処理をステップ番号に沿って説明する。
［ステップＳ１５１］店頭端末装置３９は、メモリ８０が挿入されると、そのメモリ８０から識別コードを読み出す。
［ステップＳ１５２］店頭端末装置３９は、ユーザからユーザＩＤとパスワードとの入力を受け付ける。
［ステップＳ１５３］店頭端末装置３９は、ユーザ認証を行う。ユーザ認証は、ネットワーク３０を介して接続された他のサーバに依頼することもできる。たとえば、店頭端末装置３９は、ユーザから入力されたユーザ識別情報（ユーザＩＤ及びパスワード）を、ネットワーク３０を介して接続されたサーバ（たとえば、ＣＤショップサーバ３４）に送信する。すると、サーバで認証処理が行われ、認証結果が店頭端末装置３９に返される。
［ステップＳ１５４］店頭端末装置３９は、ユーザ認証に成功した場合、識別コードに応じた特典を判定する。
［ステップＳ１５５］店頭端末装置３９は、ＣＤの販売に応じた特典の提供を行う。たとえば、追加コンテンツの提供であれば、その追加コンテンツをメモリ８０に書き込む。
また、販売額の割引であれば、ＰＯＳ（Ｐｏｉｎｔ  Ｏｆ  Ｓａｌｅ）等の端末機能と連携し、ＣＤの販売額の割引処理を行う。
［ステップＳ１５６］店頭端末装置３９は、ＥＭＤ、ＥＣで購入した場合と同様に、識別コード処理を行う。
これにより、以前では不可能であった店頭での特典を受けることもできる。また、携帯用端末においてクリップを行った場合、クリップした識別コードを表示できる装置を組み込み、店頭において表示することで、ＣＤショップでＣＤ購入の際に特典を受ける手段も考えられる。
以上説明したように、本実施の形態により、放送を受信できるチューナと、放送されているコンテンツの関連情報（ナウオンエアー：Ｎｏｗ  Ｏｎ  Ａｉｒ）や特定の番組あるいは時間帯の内のコンテンツ（オンエアーリスト：Ｏｎ  Ａｉｒ  Ｌｉｓｔ）の関連情報を記憶（クリップ）した場合に、様々な特典（割引、ボーナストラック付き、おまけの郵送等全て可能）を受けることができる。その結果、ＦＭのナウオンエアーやオンエアーリストと楽曲配信サービス、さらにＣＤの販売をリンクさせて、さまざまな特典をきめ細かく設定できる。
コンテンツを提供するサービス提供者にとっては、音楽マーケットを活性化することができるというメリットがある。また、ユーザにとっては、ナウオンエアー等の関連情報を取得することで、多様な特典を受けることができるというメリットがある。
また、本発明の応用例として、この特典を受けることができる識別コードは１つだけで特典を受けることができる場合だけでなく、複数集めた時に初めて特典を受けることができる。複数集める場合の方法として、これまでクリップして取得した識別コードを全てサーバにポストしてもよい。この場合、サーバ側で有効な識別コードの数をカウントすることで、特典の内容を判断する。
また、複数の識別コードをメモリに記録してＣＤショップ等で利用する場合、たとえば、店頭端末装置で、その店で使用可能な識別コードの数をカウントし、その数を表示させることができる。
なお、上記の処理機能は、サーバコンピュータとクライアントコンピュータとによって実現することができる。その場合、各種サーバが有すべき機能の処理内容を記述したサーバプログラム、および端末装置が有すべき機能の処理内容を記述したクライアントプログラムが提供される。サーバプログラムをサーバコンピュータで実行することにより、サーバの処理機能がサーバコンピュータ上で実現される。また、クライアントプログラムをクライアントコンピュータで実行することにより、端末装置の処理機能がクライアントコンピュータ上で実現される。
処理内容を記述したサーバプログラムやクライアントプログラムは、コンピュータで読み取り可能な記録媒体に記録しておくことができる。コンピュータで読み取り可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ、ＤＶＤ−ＲＡＭ、ＣＤ−ＲＯＭ、ＣＤ−Ｒ（Ｒｅｃｏｒｄａｂｌｅ）／ＲＷ（ＲｅＷｒｉｔａｂｌｅ）などがある。光磁気記録媒体には、ＭＯ（Ｍａｇ−ｎｅｔｏ−Ｏｐｔｉｃａｌ  ｄｉｓｋ）などがある。
サーバプログラムやクライアントプログラムを流通させる場合には、たとえば、各プログラムが記録されたＤＶＤ、ＣＤ−ＲＯＭなどの可搬型記録媒体が販売される。また、クライアントプログラムをサーバコンピュータの記憶装置に格納しておき、ネットワークを介して、サーバコンピュータからクライアントコンピュータにクライアントプログラムを転送することもできる。
サーバプログラムを実行するサーバコンピュータは、たとえば、可搬型記録媒体に記録されたサーバプログラムを、自己の記憶装置に格納する。そして、サーバコンピュータは、自己の記憶装置からサーバプログラムを読み取り、サーバプログラムに従った処理を実行する。なお、サーバコンピュータは、可搬型記録媒体から直接サーバプログラムを読み取り、そのサーバプログラムに従った処理を実行することもできる。
クライアントプログラムを実行するクライアントコンピュータは、たとえば、可搬型記録媒体に記録されたクライアントプログラムもしくはサーバコンピュータから転送されたクライアントプログラムを、自己の記憶装置に格納する。そして、クライアントコンピュータは、自己の記憶装置からクライアントプログラムを読み取り、クライアントプログラムに従った処理を実行する。なお、クライアントコンピュータは、可搬型記録媒体から直接クライアントプログラムを読み取り、そのクライアントプログラムに従った処理を実行することもできる。また、クライアントコンピュータは、サーバコンピュータからクライアントプログラムが転送される毎に、逐次、受け取ったクライアントプログラムに従った処理を実行することもできる。
（２）第２の実施の形態
図１５は、本発明の原理を説明するための原理図である。以下、この図１５を用いて、第２の実施の形態の概要について説明する。
図１５は、例えば楽曲などのコンテンツを放送番組を通じて受信するユーザに対して、特典を付加する特典付加システムに本発明を適用した場合について示している。
特典付加システムは、情報処理装置１Ｘ及び情報処理装置２Ｘによって構成される。情報処理装置１Ｘと情報処理装置２Ｘとは、例えばインターネットなどのネットワークによって接続されているものとする。情報処理装置１Ｘは、送信手段１ａＸ、受信手段１ｂＸ、記憶手段１ｃＸ、及び表示手段１ｄＸによって構成され、クライアントとしての機能を有する。情報処理装置２Ｘは、記憶手段２ａＸ、受信手段２ｂＸ、及び送信手段２ｃＸによって構成され、クライアントとなる情報処理装置１Ｘからの要求に応じてサービスを提供するサーバとしての機能を有する。
この特典付加システムにおいて、情報処理装置１Ｘは、情報処理装置２Ｘからネットワークを介して放送番組内のコンテンツに関連する関連情報３Ｘを受信している。なお、この関連情報３Ｘは、情報処理装置２Ｘの記憶手段２ａＸに記憶され、コンテンツの変化とともに更新される。このような情報処理装置１Ｘと情報処理装置２Ｘとが相互にやりとりを行うことで、コンテンツを購入したユーザに対して、更なるコンテンツの購入に対する特定のサービスを受ける権利が与えられる。以下、この処理について説明する。
まず、情報処理装置１Ｘは、受信中の放送番組内のコンテンツに関連する関連情報３Ｘを要求するための要求情報４Ｘを、送信手段１ａＸから特定間隔で連続的に送信する。情報処理装置２Ｘは、情報処理装置１Ｘから送信される要求情報４Ｘを受信手段２ｂＸによって受信する。
そして受信手段２ｂＸは、受信した要求情報４Ｘに対応する関連情報３Ｘを記憶手段２ａＸから引き出し、送信手段２ｃＸに渡す。一方、情報処理装置２Ｘは、ユーザが任意のコンテンツを購入する際に、特定のサービスを受けるための権利を示す第１の識別コード５Ｘを、予め発行している。送信手段２ｃＸは、記憶手段２ａＸから引き出された関連情報３Ｘと共に、上記第１の識別コード５Ｘを情報処理装置１Ｘに送信する。
情報処理装置１Ｘは、情報処理装置２Ｘが送信した関連情報３Ｘと第１の識別コード５Ｘとを受信手段１ｂＸによって受信し、記憶手段１ｃＸにこれらの情報を記憶させる。さらに情報処理装置１Ｘは、記憶手段１ｃＸに記憶された関連情報３Ｘを表示手段１ｄＸを介して表示し、ユーザに対して関連情報３Ｘの内容を示す。
例えば関連情報３Ｘが示すコンテンツなど、任意のコンテンツに対してユーザが購入を要求すると、情報処理装置１Ｘは、当該任意のコンテンツの購入を要求する購入要求情報６Ｘと第１の識別コード５Ｘとを送信手段１ａＸから送信する。
情報処理装置２Ｘは、情報処理装置１Ｘから送信された購入要求情報６Ｘと第１の識別コード５Ｘとを受信手段２ｂＸによって受信し、購入要求情報６Ｘに対応するコンテンツデータ７Ｘを用意する。また情報処理装置２Ｘは、ユーザによる更なるコンテンツ購入の際に、ユーザが特定のサービスを受けるための権利を示す第２の識別コード８Ｘを発行する。そして情報処理装置２Ｘは、コンテンツデータ７Ｘと上記第２の識別コード８Ｘとを送信手段２ｃＸから送信する。
このようにして、コンテンツを購入したユーザに対して、更なるコンテンツの購入に対する特定のサービスを受けるための権利を提供することができる。
次に、本発明の実施の形態について具体的に説明する。なお、以下の説明では、楽曲または楽曲集合に関する関連情報を保存する処理を、クリップと呼ぶこととする。
図２との対応部分に同一符号を付して示す図１６において、本発明の実施の形態に係るネットワークシステムを示す。端末装置１０Ｘは、ネットワーク３０を介して各種サーバに接続されている。
端末装置１０Ｘは、ＣＤ２９ａ、ＭＤ（Ｍｉｎｉ  Ｄｉｓｃ）２９ｂ、ハードディスクドライブ（ＨＤＤ：Ｈａｒｄ  Ｄｉｓｋ  Ｄｒｉｖｅ）２１等の記録媒体に、ローカル上の楽曲または楽曲の集合のソースを保持している。なお、ＣＤ２９ａとＭＤ２９ｂとは、可搬型の記録媒体であり、端末装置１０Ｘに対して容易に着脱できる。端末装置１０Ｘに対してどのようなローカルソースが用意されるかは、端末装置１０Ｘの種類、目的により異なる。また、端末装置１０Ｘは、アンテナ２６を介して放送されるコンテンツを受信することができる。
なお、図１６に示したローカル上の楽曲または楽曲集合のソースは一例である。すなわち、端末装置１０Ｘのローカルに存在する記録媒体であれば、楽曲または楽曲集合を記録することで、ローカル上の楽曲または楽曲の集合のソースとして機能させることができる。
また、端末装置１０Ｘは、クリップした関連情報を記憶するクリップ情報記憶装置２１ａを備えている。クリップ情報記憶装置２１ａは、端末装置１０Ｘの二次記憶装置である。例えば、ＨＤＤ２１等の記憶領域の一部を、クリップ情報記憶装置２１ａとして機能させることができる。なお、端末装置１０Ｘは、クリップを楽曲に対しても、楽曲集合に対しても行うことができる。これによりユーザは、気になる楽曲が多数含まれたＦＭ番組、ＣＤアルバム等については、まるごとクリップすることで、１回のクリップ動作で、気になる楽曲集合の関連情報を記録することができる。また端末装置１０Ｘの内部構成、外観構成及びプログラムモジュール構成は、例えば第１の実施の形態の端末装置１０と同様の構成である。
またＣＤタイトル情報提供サーバ３１のハードウェア構成は、第１の実施の形態と同様である。
図１７は、第１の識別コードと第２の識別コードとに基づく特典取得例を示す図である。この例では、放送局サーバ３２から放送された楽曲の関連情報９１Ｘに付加された第１の識別コード９２Ｘを利用して、音楽配信サーバ３３から楽曲データ９５Ｘのコンテンツを購入する。
具体的には、放送局サーバ３２には、関連情報テーブル３２ａＸと識別コードテーブル３２ｂＸとが予め用意されている。関連情報テーブル３２ａＸは、放送される各楽曲の関連情報が登録されている。
識別コードテーブル３２ｂＸには、第１の識別コードが放送時間帯毎に登録されている。第１の識別コードとは、楽曲を購入したユーザが特典を受けるために必要なコードである。放送時間帯は、例えば番組毎に区切られている。
各番組に登録された第１の識別コードは、例えば、その番組のスポンサー企業が提供する特典（楽曲の購入に対するボーナストラックの付加など）を受ける権利を示している。なお、図１７の例では、番組毎に第１の識別コードが登録されているが、放送される楽曲毎に第１の識別コードを登録することもできる。
なお、第１の識別コードが登録されていない時間帯もある。すなわち、スポンサー企業等から何らかのサービス提供が行われている番組の放送時間帯に対してのみ、第１の識別コードが登録されている。放送局３７では、例えば、第１の識別コードが設定される番組内のコメントにおいて、関連情報を取得することにより得られる特典の内容をアナウンスする。これにより、番組を聴いていたユーザのみが特典の存在を知ることができ、その特典を受けるための第１の識別コードを受け取ることができる。
なお、第１の識別コードは、特定の放送局の特定の時間帯における楽曲用に固有に割り当てることもできる。この場合、同じ楽曲であっても、異なる時刻に放映された場合には、それぞれ異なる第１の識別コードを提供することができる。また、第１の識別コードを楽曲に対して固有に割り当てることもできる。この場合、複数の楽曲に共通の第１の識別コードを割り当ててもよい。これらにより、放送視聴率向上に対してよりきめ細かく対応することが可能となる。
端末装置１０Ｘは、一定間隔でポーリングを行い、放送局サーバ３２に対して現在放送されている楽曲の関連情報９１Ｘの取得要求を出す。放送局サーバ３２は、現在放送されている楽曲の関連情報９１Ｘと、現在の時間帯に設定されている第１の識別コード９２Ｘとを端末装置１０に対して送信する。
端末装置１０Ｘは、受信した関連情報９１Ｘを表示装置１７に表示する。ここで、ユーザからクリップを指示する操作入力が行われると、端末装置１０Ｘは、受信した関連情報９１Ｘと第１の識別コード９２Ｘとの組をＨＤＤ２１等に格納する。
その後、ユーザが端末装置１０Ｘを操作して、音楽配信サーバ３３にアクセスする。このとき端末装置１０Ｘは、ユーザ認証を受けるために必要なユーザ識別情報９３Ｘを音楽配信サーバ３３に送信し、音楽配信サーバ３３からの認証確認を待機する。
端末装置１０Ｘは、音楽配信サーバ３３から認証確認を得ると、楽曲データを購入するための購入要求情報９４Ｘと共に、第１の識別コード９２Ｘを音楽配信サーバ３３に送信する。
購入要求情報９４Ｘと第１の識別コード９２Ｘとを受け取った音楽配信サーバ３３は、購入要求情報９４Ｘにて要求された楽曲データ９５Ｘを用意する。その後、音楽配信サーバ３３は、第１の識別コード９２Ｘが有効かどうか判定し、有効であると判定されれば、第１の識別コード９２Ｘに応じた付加データ９６Ｘと、楽曲を購入したユーザが更にＣＤなどのコンテンツを購入する際に受けることのできる特典を示す第２の識別コード９７Ｘとを発行する。そして音楽配信サーバ３３は、楽曲データ９５Ｘ、付加データ９６Ｘ、及び第２の識別コード９７Ｘを端末装置１０Ｘに送信する。
付加データ９６Ｘは、例えば、端末装置１０Ｘに記録されている第１の識別コードの削除指示や、ボーナストラックのような付加サービスである。
第２の識別コード９７Ｘは、楽曲を購入したユーザが更にＣＤなどのコンテンツを購入する際、特典を受けるために必要なコードである。第２の識別コード９７Ｘには、特典を提供することのできる業者や特典の内容が記載されている。特典としては、特定のＣＤの割引などを用意することができる。第２の識別コード９７Ｘを取得したユーザは、端末装置１０Ｘを用いて、第２の識別コード９７Ｘが有効となるＣＤショップサーバなどにアクセスすることで、例えば特定のＣＤを割引で購入することができる。
次に、放送局３７の番組の中で放送された楽曲に関連した関連情報を、端末装置１０Ｘが放送局サーバ３２から取得してクリップする際に、端末装置１０Ｘ、放送局３７、及び放送局サーバ間で行われるやり取りについて、シーケンス図を用いて説明する。
図１８は、端末装置が放送局サーバから取得した関連情報をクリップする際のシーケンス図である。なお、放送局３７は、番組の放送スケジュールに従って、順次番組の放送を行っているものとする。以下、図１８に示す処理をステップ番号に沿って説明する。
［ステップＳ１］放送局３７は番組の放送を開始する。
［ステップＳ２］放送局３７は、番組の中で放送する楽曲の放送開始を放送局サーバ３２へ通知する。
［ステップＳ１１］放送局サーバ３２は、関連情報テーブル３２ａＸを参照し、端末装置１０への提供対象とするために以前保持していた関連情報を、ステップＳ１で放送局３７から通知された楽曲に関連した関連情報に更新する。
［ステップＳ２１］端末装置１０Ｘは、ステップＳ１で放送局３７が放送を開始した番組を受信してこれを例えばユーザに聴取させ、この番組の中で放送が開始された楽曲についても受信してこれを例えばユーザに聴取させ、ステップＳ２２に処理を進める。
［ステップＳ２２］端末装置１０Ｘは、ステップＳ２１で受信した楽曲に関連した関連情報の取得要求を行う要求情報を、所定間隔（例えば３０秒間隔）で放送局サーバ３２へ送信する。すなわち、端末装置１０Ｘは、受信中の楽曲の関連情報を取得するためのポーリングを行う。
［ステップＳ１２］放送局サーバ３２は、ステップＳ２２で端末装置１０Ｘから送信された要求情報を受信すると、識別コードテーブル３２ｂＸを参照し、現在提供対象として保持している楽曲の関連情報に対して、現在の時間帯に対応する第１の識別コードを付加する。そして放送局サーバ３２は、ステップＳ１３に処理を進める。
［ステップＳ１３］放送局サーバ３２は、関連情報と第１の識別コードとを、ネットワーク３０を介して端末装置１０Ｘに送信する。なお第１の識別コードは、この番組を受信しているどのユーザに対しても、同一の内容で送信される。
［ステップＳ２３］端末装置１０Ｘは、ステップＳ１３で放送局サーバ３２から送信された関連情報と第１の識別コードとを受信すると、受信した関連情報の内容を表示装置１７に表示し、ステップＳ２４に処理を進める。ユーザは、表示装置１７を参照することで、現在放送中の楽曲の曲タイトル、アーティスト名などの関連情報を知ることができる。なお、本実施の形態における関連情報には、タイトル、アーティスト名の他に、ＣＤ番号、楽曲を放送した供給元である放送局３７を特定するための放送局識別情報、およびその楽曲が収録されている記録媒体を特定する媒体識別情報についても含まれている。
［ステップＳ２４］端末装置１０Ｘは、前回の取得要求から３０秒間を経過すると、放送局サーバ３２へ要求情報を送信し、関連情報の取得要求を再度行う。
［ステップＳ１４］放送局サーバ３２は、ステップＳ２４で端末装置１０Ｘから送信された要求情報を受信すると、識別コードテーブル３２ｂＸを参照し、現在提供対象として保持している楽曲の関連情報に対して、現在の時間帯に対応する第１の識別コードを付加する。そして放送局サーバ３２は、ステップＳ１５に処理を進める。
［ステップＳ１５］放送局サーバ３２は、再度楽曲の関連情報と第１の識別コードとを端末装置１０Ｘへネットワーク３０を介して提供する。
［ステップＳ２５］端末装置１０Ｘは、ステップＳ１４で放送局サーバ３２から送信された関連情報と第１の識別コードとを受信すると、受信した関連情報の内容を表示装置１７に表示する。
端末装置１０Ｘでは、放送局サーバ３２によって現在提供対象として保持している楽曲の関連情報が次に放送される楽曲の関連情報に更新されない限り、楽曲の関連情報を取得することになり、更新されるまで表示装置１７に楽曲の関連情報を表示する。
［ステップＳ２６］ここで、ユーザが端末装置１０Ｘに対して、表示装置１７に表示された関連情報に対するクリップの指示を行うと、端末装置１０Ｘは、関連情報をＨＤＤ２１にクリップすると共に、第１の識別コードも関連情報と対応付けてＨＤＤに記憶し、ステップＳ２７に処理を進める。
クリップした場合、端末装置１０Ｘは、クリップした楽曲の関連情報に続いて他の楽曲の関連情報を放送局サーバ３２から取得し、これらについてもクリップすることができる。
クリップされた関連情報により、端末装置１０ＸのＨＤＤ２１内にデータベースが構築される。
［ステップＳ２７］端末装置１０Ｘは、表示装置１７にクリップした関連情報を改めて表示し、ユーザからの検索要求を受け付ける。
因みに関連情報の構成や、クリップした関連情報の保存形式ついては、第１の実施の形態と同様である。
図１９は、第１の識別コードの構成例を示す図である。図１９に示すように、第１の識別コード６０Ｘには、「発行者」の欄６０ａＸ、「目的」の欄６０ｂＸ、「有効な相手」の欄６０ｃＸ、「有効期限」の欄６０ｄＸ、及び「コードＩＤ」の欄６０ｅＸが設けられている。
「発行者」の欄６０ａＸには、第１の識別コード６０Ｘを発行するサービス業者を表す名称が設定される。ここでは、放送局サーバ３２を運営する放送局（ＦＭ品川）の名称が設定される。
「目的」の欄６０ｂＸには、例えばボーナストラックＡなど、第１の識別コード６０Ｘを利用して楽曲を購入したユーザに提供される特典の内容が設定される。
「有効な相手」の欄６０ｃＸには、第１の識別コード６０Ｘを利用して楽曲を購入したユーザに対して特典を提供するサービス業者を表す名称が設定される。この情報は、特典を提供するサービス業者と提供しないサービス業者とを識別するために用いられる。ここでは、音楽配信サーバ３３によって提供される音楽配信サイト名（音楽配信サイトＢ）が設定される。
「有効期限」の欄６０ｄＸには、第１の識別コード６０Ｘにより特典を受けることができる期間の最終日が設定される。なお、有効期限が付加されてもよいし、付加されなくてもよい。
「コードＩＤ」の欄６０ｅＸには、発行された第１の識別コード６０Ｘを一意に識別するための番号が設定される。
このような、楽曲の関連情報と第１の識別コードとの組が端末装置１０Ｘ内に複数格納される。なお、関連情報は、木構造で保存することができる。
次に、ユーザが音楽配信サーバ３３にて楽曲を購入する際に、端末装置１０Ｘと音楽配信サーバ３３との間で行われるやり取りについて、シーケンス図を用いて説明する。
図２０は、楽曲購入の際のシーケンス図である。以下、図２０に示す処理をステップ番号に沿って説明する。
［ステップＳ３１］端末装置１０Ｘは、音楽配信サーバ３３のユーザ認証を得るために、予め端末装置１０Ｘに付与されているユーザＩＤやパスワードなどのユーザ識別情報を音楽配信サーバ３３に送信する。なお、このとき端末装置１０Ｘは、予め設定されたニックネームも音楽配信サーバ３３に送信するようにしてもよい。
ニックネームは、１人のユーザが複数の端末装置を使用するときに、各端末装置を識別するために設定する名称である。同一ユーザが使用する複数の端末装置には、それぞれ異なるニックネームが設定される。
ユーザが新しい端末装置を購入した際には、関連情報取得等のサービスを最初に受ける際に、ニックネームを端末装置に設定する。すると、アクセスされたサーバでは、設定されたニックネームが、そのユーザの他の端末装置にニックネームと重複しないことを確認後、端末装置に対して、設定されたニックネームの登録を許可する。
［ステップＳ４１］音楽配信サーバ３３は、ステップＳ３１で端末装置１０Ｘから送信されたユーザ識別情報を受け取り、ユーザの認証を行った後、認証結果を端末装置１０Ｘに応答する。
［ステップＳ３２］端末装置１０Ｘは、音楽配信サーバ３３からの認証結果を受け取って認証が得られたことを確認し、ステップＳ３３に処理を進める。
［ステップＳ３３］端末装置１０Ｘは、ユーザ認証の成功確認後、ユーザからの操作入力に応じて、検索要求を音楽配信サーバ３３に送信する。なお、検索要求における検索キーとして、クリップした関連情報内の一部のデータ（例えば、ＣＤ番号）を利用することができる。
また、クリップした関連情報に基づく検索に限らず、ナウオンエアーにより取得したクリップ前の関連情報や、オンエアーリストで取得した関連情報を、クリップせずにダイレクトに検索に使用することもできる。
［ステップＳ４２］音楽配信サーバ３３は、検索要求に応じて、自己のＣＤに関するデータベースを検索し、ステップＳ４３に処理を進める。
［ステップＳ４３］音楽配信サーバ３３は、ステップＳ４２での検索結果を示す結果情報を端末装置１０Ｘに送信する。
［ステップＳ３４］端末装置１０Ｘは、ステップＳ４３で音楽配信サーバ３３から送信された結果情報を受信すると、それを表示装置１７に表示して、検索結果をユーザに通知する。端末装置１０Ｘは、ユーザからの購入指示に応じて、楽曲の購入を要求する購入要求情報と共に、購入する楽曲の関連情報と対応付けられてＨＤＤ２１に記憶されている第１の識別コードを音楽配信サーバ３３に送信する。
なお、端末装置１０Ｘは、任意の関連情報に対応する識別コードを送信することができる。例えば、クリップした関連情報以外に、ナウオンエアーにより取得したクリップ前の関連情報や、オンエアーリストで取得した関連情報でも、対応する第１の識別コードを送信することができる。また、端末装置１０Ｘは、音楽配信サーバ３３において特典を受けることができる複数の第１の識別コードをまとめて、音楽配信サーバ３３に対して送信してもよい。音楽配信サーバ３３で特典を受けることができるかどうかは、第１の識別コードの「有効な相手」の欄を参照して判断することができる。
あるいは、端末装置１０Ｘで記憶している全ての第１の識別コードを音楽配信サーバ３３に送信してもよい。この場合、音楽配信サーバ３３側で、使用可能な第１の識別コードを選別して、特典を判定することとなる。
なお端末装置１０Ｘは、第１の識別コードと共に、クリップされた関連情報を音楽配信サーバ３３へ送信してもよい。
なお、第１の識別コードの送信は、ユーザからの操作入力に応じて行ってもよいし、自動的に行ってもよい。たとえば、ＣＤ番号による検索の結果、該当するＣＤが検出された場合、自動的に第１の識別コードを送信してもよい。
また端末装置１０Ｘは、ステップＳ３３における検索要求とともに、第１の識別コードを送信することもできる。
［ステップＳ４４］音楽配信サーバ３３は、ステップＳ３４で端末装置１０Ｘから送信された購入要求情報と第１の識別コードとを受信すると、購入要求情報にて要求された楽曲データを読込み、ステップＳ４５に処理を進める。
［ステップＳ４５］音楽配信サーバ３３は、ステップＳ４４で受信した第１の識別コードの認証を行う。認証には、第１の識別コードの「有効な相手」の欄を用いる。即ち、音楽配信サーバ３３は、「有効な相手」の欄に記載された名称を参照し、受信した第１の識別コードが自分宛てかどうかを判定する。例えば、音楽配信サーバ３３に音楽配信サイトＢという名称が設定されているとき、受信した第１の識別コードの「有効な相手」の欄に音楽配信サイトＢと設定されていれば、音楽配信サーバ３３は、受信した第１の識別コードを自分宛として判定する。このような判定の結果、第１の識別コードが自分宛てであればステップＳ４６に処理を進め、自分宛でなければステップＳ４９に処理を進める。
［ステップＳ４６］音楽配信サーバ３３は、受信した第１の識別コードの「有効期限」の欄を参照し、「有効期限」の欄に記載された期日内であるかどうかを判定する。期日内であればステップＳ４７に処理を進め、期日内でなければステップＳ４９に処理を進める。
［ステップＳ４７］音楽配信サーバ３３は、受信した第１の識別コードの「目的」の欄に記載された特典に対応する付加データ（例えばボーナストラックなど）を発行する。また、音楽配信サーバ３３は、第１の識別コードをユーザが使用できる回数（使用可能回数）を管理しており、その使用可能回数が超えていない場合にのみ、特典を与えることができる。そして、音楽配信サーバ３３は、ステップＳ４８に処理を進める。
［ステップＳ４８］音楽配信サーバ３３は、楽曲を購入したユーザが更にＣＤなどのコンテンツを購入する際に特典を受けるための権利を示す第２の識別コードを発行し、ステップＳ４９に処理を進める。第２の識別コードの具体的な内容については後述する。
［ステップＳ４９］音楽配信サーバ３３は、ステップＳ４４で読込んだ楽曲データ、ステップＳ４７で発行した付加データ、及び第２の識別コード（発行された場合）を端末装置１０に送信する。
［ステップＳ５０］その後、音楽配信サーバ３３は、ユーザ毎に、そのユーザに提供した付加データを管理する。具体的には、音楽配信サーバ３３は、ユーザＩＤやパスワードなどのユーザ識別情報と、ユーザに提供した付加データの履歴とを関連付けたテーブルを用いることで、ユーザに提供した付加データを管理する。また、端末装置１０Ｘを特定するＩＤ（ニックネーム）と関連付けて管理することでもできる。これにより、特定のユーザ、または端末装置１０Ｘの特典の行使をコントロールすることができる。
［ステップＳ３５］端末装置１０Ｘでは、ステップＳ４９で音楽配信サーバから送信された楽曲データ、付加データ、及び第２の識別コードの受信後、付加データの内容に応じて第１の識別コードを処理する。たとえば、使用された第１の識別コードの削除等を行う。
例えば、音楽配信サーバ３３から端末装置１０Ｘ内部の当該第１の識別コードを無効とするか否かについての情報が、付加データで渡される。その場合、端末装置１０Ｘは、その情報に応じた処理を行う。
また、第１の識別コードの処理としては、第１の識別コードを無効とする以外にも、例えば、特典享受回数を指定回数分減らす処理がある。また、第１の識別コードを、特典を受ける前と同じ状態にするようにしてもよい。
次に、第２の識別コードの構成例について説明する。
図２１は、第２の識別コードの構成例である。図２１に示すように、第２の識別コード７０Ｘには、第１の識別コード６０と同様に、「発行者」の欄７０ａＸ、「目的」の欄７０ｂＸ、「有効な相手」の欄７０ｃＸ、「有効期限」の欄７０ｄＸ、及び「コードＩＤ」の欄７０ｅＸが設けられている。
「発行者」の欄７０ａＸには、第２の識別コード７０Ｘを発行するサービス業者を表す名称が設定される。ここでは、音楽配信サーバ３３によって提供される音楽配信サイト名（音楽配信サイトＢ）が設定される。
「目的」の欄７０ｂＸには、例えば特定のＣＤの割引など、音楽配信サーバ３３から楽曲を購入したユーザが更にＣＤなどのコンテンツを購入する際に、ユーザに対して提供される特典の内容が設定される。
「有効な相手」の欄７０ｃＸには、例えばＣＤショップＡなど、楽曲を購入したユーザが更にＣＤなどのコンテンツを購入する際に、ユーザに対して特典を提供するサービス業者を表す名称が設定される。この情報は、特典を提供するサービス業者と提供しないサービス業者とを識別するために用いられる。なお、同様の特典を提供する複数のサービス業者の名称を設定することもできる。このように、第１の識別コード６０Ｘの「有効な相手」の欄６０ｃＸに設定されるサービス業者と、第２の識別コード７０Ｘの「有効な相手」の欄７０ｃＸに設定されるサービス業者とをそれぞれ異なるサービス業者とすることで、サービス業者を連携させたサービスの利用向上を促進することが可能となる。
「有効期限」の欄７０ｄＸには、第２の識別コード７０Ｘにより特典を受けることができる期間の最終日が設定される。なお、有効期限が付加されてもよいし、付加されなくてもよい。
「コードＩＤ」の欄７０ｅＸには、発行された第２の識別コード７０Ｘを一意に識別するための番号が設定される。
ここで、ＣＤショップサーバ３４は上記「有効な相手」の欄７０ｃＸに設定されたＣＤショップＡによって運営されているものとすると、第２の識別コード７０Ｘを取得したユーザは、端末装置１０Ｘを通じてＣＤショップサーバ３４にアクセスし、このサーバが提供するサイト上でＣＤを購入することで、上記「目的」の欄７０ｂＸに記載された特典（例えば特定ＣＤの割引）を受けることができる。
また、第２の識別コードを可搬型の記録媒体に記録して、その記録媒体を店頭に持ち込むことで、店頭におけるＣＤ購入において特典を受けることも可能である。すなわち図１３に示したようにユーザは、端末装置１０Ｘに記憶されている第２の識別コードを、可搬型の記録媒体に記録する。例えば、半導体のメモリ８０に記録する。メモリ８０は、例えば、フラッシュメモリである。
ユーザは、識別コードが書き込まれたメモリ８０を持って、ＣＤショップ等の店頭に行く。そして、店内で第２の識別コードにより特典が受けられるＣＤ等を購入する際に、店員にメモリ８０を渡す。
店員は、店頭に備えられた店頭端末装置３９においてメモリ８０から識別コードを読取る。そして、ユーザに対するＣＤ等の販売に際し、第２の識別コードに応じた特典が与えられる。
なお、店頭端末装置３９のハードウェア構成は、図５に示した端末装置１０Ｘと同様のハードウェア構成で実現することができる。ただし、メディアドライブとしては、メモリ８０のリーダライタが必要である。また、店頭端末装置３９は、チューナ２７や赤外線通信部２８を備えてなくてもよい。
ところで、ユーザが購入した楽曲データには、中身のないトラックとしてダミートラックが付加されている。第２の識別コードは、音楽配信サーバ３３から送信される際、このダミートラックに格納されて送信される。
ユーザが第２の識別コードをメモリ８０に読込ませる際には、第２の識別コードが格納されたダミートラックをメモリ８０に読込ませる。このとき、第２の識別コードに対してメモリ８０への読込み回数の記録を行うことで、ダミートラックのチェックアウト回数を管理することができる。
店頭端末装置３９は、メモリ８０を読込んで所定の処理を行うことで、ユーザに第２の識別コードに記載された特典を提供することができる。
図２２は、店頭端末装置の処理手順を示すフローチャートである。以下、図２２に示す処理をステップ番号に沿って説明する。
［ステップＳ５１］店頭端末装置３９は、メモリ８０からダミートラックに格納された第２の識別コードを読込み、ステップＳ５２へ処理を進める。
［ステップＳ５２］店頭端末装置３９は、ユーザＩＤやパスワードなどのユーザ識別情報の入力を受付ける。
［ステップＳ５３］店頭端末装置３９は、ステップＳ５２で入力されたユーザ識別情報を基にユーザ認証を行う。ユーザ認証は、ネットワーク３０を介して接続された他のサーバに依頼することもできる。例えば、店頭端末装置３９は、ユーザから入力されたユーザ識別情報とを、ネットワーク３０を介して接続されたサーバ（例えば、ＣＤショップサーバ３４）に送信する。すると、サーバで認証処理が行われ、認証結果が店頭端末装置３９に返される。
［ステップＳ５４］店頭端末装置３９は、ユーザ認証に成功した場合、第２の識別コードに応じた特典を判定する。
［ステップＳ５５］店頭端末装置３９は、ＣＤの販売に応じた特典の提供を行う。例えば、追加コンテンツの提供であれば、その追加コンテンツをメモリ８０に書き込む。また、特定ＣＤの割引であれば、ＰＯＳ（Ｐｏｉｎｔ  Ｏｆ  Ｓａｌｅ）等の端末機能と連携し、特定ＣＤの販売額の割引処理を行う。
［ステップＳ５６］店頭端末装置３９は、メモリ８０に記録されたダミートラックのチェックアウト回数を調べ、所定回数に達していたら、第２の識別コードを消去する。このように、第２の識別コードをダミートラックに格納することで、ダミートラックのメモリ８０へのチェックアウト回数を制限することができ、著作権管理を有効に行うことが可能となる。
このようにすることにより、以前では不可能であった店頭での特典を受けることもできる。また、携帯用端末において、取得した第２の識別コードを表示できる装置を組み込み、これを店頭で表示することで、ＣＤショップでＣＤ購入の際に特典を受ける手段も考えられる。
以上のように、第１の識別コードの認証を受けて第２の識別コードを新たに発行することで、現在放送中の楽曲やオンエアーリストに登録された楽曲を購入したユーザは、更にＣＤなどのコンテンツを購入する際に特典を受けるための権利を得ることが可能となり、実際にＣＤショップサーバ３４にてＣＤを購入する際に、例えば特定ＣＤを割引で購入することができる。
また、第１の識別コードには、有効期限が設定されているため、サービスの提供期間を限定することができる。
なお上記の説明では、楽曲を購入したユーザが更にＣＤを購入する場合について説明したが、逆にＣＤを購入したユーザが楽曲を購入する場合についても、第１の識別コードと第２の識別コードとを用いることで、ＣＤを購入したユーザは、更に楽曲を購入する際に特典を受けるための権利を得ることができる。
また上記の説明では、音楽配信サーバ３３は、ユーザに発行した付加データをテーブルを用いてユーザ毎に管理するとしたが、さらに第１の識別コードの受信回数をユーザ毎に管理するようにしてもよい。これにより、例えばユーザが１つの識別コードを何回使用したのかを管理できるので、音楽配信サーバ３３において、識別コードの使用可能回数以上、特典を与えないように管理できる。また、端末装置１０Ｘから送信される第１の識別コードの数に応じた付加データを発行することが可能となり、楽曲購入の促進を図ることができる。
また、端末装置１０Ｘ及び各サーバの処理機能は、コンピュータによって実現することができる。その場合、端末装置１０Ｘ及び各サーバが有すべき機能の処理内容を記述したプログラムが提供される。そのプログラムをコンピュータで実行することにより、上記処理機能がコンピュータ上で実現される。処理内容を記述したプログラムは、コンピュータで読取り可能な記録媒体に記録しておくことができる。コンピュータで読み取り可能な記録媒体としては、磁気記録装置、光ディスク、光磁気記録媒体、半導体メモリなどがある。磁気記録装置には、ハードディスク装置（ＨＤＤ）、フレキシブルディスク（ＦＤ）、磁気テープなどがある。光ディスクには、ＤＶＤ、ＤＶＤ−ＲＡＭ、ＣＤ−ＲＯＭ、ＣＤ−Ｒ（Ｒｅｃｏｒｄａｂｌｅ）／ＲＷ（ＲｅＷｒｉｔａｂｌｅ）などがある。光磁気記録媒体には、ＭＯ（Ｍａｇｎｅｔｏ−Ｏｐｔｉｃａｌ  ｄｉｓｋ）などがある。
プログラムを流通させる場合には、例えば、そのプログラムが記録されたＤＶＤ、ＣＤ−ＲＯＭなどの可搬型記録媒体が販売される。また、プログラムをサーバコンピュータの記憶装置に格納しておき、ネットワークを介して、サーバコンピュータから他のコンピュータにそのプログラムを転送することもできる。
プログラムを実行するコンピュータは、例えば、可搬型記録媒体に記録されたプログラムもしくはサーバコンピュータから転送されたプログラムを、自己の記憶装置に格納する。そして、コンピュータは、自己の記憶装置からプログラムを読み取り、プログラムに従った処理を実行する。なお、コンピュータは、可搬型記録媒体から直接プログラムを読み取り、そのプログラムに従った処理を実行することもできる。また、コンピュータは、サーバコンピュータからプログラムが転送されるごとに、逐次、受け取ったプログラムに従った処理を実行することもできる。
（３）第３の実施の形態
次に第３の実施の形態として、図８や図１８で示したような放送中の楽曲の関連情報を提供するサービスや、図１２や図２０で示したような音楽配信サービスが、複数のサービスサーバのうちのひとつのサーバによりそれぞれ実現されるようなサービスシステムについて詳細に説明しておく。因みにこのサービスシステム（図２３に示す音楽関連サービス提供システム１０００）は、シングルサインオン機能を有している。図２３に示すクライアント端末１００２は、例えば上述の端末装置１０や端末装置１０Ｘに相当する。またネットワークＮＴ１０００は、例えば上述のネットワーク３０に相当する。またポータルサーバ１００３は、例えば上述の総合サービスサーバ３６に相当する。また音楽データ配信サーバ１００４は、例えば上述の音楽配信サーバ３３に相当する。また物販サーバ１００５は、例えば上述のＣＤショップサーバ３４に相当する。またラジオ放送情報配信サーバ１００６は、例えば上述の放送局サーバ３２に相当する。またインターネットラジオサーバ１００７は、例えば上述のインターネットラジオサーバ３５に相当する。
（３−１）システム構成
図２３において、１０００は全体として音楽関連サービス提供システムを示し、この音楽関連サービス提供システム１０００の運営業者と契約しているユーザのクライアント端末１００２と、当該クライアント端末１００２を管理するポータルサーバ１００３と、当該クライアント端末１００２に対して音楽に関する各種サービスを提供する複数のサーバ１００４乃至１００８とを有している。
この実施の形態の場合、音楽データ配信サーバ１００４は、ＡＴＲＡＣ３（Ａｄａｐｔｉｖｅ  Ｔｒａｎｓｆｏｒｍ  Ａｃｏｕｓｔｉｃ  Ｃｏｄｉｎｇ  ３）、ＡＡＣ（Ａｄｖａｎｃｅｄ  Ａｕｄｉｏ  Ｃｏｄｉｎｇ）、ＷＭＡ（Ｗｉｎｄｏｗｓ  Ｍｅｄｉａ  Ａｕｄｉｏ）、ＲｅａｌＡＵＤＩＯ  Ｇ２  Ｍｕｓｉｃ  Ｃｏｄｅｃ、ＭＰ３（ＭＰＥＧ  Ａｕｄｉｏ  Ｌａｙｅｒ−３）形式等でなる音楽データをクライアント端末１００２に配信する音楽データ配信サービスを提供する。
また物販サーバ１００５は、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）等をクライアント端末１００２を介してユーザに販売する物販サービスを提供する。
さらにラジオ放送情報配信サーバ１００６は、ラジオ局を介して放送されているラジオ放送のラジオ番組や音楽等についてのラジオ放送情報をクライアント端末１００２に配信するラジオ放送情報配信サービスを提供する。
さらにインターネットラジオサーバ１００７は、インターネットに相当するネットワークＮＴ１０００を介してラジオ放送データをストリーミング配信の形態でクライアント端末１００２に向けて放送するインターネットラジオ放送サービスを提供する。
これに加えて課金サーバ１００８は、ポータルサーバ１００３等からの要求に応じてユーザに対し様々な料金を課すための課金処理を実行するようになされている。
（３−２）クライアント端末１００２の構成
（３−２−１）クライアント端末１００２の機能回路ブロック構成
次にクライアント端末１００２の機能回路ブロックによるハードウェア構成を説明する。図２４に示すようにクライアント端末１００２は、その筐体表面やリモートコントローラ（図示せず）に設けられた各種操作ボタンでなる操作入力部１０２０がユーザによって操作されると、当該操作入力部１０２０でこれを認識し、当該操作に応じた操作入力信号を入力処理部１０２１に送出する。
入力処理部１０２１は、操作入力部１０２０から与えられる操作入力信号を特定の操作コマンドに変換しバス１０２２を介して制御部１０２３に送出する。
制御部１０２３は、バス１０２２を介して接続された各回路から与えられる操作コマンドや制御信号に基づいてこれら各回路の動作を制御する。
表示制御部１０２４は、バス１０２２を介して供給される映像データに対してディジタルアナログ変換処理を施し、その結果得られるアナログ映像信号を表示部１０２５に送出する。
表示部１０２５は、例えば液晶ディスプレイ等の表示デバイスであって、筐体表面に直接取り付けられている場合や外付けされている場合がある。
そして表示部１０２５は、制御部１０２３による処理結果や各種映像データが表示制御部１０２４を介してアナログ映像信号として供給されると、当該アナログ映像信号に基づく映像を表示する。
音声制御部１０２６は、バス１０２２を介して供給される音声データに対してディジタルアナログ変換処理を施し、その結果得られるアナログ音声信号をスピーカ１０２７に送出する。スピーカ１０２７は、音声制御部１０２６から供給されるアナログ音声信号に基づく音声を出力する。
外部記録媒体記録再生部１０２８は、ＣＤや、フラッシュメモリが外装ケースに内包されたメモリスティック（登録商標）等の外部記録媒体に記録されているコンテンツデータを読み出して再生し、又は当該外部記録媒体に対し記録対象のコンテンツデータを記録する記録再生部である。
外部記録媒体記録再生部１０２８は、外部記録媒体からコンテンツデータとして映像データを読み出したとき、当該読み出した映像データをバス１０２２を介して表示制御部１０２４に供給する。
これにより表示制御部１０２４は、外部記録媒体記録再生部１０２８により外部記録媒体からコンテンツデータとして読み出された映像データをアナログ映像信号に変換して表示部１０２５に供給する。
また外部記録媒体記録再生部１０２８は、外部記録媒体からコンテンツデータとして音声データを読み出したとき、当該読み出した音声データをバス１０２２を介して音声制御部１０２６に供給する。
これにより音声制御部１０２６は、外部記録媒体記録再生部１０２８により外部記録媒体からコンテンツデータとして読み出された音声データをアナログ音声信号に変換してスピーカ１０２７に供給する。
さらに制御部１０２３は、外部記録媒体記録再生部１０２８により外部記録媒体から読み出されたコンテンツデータをバス１０２２を介してクライアント端末１００２内部の記憶媒体１０２９に送出し、その記憶媒体１０２９に対して当該コンテンツデータを記憶する（以下、このようにコンテンツデータを記憶媒体１０２９に記憶することをリッピングと呼ぶ）ことができる。
そして制御部１０２３は、記憶媒体１０２９からコンテンツデータとしてイメージデータ又はビデオデータ等の映像データを読み出したときには、当該読み出した映像データをバス１０２２を介して表示制御部１０２４に供給する。
また制御部１０２３は、記憶媒体１０２９からコンテンツデータとしてオーディオデータ等の音声データを読み出したときには、当該読み出した音声データをバス１０２２を介して音声制御部１０２６に供給する。
これに加えて制御部１０２３は、記憶媒体１０２９から音楽データを読み出して外部記録媒体記録再生部１０２８に転送することにより当該外部記録媒体記録再生部１０２８により外部記録媒体に対しその音楽データを記録させることもできる。
放送信号受信部１０３０は、各ラジオ局から送信されるラジオ放送波を受信し、チューナ部１０３１に供給する。
チューナ部１０３１は、制御部１０２３の制御のもと、放送信号受信部１０３０を介して受信されたラジオ放送波の中から例えば操作入力部１０２０を介して指定されたラジオ局に対応する放送周波数のラジオ放送信号を抽出して所定の受信処理を施し、この結果得られる音声データをバス１０２２を介して音声制御部１０２６に送出する。
音声制御部１０２６は、チューナ部１０３１から与えられた音声データをアナログ音声信号に変換してスピーカ１０２７に送出することにより、当該スピーカ１０２７からラジオ局で放送されているラジオ番組の番組音声を出力させ、かくしてユーザに対しラジオ番組の番組音声を聴取させることができる。
また制御部１０２３は、チューナ部１０３１で得られた音声データを記憶媒体１０２９に送出して記憶することにより、ラジオ番組の番組音声を録音することもできる。
さらに制御部１０２３は、通信制御部１０３２及びネットワークインタフェース１０３３を順次介してネットワークＮＴ１０００に接続し、当該ネットワークＮＴ１０００上のポータルサーバ１００３やその他サーバ１００４乃至１００７にアクセスすることができ、これによりポータルサーバ１００３やその他サーバ１００４乃至１００７との間で各種情報や各種データを送受信する。
エンコーダ／デコーダ部１０３４は、ネットワークＮＴ１０００からネットワークインタフェース１０３３及び通信制御部１０３２を順次介して受信された圧縮符号化されているコンテンツデータ、あるいは記憶媒体１０２９や外部記録媒体から読み出された圧縮符号化されているコンテンツデータを復号し表示制御部１０２４や音声制御部１０２６に送出する。
またエンコーダ／デコーダ部１０３４は、外部記録媒体から読み出された圧縮符号化されてはいないコンテンツデータや、チューナ部１０３１から与えられる音声データ等を圧縮符号化し、当該圧縮符号化したコンテンツデータを記憶媒体１０２９に送出する。
これによりエンコーダ／デコーダ部１０３４で圧縮符号化されたコンテンツデータは、制御部１０２３の制御のもと記憶媒体１０２９に記憶される。
著作権管理部１０３５は、ネットワークＮＴ１０００からネットワークインタフェース１０３３及び通信制御部１０３２を順次介してダウンロードされるコンテンツデータに対応する著作権管理情報や、外部記録媒体記録再生部１０２８により外部記録媒体から読み出されたコンテンツデータに対応する著作権管理情報を生成する。
著作権管理部１０３５で生成された著作権管理情報は、制御部１０２３の制御のもとにコンテンツデータと対応付けられて記憶媒体１０２９に登録される。
また著作権管理部１０３５は、記憶媒体１０２９と特定の外部記録媒体との間で著作権管理情報を対応付けたコンテンツデータをチェックアウトするときや、当該特定の外部記録媒体と記憶媒体１０２９との間で当該著作権管理情報を対応付けたコンテンツデータをチェックインするときに、当該コンテンツデータに対応する著作権管理情報の内容を適切に更新することにより、そのコンテンツデータに対する著作権を保護する。
ページ情報生成部１０３６は、ネットワークＮＴ１０００からネットワークインタフェース１０３３及び通信制御部１０３２を順次介して受信されたＸＭＬ（ｅＸｔｅｎｓｉｂｌｅ  Ｍａｒｋｕｐ  Ｌａｎｇｕａｇｅ）ファイル、あるいはＨＴＭＬ（Ｈｙｐｅｒ  Ｔｅｘｔ  Ｍａｒｋｕｐ  ｌａｎｇｕａｇｅ）ファイル等のページ情報を解釈して表示部１０２５に表示するための映像データを生成し、当該生成した映像データを表示制御部１０２４に送出する。
認証処理部１０３７は、ネットワークインタフェース１０３３を介して接続されるネットワークＮＴ１０００上のポータルサーバ１００３やその他サーバ１００４乃至１００７に対し認証情報を通信制御部１０３２及びネットワークインタフェース１０３３を順次介して送信する等の認証処理を実行する。
認証情報記憶部１０３８は、認証処理部１０３７がポータルサーバ１００３やその他サーバ１００４乃至１００７に対しアクセスするときに必要となる認証情報を記憶する。
ラジオ放送表示制御部１０３９は、現在、ユーザによる聴取用に受信中のラジオ放送に関するラジオ放送情報を要求するための要求信号を通信制御部１０３２及びネットワークインタフェース１０３３を順次介して、当該受信中のラジオ放送を放送しているラジオ局に対応するラジオ放送情報配信サーバ１００６に送信する。
その結果、ラジオ放送表示制御部１０３９は、ネットワークＮＴ１０００上のラジオ放送情報配信サーバ１００６から送信されたラジオ放送情報をネットワークインタフェース１０３３及び通信制御部１０３２を順次介して受信すると共に、当該受信したラジオ放送情報を表示制御部１０２４に送出することにより表示部１０２５に対し、現在受信中のラジオ番組の番組名や、当該受信中の楽曲のタイトル及びアーティスト名等からなるラジオ放送情報を表示させる。
（３−２−２）ディレクトリ管理
クライアント端末１００２の制御部１０２３は、記憶媒体１０２９に対して記憶するコンテンツデータを、図２５に示すディレクトリ構成で管理する。まず「ｒｏｏｔ」ディレクトリの下層に対しては、規定範囲内での任意の数の「ｆｏｌｄｅｒ」ディレクトリが作成される。この「ｆｏｌｄｅｒ」ディレクトリは、例えばコンテンツが属するジャンル、又は所有ユーザ等に対応して作成される。
この「ｆｏｌｄｅｒ」ディレクトリの下層には、規定範囲内での任意の数の「ａｌｂｕｍ」ディレクトリが作成され、当該「ａｌｂｕｍ」ディレクトリは例えば１つのアルバムタイトル毎に対応するようになされている。この「ａｌｂｕｍ」ディレクトリの下層においては、その「ａｌｂｕｍ」ディレクトリに属するとされる１以上の「ｔｒａｃｋ」ファイルが格納され、この「ｔｒａｃｋ」ファイルが１つの楽曲すなわちコンテンツとなるものである。
このようなコンテンツデータについてのディレクトリ管理は、記憶媒体１０２９に記憶されているデータベースファイルによって行われる。
（３−３）ポータルサーバ１００３の機能回路ブロック構成
次に、図２６を用いてポータルサーバ１００３の機能回路ブロックによるハードウェア構成を説明する。ポータルサーバ１００３内の制御部１０５０は、バス１０５１を介して接続される各回路の動作を制御する。
通信制御部１０５２は、制御部１０５０の制御のもと、ネットワークインタフェース１０５３を介してクライアント端末１００２やその他サーバ１００４乃至１００８と各種情報を送受信する。
顧客データベース部１０５４には、音楽関連サービス提供システム１０００の運営業者とすでに契約を完了しているユーザのユーザＩＤ（Ｉｄｅｎｔｉｆｉ−ｃａｔｉｏｎ）情報とパスワード情報とが対応付けられて顧客情報として登録されている。
ページ情報記憶部１０５５には、音楽関連サービス提供システム１０００の運営業者が管理するページ情報等が記憶されている。
なおページ情報は、ＸＭＬ等の言語によって記述されており、音楽データ配信サーバ１００４、物販サーバ１００５、ラジオ放送情報配信サーバ１００６及びインターネットラジオサーバ１００７等にアクセスするためのＵＲＬ（Ｕｎｉ−ｆｏｒｍ  Ｒｅｓｏｕｒｃｅ  Ｌｏｃａｔｏｒ）情報を含んでいる。
認証処理部１０５６は、クライアント端末１００２から送信されたユーザＩＤ情報及びパスワード情報をネットワークインタフェース１０５３及び通信制御部１０５２を順次介して受信すると、ユーザ認証処理として、当該受信したユーザＩＤ情報及びパスワード情報が顧客データベース部１０５４に顧客情報として登録されているか否かを確認する。
そして認証処理部１０５６は、ユーザ認証処理を終了すると、当該ユーザ認証処理の結果を示したポータル認証結果情報（後述する認証セッションＩＤ情報）を発行し、当該発行したポータル認証結果情報を認証情報記憶部１０５７に一時記憶する。
このとき制御部１０５０は、認証処理部１０５６によるユーザ認証処理の結果、ユーザが正規ユーザであると認証されると、ページ情報記憶部１０５５に記憶されている契約者用のページ情報をポータル認証結果情報と共に通信制御部１０５２及びネットワークインタフェース１０５３を順次介してクライアント端末１００２に送信する。
なお制御部１０５０は、認証処理部１０５６によるユーザ認証処理の結果、ユーザが正規ユーザであると認証されなかったときには、認証エラー情報を、ページ情報記憶部１０５５に記憶されている認証の失敗を示す認証失敗通知ページ情報と共に通信制御部１０５２及びネットワークインタフェース１０５３を順次介してクライアント端末１００２に送信するように構成しても良い。
また認証処理部１０５６は、音楽データ配信サーバ１００４、物販サーバ１００５及びラジオ放送情報配信サーバ１００６からユーザに対する認証処理が実行された結果、当該ユーザのクライアント端末１００２から取得して送信されるポータル認証結果情報（後述する認証チケット）をネットワークインタフェース１０５３及び通信制御部１０５２を順次介して受信すると、当該受信したポータル認証結果情報と、認証情報記憶部１０５７に一時記憶していた当該ユーザに対応するポータル認証結果情報とを比較する。
これにより認証処理部１０５６は、音楽データ配信サーバ１００４、物販サーバ１００５及びラジオ放送情報配信サーバ１００６から受信したポータル認証結果情報に対する認証処理として、正規のポータル認証結果情報であるか否かを確認する確認処理を実行し、その確認結果を示す確認結果情報を通信制御部１０５２及びネットワークインタフェース１０５３を順次介して当該音楽データ配信サーバ１００４、物販サーバ１００５及びラジオ放送情報配信サーバ１００６に返信する。
周波数情報記憶部１０５８には、地域を特定可能な郵便番号等の地域コードと、その地域コードの示す地域で受信可能なラジオ放送の放送周波数を示す周波数情報、当該ラジオ放送を放送するラジオ局の名称（以下、これをラジオ局名と呼ぶ）及び当該ラジオ局毎のユニークな識別情報であるコールサインとが対応付けられて記憶されている。
ＵＲＬ記憶部１０５９には、ラジオ放送用のラジオ局毎のコールサインと、当該コールサインに対応するラジオ局で提供する現在放送中のラジオ番組に関し当該ラジオ番組の番組名やそのラジオ番組内で現時点に流されている楽曲のタイトル等からなるラジオ放送情報（以下、これを特にナウオンエア情報と呼ぶ）を取得可能なＵＲＬ情報とが対応付けられて記憶されている。
（３−４）音楽データ配信サーバ１００４の機能回路ブロック構成
次に、図２７を用いて音楽データ配信サーバ１００４の機能回路ブロックによるハードウェア構成を説明する。音楽データ配信サーバ１００４内の制御部１０７０は、バス１０７１を介して接続される各回路の動作を制御する。
通信制御部１０７２は、制御部１０７０の制御のもと、ネットワークインタフェース１０７３を介してクライアント端末１００２やポータルサーバ１００３等と各種情報や、コンテンツデータ等の各種データを送受信する。
顧客データベース部１０７４には、音楽データ配信サーバ１００４の運営業者とすでに契約を完了しているユーザのユーザＩＤ情報とパスワード情報とが対応付けられて顧客情報として登録されている。ただし認証処理部１０７５が、クライアント端末１００２から送信される、ポータルサーバ１００３によって発行されたポータル認証結果情報に基づいてユーザを認証処理する機能を有する場合には、顧客データベース部１０７４を設けなくてもよい。
ページ情報記憶部１０７６には、音楽データ配信サーバ１００４が管理する、ダウンロード可能な音楽データを紹介する音楽データ配信用のページ情報等が記憶されている。
因みに音楽データ配信用のページ情報は、ＸＭＬ等の言語によって記述されており、クライアント端末１００２を利用するユーザに対してダウンロードを希望する音楽データを選択させることができる。
そして制御部１０７０は、クライアント端末１００２から送信される、音楽データ配信用のページ情報を要求するページ情報取得要求信号をネットワークインタフェース１０７３及び通信制御部１０７２を順次介して受信すると、当該受信したページ情報取得要求信号に応じて、ページ情報記憶部１０７６に記憶された音楽データ配信用のページ情報を通信制御部１０７２及びネットワークインタフェース１０７３を順次介してクライアント端末１００２に送信する。
認証処理部１０７５は、クライアント端末１００２から送信される、当該クライアント端末１００２を利用するユーザのユーザＩＤ情報及びパスワード情報をネットワークインタフェース１０７３及び通信制御部１０７２を順次介して受信すると、ユーザ認証処理として、当該受信したユーザＩＤ情報及びパスワード情報が顧客データベース部１０７４に顧客情報として登録されているか否かを確認する。
また認証処理部１０７５は、ユーザＩＤ情報及びパスワード情報を用いるユーザ認証処理とは異なるユーザ認証手法として、クライアント端末１００２から送信される、ポータルサーバ１００３で発行されたポータル認証結果情報（後述する認証チケット）をネットワークインタフェース１０７３及び通信制御部１０７２を順次介して受信し、当該受信したポータル認証結果情報を通信制御部１０７２及びネットワークインタフェース１０７３を順次介してポータルサーバ１００３に送信する。
そして認証処理部１０７５は、ポータルサーバ１００３へのポータル認証結果情報の送信に応じて、当該ポータルサーバ１００３からそのポータル認証結果情報に対する認証処理（すなわち、上述の確認処理）が実行された結果返信される確認結果情報をネットワークインタフェース１０７３及び通信制御部１０７２を順次介して受信し、当該受信した確認結果情報に基づいてユーザが音楽関連サービス提供システム１０００の運営業者とすでに契約を完了している正規ユーザであるか否かを確認する。
このようにして認証処理部１０７５は、ユーザ認証処理が終了すると、そのユーザ認証処理の結果を示したサーバ認証結果情報（後述するサービスセッションＩＤ情報）を発行する。
このとき制御部１０７０は、認証処理部１０７５によるユーザ認証処理の結果、ユーザが正規ユーザであると認証されると、ページ情報記憶部１０７６に契約者用として記憶されている音楽データ配信用のページ情報をサーバ認証結果情報と共に通信制御部１０７２及びネットワークインタフェース１０７３を順次介してクライアント端末１００２に送信する。
これに対して制御部１０７０は、認証処理部１０７５によるユーザ認証処理の結果、ユーザが正規ユーザであると認証されなかったときには、認証エラー情報を、ページ情報記憶部１０７６に記憶されている認証の失敗を示す認証失敗通知ページ情報と共に通信制御部１０７２及びネットワークインタフェース１０７３を順次介してクライアント端末１００２に送信する。
ところで認証情報記憶部１０７７には、認証処理部１０７５により発行されたサーバ認証結果情報が一時記憶されると共に、当該認証処理部１０７５により、クライアント端末１００２を利用するユーザをユーザ認証処理するときに必要とされる各種認証情報が記憶されている。
音楽データ記憶部１０７８には、上述のＡＴＲＡＣ３形式やＭＰ３形式等で圧縮符号化された複数の音楽データが各々のコンテンツＩＤ情報等の検索キーと対応付けられて記憶されている。
検索部１０７９は、クライアント端末１００２に対し音楽データ配信用のページ情報が送信された結果、当該クライアント端末１００２から送信される、ダウンロード希望の音楽データ検索用の検索キーが格納されそのダウンロード希望の音楽データをダウンロード要求するダウンロード要求信号がネットワークインタフェース１０７３及び通信制御部１０７２を順次介して受信されると、当該受信されたダウンロード要求信号からその検索キーを取り出す。
そして検索部１０７９は、かかる検索キーに基づいて、音楽データ記憶部１０７８内の複数の音楽データの中から当該検索キーの示す検索条件に該当するダウンロード希望の音楽データを検索する。
これにより制御部１０７０は、その検索されたダウンロード希望の音楽データを通信制御部１０７２及びネットワークインタフェース１０７３を順次介してクライアント端末１００２に送信する。
また制御部１０７０は、このときクライアント端末１００２への音楽データのダウンロードに伴うユーザに対する課金処理用の課金情報を通信制御部１０７２及びネットワークインタフェース１０７３を順次介して課金サーバ１００８に送信することにより、課金サーバ１００８に対し当該ユーザに対する音楽データのダウンロードに応じた課金処理を実行させる。
（３−５）物販サーバ１００５の機能回路ブロック構成
次に、図２８を用いて物販サーバ１００５の機能回路ブロックによるハードウェア構成を説明する。物販サーバ１００５内の制御部１０９０は、バス１０９１を介して接続される各回路の動作を制御する。
通信制御部１０９２は、制御部１０９０の制御のもと、ネットワークインタフェース１０９３を介してクライアント端末１００２やポータルサーバ１００３等と各種情報を送受信する。
顧客データベース部１０９４には、物販サーバ１００５の運営業者とすでに契約を完了しているユーザのユーザＩＤ情報とパスワード情報とが対応付けられて顧客情報として登録されている。ただし認証処理部１０９５が、クライアント端末１００２から送信される、ポータルサーバ１００３によって発行されたポータル認証結果情報に基づいてユーザを認証処理する機能を有する場合には、顧客データベース部１０９４を設けなくてもよい。
ページ情報記憶部１０９６には、物販サーバ１００５が管理する、販売対象のＣＤやＤＶＤ等のパッケージメディアを紹介するパッケージメディア販売用のページ情報等が記憶されている。
因みにパッケージメディア販売用のページ情報は、ＸＭＬ等の言語によって記述されており、クライアント端末１００２を利用するユーザに対して購入を希望するＣＤやＤＶＤ等のパッケージメディアを選択させることができる。
そして制御部１０９０は、クライアント端末１００２から送信される、パッケージメディア販売用のページ情報を要求するページ情報取得要求信号をネットワークインタフェース１０９３及び通信制御部１０９２を順次介して受信すると、当該受信したページ情報取得要求信号に応じて、ページ情報記憶部１０９６に記憶されたパッケージメディア販売用のページ情報を通信制御部１０９２及びネットワークインタフェース１０９３を順次介してクライアント端末１００２に送信する。
認証処理部１０９５は、クライアント端末１００２から送信される、当該クライアント端末１００２を利用するユーザのユーザＩＤ情報及びパスワード情報をネットワークインタフェース１０９３及び通信制御部１０９２を順次介して受信すると、ユーザ認証処理として、当該受信したユーザＩＤ情報及びパスワード情報が顧客データベース部１０９４に顧客情報として登録されているか否かを確認する。
また認証処理部１０９５は、ユーザＩＤ情報及びパスワード情報を用いるユーザ認証処理とは異なるユーザ認証手法として、クライアント端末１００２から送信される、ポータルサーバ１００３で発行されたポータル認証結果情報（後述する認証チケット）をネットワークインタフェース１０９３及び通信制御部１０９２を順次介して受信し、当該受信したポータル認証結果情報を通信制御部１０９２及びネットワークインタフェース１０９３を順次介してポータルサーバ１００３に送信する。
そして認証処理部１０９５は、ポータルサーバ１００３へのポータル認証結果情報の送信に応じて、当該ポータルサーバ１００３からそのポータル認証結果情報に対する認証処理（すなわち、上述の確認処理）が実行された結果返信される確認結果情報をネットワークインタフェース１０９３及び通信制御部１０９２を順次介して受信し、当該受信した確認結果情報に基づいてユーザが音楽関連サービス提供システム１０００の運営業者とすでに契約を完了している正規ユーザであるか否かを確認する。
このようにして認証処理部１０９５は、ユーザ認証処理が終了すると、そのユーザ認証処理の結果を示したサーバ認証結果情報（後述するサービスセッションＩＤ情報）を発行する。
このとき制御部１０９０は、認証処理部１０９５によるユーザ認証処理の結果、ユーザが正規ユーザであると認証されると、ページ情報記憶部１０９６に契約者用として記憶されているパッケージメディア販売用のページ情報をサーバ認証結果情報と共に通信制御部１０９２及びネットワークインタフェース１０９３を順次介してクライアント端末１００２に送信する。
これに対して制御部１０９０は、認証処理部１０９５によるユーザ認証処理の結果、ユーザが正規ユーザであると認証されなかったときには、認証エラー情報を、ページ情報記憶部１０９６に記憶されている認証の失敗を示す認証失敗通知ページ情報と共に通信制御部１０９２及びネットワークインタフェース１０９３を順次介してクライアント端末１００２に送信する。
ところで認証情報記憶部１０９７には、認証処理部１０９５により発行されたサーバ認証結果情報が一時記憶されると共に、当該認証処理部１０９５により、クライアント端末１００２を利用するユーザをユーザ認証処理するときに必要とされる各種認証情報が記憶されている。
パッケージメディア情報記憶部１０９８には、販売対象のＣＤやＤＶＤ等の複数のパッケージメディアに関する情報（以下、これをパッケージメディア情報と呼ぶ）が各々のパッケージメディアＩＤ情報等の検索キーと対応付けられて記憶されている。
検索部１０９９は、クライアント端末１００２に対しパッケージメディア販売用のページ情報が送信された結果、当該クライアント端末１００２から送信される、特定のＣＤやＤＶＤ等のパッケージメディアに関するパッケージメディア情報を要求するメディア情報要求信号がネットワークインタフェース１０９３及び通信制御部１０９２を順次介して受信されると、当該受信されたメディア情報要求信号から当該特定のパッケージメディア検索用の検索キーを取り出す。
そして検索部１０９９は、かかる検索キーに基づいて、パッケージメディア情報記憶部１０９８内の複数のパッケージメディア情報の中から当該検索キーの示す検索条件に該当する特定のパッケージメディアのパッケージメディア情報を検索する。
これにより制御部１０９０は、その検索されたパッケージメディア情報を通信制御部１０９２及びネットワークインタフェース１０９３を順次介してクライアント端末１００２に送信し、かくしてユーザに対し特定のパッケージメディアに関するパッケージメディア情報を提示する。
その結果、制御部１０９０は、クライアント端末１００２から送信される、上述の特定のパッケージメディアを購入要求する購入要求信号をネットワークインタフェース１０９３及び通信制御部１０９２を順次介して受信すると、当該クライアント端末１００２を利用するユーザへの当該特定のパッケージメディアの引き渡し手続等の購入処理を実行する。
また制御部１０９０は、特定のパッケージメディアの購入に伴うユーザに対する課金処理用の課金情報を通信制御部１０９２及びネットワークインタフェース１０９３を順次介して課金サーバ１００８に送信することにより、課金サーバ１００８に対し当該ユーザに対する特定のパッケージメディアの購入に応じた課金処理を実行させる。
さらに制御部１０９０は、課金サーバ１００８によるユーザに対する課金処理が完了すると、パッケージメディアの購入処理が完了したことを示す購入完了ページ情報を通信制御部１０９２及びネットワークインタフェース１０９３を順次介してクライアント端末１００２に送信する。
（３−６）ラジオ放送情報配信サーバ１００６の機能回路ブロック構成
次に、図２９を用いてラジオ放送情報配信サーバ１００６の機能回路ブロックによるハードウェア構成を説明する。ラジオ放送情報配信サーバ１００６内の制御部１１１０は、バス１１１１を介して接続される各回路の動作を制御する。
通信制御部１１１２は、制御部１１１０の制御のもと、ネットワークインタフェース１１１３を介してクライアント端末１００２やポータルサーバ１００３等と各種情報を送受信する。
顧客データベース部１１１４には、ラジオ放送情報配信サーバ１００６の運営業者とすでに契約を完了しているユーザのユーザＩＤ情報とパスワード情報とが対応付けられて顧客情報として登録されている。ただし認証処理部１１１５が、クライアント端末１００２から送信される、ポータルサーバ１００３によって発行されたポータル認証結果情報に基づいてユーザを認証処理する機能を有する場合には、顧客データベース部１１１４を設けなくてもよい。
ページ情報記憶部１１１６には、ラジオ放送情報配信サーバ１００６が管理し、当該ラジオ放送情報配信サーバ１００６に対応するラジオ局によってすでに放送されたラジオ番組に関するラジオ放送情報（以下、これを特にオンエアリスト情報と呼ぶ）の取得に利用させるオンエアリスト情報配信用のページ情報等が記憶されている。
因みにオンエアリスト情報配信用のページ情報は、ＸＭＬ等の言語によって記述され、クライアント端末１００２を利用するユーザに対し、ラジオ番組の放送日時情報や番組名等を、取得希望のオンエアリスト情報に対する検索キーとして入力させるための入力ボックス等が設けられている。
オンエアリスト情報記憶部１１１７には、ラジオ放送情報配信サーバ１００６に対応するラジオ局ですでに放送されたラジオ番組に対する番組名、番組放送開始時刻及び番組放送終了時刻等と、当該ラジオ番組内で流された楽曲に対するタイトル、アーティスト名、楽曲放送開始時刻等とをリスト化して生成されたオンエアリスト情報が記憶されている。
そして制御部１１１０は、クライアント端末１００２から送信される、オンエアリスト情報配信用のページ情報を要求するページ情報取得要求信号をネットワークインタフェース１１１３及び通信制御部１１１２を順次介して受信すると、当該受信したページ情報取得要求信号に応じて、ページ情報記憶部１１１６に記憶されたオンエアリスト情報配信用のページ情報を通信制御部１１１２及びネットワークインタフェース１１１３を順次介してクライアント端末１００２に送信する。
その結果、検索部１１１８は、クライアント端末１００２からオンエアリスト情報配信用のページ情報上で入力された取得希望のオンエアリスト情報検索用の検索キーが格納されオンエアリスト情報をダウンロード要求するオンエアリスト情報要求信号が送信されることにより、そのオンエアリスト情報要求信号をネットワークインタフェース１１１３及び通信制御部１１１２を順次介して受信すると、当該受信したオンエアリスト情報要求信号から検索キーを取り出す。
そして検索部１１１８は、かかる検索キーに基づいて、オンエアリスト情報記憶部１１１７内のオンエアリスト情報全体に対し当該検索キーの示す検索条件に該当する所定範囲部分を取得希望のオンエアリスト情報として検索する。
これにより制御部１１１０は、その検索された取得希望のオンエアリスト情報を通信制御部１１１２及びネットワークインタフェース１１１３を順次介してクライアント端末１００２に送信する。
またナウオンエア情報記憶部１１１９には、ラジオ放送情報配信サーバ１００６に対応するラジオ局で現在放送中のラジオ番組に対する番組名、番組放送開始時刻、番組放送終了時刻、当該ラジオ番組内で現時点に流されている楽曲に対するタイトル、アーティスト名、楽曲放送開始時刻等からなるナウオンエア情報が記憶されている。
そして認証処理部１１１５は、クライアント端末１００２からナウオンエア情報を取得要求するナウオンエア情報要求信号と共に送信される、当該クライアント端末１００２を利用するユーザのユーザＩＤ情報及びパスワード情報をネットワークインタフェース１１１３及び通信制御部１１１２を順次介して受信すると、ユーザ認証処理として、当該受信したユーザＩＤ情報及びパスワード情報が顧客データベース部１１１４に顧客情報として登録されているか否かを確認する。
また認証処理部１１１５は、ユーザＩＤ情報及びパスワード情報を用いるユーザ認証処理とは異なるユーザ認証手法として、クライアント端末１００２から送信される、ポータルサーバ１００３で発行されたポータル認証結果情報（後述する認証チケット）をネットワークインタフェース１１１３及び通信制御部１１１２を順次介して受信し、当該受信したポータル認証結果情報を通信制御部１１１２及びネットワークインタフェース１１１３を順次介してポータルサーバ１００３に送信する。
そして認証処理部１１１５は、ポータルサーバ１００３へのポータル認証結果情報の送信に応じて、当該ポータルサーバ１００３からそのポータル認証結果情報に対する認証処理（すなわち、上述の確認処理）が実行された結果返信される確認結果情報をネットワークインタフェース１１１３及び通信制御部１１１２を順次介して受信し、当該受信した確認結果情報に基づいてユーザが音楽関連サービス提供システム１０００の運営業者とすでに契約を完了している正規ユーザであるか否かを確認する。
このようにして認証処理部１１１５は、ユーザ認証処理が終了すると、そのユーザ認証処理の結果を示したサーバ認証結果情報（後述するサービスセッションＩＤ情報）を発行する。
このとき制御部１１１０は、認証処理部１１１５によるユーザ認証処理の結果、ユーザが正規ユーザであると認証されると、ナウオンエア情報記憶部１１１９に記憶されているナウオンエア情報をサーバ認証結果情報と共に通信制御部１１１２及びネットワークインタフェース１１１３を順次介してクライアント端末１００２に送信する。
これに対して制御部１１１０は、認証処理部１１１５によるユーザ認証処理の結果、ユーザが正規ユーザであると認証されなかったときには、認証エラー情報を、ページ情報記憶部１１１６に記憶されている認証の失敗を示す認証失敗通知ページ情報と共に通信制御部１１１２及びネットワークインタフェース１１１３を順次介してクライアント端末１００２に送信する。
このようにして制御部１１１０は、ユーザからナウオンエア情報の取得が要求されたとき、当該ユーザを正規ユーザであると認証したときには、ナウオンエア情報を配信するものの、ユーザを正規ユーザであると認証することができなかったときには、そのユーザに対してナウオンエア情報の配信サービスのようなラジオ放送情報配信サーバ１００６が提供するラジオ放送情報配信サービスを受けさせないようにしている。
ところで認証情報記憶部１１２０には、認証処理部１１１５により発行されたサーバ認証結果情報が一時記憶されると共に、当該認証処理部１１１５により、クライアント端末１００２を利用するユーザをユーザ認証処理するときに必要とされる各種認証情報が記憶されている。
（３−７）各サーバの処理概要
次に図３０乃至図３５に示すシーケンスチャートを用いて、クライアント端末１００２とポータルサーバ１００３との間で実行される処理や、クライアント端末１００２とその他の音楽データ配信サーバ１００４、物販サーバ１００５及びラジオ放送情報配信サーバ１００６との間で実行される処理の概要を説明する。
（３−７−１）クライアント端末１００２及びポータルサーバ１００３間のユーザ認証処理手順
まず図３０を用いて、クライアント端末１００２とポータルサーバ１００３との間で実行されるユーザ認証処理手順について説明する。
音楽関連サービス提供システム１０００の運営業者と契約しているユーザのクライアント端末１００２において制御部１０２３は、例えばクライアント端末１００２に対して電源を投入する操作が行われ、又はユーザにより操作入力部１０２０の特定の操作ボタンが押下されたことに応じてその操作入力部１０２０で認識された操作入力信号が入力処理部１０２１で操作コマンドに変換されて与えられると、認証要求処理を開始する。
クライアント端末１００２で認証要求処理を開始すると、ステップＳＰ１０００において、制御部１０２３は、認証情報記憶部１０３８に対し予め一時記憶している認証セッションＩＤ情報等を格納した接続要求信号を生成し、当該生成した接続要求信号を通信制御部１０３２及びネットワークインタフェース１０３３を順次介してポータルサーバ１００３に送信する。
因みに認証セッションＩＤ情報は、クライアント端末１００２とポータルサーバ１００３とがユーザ認証処理等の各種処理の実行用に通信接続する毎に、個々の通信接続状態（すなわち、セッション）の識別用としてポータルサーバ１００３によって発行される識別情報である。
なおかかる認証セッションＩＤ情報については、ユーザ認証処理等に利用するうえで、ポータルサーバ１００３による発行時点を基準とした所定の有効期限（例えば１分程度）が設定されている。
従ってポータルサーバ１００３から認証セッションＩＤ情報を取得したクライアント端末１００２は、その認証セッションＩＤ情報を有効期限以内にポータルサーバ１００３に対して提示することができない場合、ポータルサーバ１００３により、当該認証セッションＩＤ情報で特定される通信接続状態が切断されたと判断される。
これによりポータルサーバ１００３は、過去に発行した認証セッションＩＤ情報が、音楽関連サービス提供システム１０００の運営業者と契約してはいないユーザによりユーザ認証処理等に対し不当に利用されることを防止している。
また認証情報記憶部１０３８に一時記憶されている認証セッションＩＤ情報は、クライアント端末１００２とポータルサーバ１００３とが以前にユーザ認証処理等の実行用に通信接続したとき、そのポータルサーバ１００３によって発行されたものである。
クライアント端末１００２から接続要求信号が送信されると、これに応じてステップＳＰ１００１においてポータルサーバ１００３の制御部１０５０は、ネットワークインタフェース１０５３及び通信制御部１０５２を順次介してその接続要求信号を受信し、当該受信した接続要求信号に格納されている認証セッションＩＤ情報等を認証処理部１０５６に送出する。
そして認証処理部１０５６は、制御部１０５０の制御のもと、クライアント端末１００２から接続要求信号として受信された認証セッションＩＤ情報等に基づいてユーザ認証処理を実行する。
その結果、制御部１０５０は、認証処理部１０５６により、クライアント端末１００２から受信した認証セッションＩＤ情報等の有効期限が切れる等して、当該クライアント端末１００２を利用するユーザを正規ユーザであると認証することができなかったときには、認証エラーを示す認証エラー情報を通信制御部１０５２及びネットワークインタフェース１０５３を順次介してクライアント端末１００２に送信する。
ステップＳＰ１００２において、クライアント端末１００２の制御部１０２３は、ポータルサーバ１００３から送信された認証エラー情報をネットワークインタフェース１０３３及び通信制御部１０３２を順次介して受信すると、これに応じて認証情報記憶部１０３８に記憶しているユーザＩＤ情報及びパスワード情報等を読み出し、当該読み出したユーザＩＤ情報及びパスワード情報等を通信制御部１０３２及びネットワークインタフェース１０３３を順次介してポータルサーバ１００３に送信する。
ステップＳＰ１００３において、ポータルサーバ１００３の制御部１０５０は、クライアント端末１００２から送信されたユーザＩＤ情報及びパスワード情報等をネットワークインタフェース１０５３及び通信制御部１０５２を順次介して受信し、当該受信したユーザＩＤ情報及びパスワード情報等を認証処理部１０５６に送出する。
これにより認証処理部１０５６は、制御部１０５０の制御のもとにユーザ認証処理として、そのクライアント端末１００２から受信されたユーザＩＤ情報及びパスワード情報等が、顧客データベース部１０５４に登録されている顧客情報に含まれているか否かを検出する。
その結果、認証処理部１０５６は、クライアント端末１００２を利用するユーザを正規ユーザであると認証すると、制御部１０５０の制御のもとにポータル認証結果情報として、現時点のクライアント端末１００２とポータルサーバ１００３との通信接続状態に対する認証セッションＩＤ情報等を発行すると共に、当該クライアント端末１００２に対して発行した認証セッションＩＤ情報等を認証情報記憶部１０５７に一時記憶する。
そして制御部１０５０は、認証処理部１０５６によりそのクライアント端末１００２に対して発行された認証セッションＩＤ情報等を通信制御部１０５２及びネットワークインタフェース１０５３を順次介してクライアント端末１００２に送信する。
ステップＳＰ１００４において、クライアント端末１００２の制御部１０２３は、ポータルサーバ１００３から送信された認証セッションＩＤ情報等をネットワークインタフェース１０３３及び通信制御部１０３２を順次介して受信し、当該受信した認証セッションＩＤ情報等を認証処理部１０３７に送出する。
そして認証処理部１０３７は、制御部１０２３の制御のもとに、ポータルサーバ１００３から受信されたその認証セッションＩＤ情報等を認証情報記憶部１０３８に一時記憶する。
これにより制御部１０２３は、ポータルサーバ１００３に対しページ情報を要求するためのページ情報取得要求信号を、ポータルサーバ１００３から受信して認証情報記憶部１０３８に一時記憶されたその認証セッションＩＤ情報等と共に通信制御部１０３２及びネットワークインタフェース１０３３を順次介してポータルサーバ１００３に送信する。
ステップＳＰ１００５において、ポータルサーバ１００３の制御部１０５０は、クライアント端末１００２から送信されたページ情報取得要求信号及び認証セッションＩＤ情報等をネットワークインタフェース１０５３及び通信制御部１０５２を順次介して受信し、当該受信した認証セッションＩＤ情報等を認証処理部１０５６に送出する。
これにより認証処理部１０５６は、制御部１０５０の制御のもと、クライアント端末１００２から受信された認証セッションＩＤ情報等と、上述のステップＳＰ１００３においてクライアント端末１００２に対し発行して認証情報記憶部１０５７に一時記憶していた認証セッションＩＤ情報等とを比較するようにしてユーザ認証処理を実行する。
その結果ステップＳＰ１００６において、認証処理部１０５６は、クライアント端末１００２を利用するユーザを正規ユーザであると認証すると、当該クライアント端末１００２からのページ情報の取得要求が正当な要求であると判断し、そのクライアント端末１００２に対して発行していた認証セッションＩＤ情報等の有効期限を延長する。
これにより制御部１０５０は、ページ情報記憶部１０５５から、ユーザによって取得要求されたページ情報を読み出すと共に、当該読み出したページ情報を、認証処理部１０５６により有効期限の延長された認証セッションＩＤ情報等と共に通信制御部１０５２及びネットワークインタフェース１０５３を順次介してクライアント端末１００２に送信する。
ステップＳＰ１００７において、クライアント端末１００２の制御部１０２３は、ポータルサーバ１００３から送信されたページ情報と、有効期限の延長された認証セッションＩＤ情報等とをネットワークインタフェース１０３３及び通信制御部１０３２を順次介して受信し、当該受信したページ情報をページ情報生成部１０３６に送出すると共に、その有効期限の延長された認証セッションＩＤ情報等を認証処理部１０３７に送出する。
ページ情報生成部１０３６は、制御部１０２３から与えられたページ情報に基づいて、音楽データ配信サーバ１００４、物販サーバ１００５及びラジオ放送情報配信サーバ１００６へのリンクが埋め込まれたページの映像データを生成し、当該生成した映像データを表示制御部１０２４に送出する。
これにより表示制御部１０２４は、ページ情報生成部１０３６から与えられた映像データに対してディジタルアナログ変換処理を施し、得られたアナログ映像信号を表示部１０２５に送出することにより当該表示部１０２５にそのアナログ映像信号に基づく映像としてポータルサーバ１００３のページを表示させる。
また認証処理部１０３７は、制御部１０２３の制御のもと認証情報記憶部１０３８において、ポータルサーバ１００３から受信された、有効期限の延長された認証セッションＩＤ情報等をその有効期限が延長される前の認証セッションＩＤ情報等に上書きするようにして一時記憶することにより、上述のステップＳＰ１００４において一時記憶していた認証セッションＩＤ情報等を有効期限の延長された認証セッションＩＤ情報等に更新する。
（３−７−２）クライアント端末１００２及び各サーバ１００４乃至１００６間のユーザ認証処理手順
次に、図３１において、クライアント端末１００２と、音楽データ配信サーバ１００４、物販サーバ１００５及びラジオ放送情報配信サーバ１００６との間で実行するユーザ認証処理について以下に説明する。
この場合、かかるユーザ認証処理としては、クライアント端末１００２が図３０について上述したようにポータルサーバ１００３からページ情報を一旦取得し、引き続きそのページ情報に埋め込まれたリンクにより音楽データ配信サーバ１００４、物販サーバ１００５及びラジオ放送情報配信サーバ１００６にアクセスして実行されるユーザ認証処理（以下、これを間接アクセス認証処理と呼ぶ）がある。
またかかるユーザ認証処理としては、クライアント端末１００２がポータルサーバ１００３のページ情報を取得せずに、予めブックマークとして登録しているＵＲＬ情報等により音楽データ配信サーバ１００４、物販サーバ１００５及びラジオ放送情報配信サーバ１００６に直接アクセスして実行されるユーザ認証処理（以下、これを直接アクセス認証処理と呼ぶ）もある。
ただし間接アクセス認証処理については、クライアント端末１００２と、音楽データ配信サーバ１００４、物販サーバ１００５及びラジオ放送情報配信サーバ１００６とが何れの組合せであっても同様の手順で実行することができる。
また直接アクセス認証処理についても、クライアント端末１００２と、音楽データ配信サーバ１００４、物販サーバ１００５及びラジオ放送情報配信サーバ１００６とが何れの組合せであっても同様の手順で実行することができる。
そして間接アクセス認証処理及び直接アクセス認証処理では、クライアント端末１００２において音楽データ配信サーバ１００４、物販サーバ１００５及びラジオ放送情報配信サーバ１００６へのアクセスに使用するＵＲＬ情報の取得の仕方のみが異なるだけで、当該ＵＲＬ情報の取得以降には、間接アクセス認証処理及び直接アクセス認証処理の両方ともに同様の手順で実行することができる。
従って以下には、クライアント端末１００２のアクセス先として、説明を簡略化するうえで音楽データ配信サーバ１００４を代表として用い、さらに間接アクセス認証処理及び直接アクセス認証処理をまとめて１つのユーザ認証処理として説明する。
まず、ステップＳＰ１０１０において、クライアント端末１００２の制御部１０２３は、ページ情報にリンクとして埋め込まれたＵＲＬ情報、又はすでにブックマークとして登録しているＵＲＬ情報等に従って、音楽データ配信用のページ情報（他の物販サーバ１００５やラジオ放送情報配信サーバ１００６では、パッケージメディア販売用のページ情報やオンエアリスト情報配信用のページ情報等となる）を取得要求するページ情報取得要求信号と共に、認証情報記憶部１０３８から読み出したサービスセッションＩＤ情報等を通信制御部１０３２及びネットワークインタフェース１０３３を順次介して音楽データ配信サーバ１００４に送信する。
因みにサービスセッションＩＤ情報は、クライアント端末１００２と音楽データ配信サーバ１００４、物販サーバ１００５及びラジオ放送情報配信サーバ１００６とがユーザ認証処理等の各種処理の実行用に通信接続する毎に、個々の通信接続状態（すなわち、セッション）の識別用として、クライアント端末１００２がアクセスした音楽データ配信サーバ１００４、物販サーバ１００５及びラジオ放送情報配信サーバ１００６によって発行される識別情報である。
なおかかるサービスセッションＩＤ情報については、上述した認証セッションＩＤ情報と同様に、ユーザ認証処理等に利用するうえで音楽データ配信サーバ１００４、物販サーバ１００５及びラジオ放送情報配信サーバ１００６による発行時点を基準とした所定の有効期限（例えば１分程度）が設定されている。
従って各サーバ１００４乃至１００６からサービスセッションＩＤ情報を取得したクライアント端末１００２は、そのサービスセッションＩＤ情報を有効期限以内に発行元の音楽データ配信サーバ１００４、物販サーバ１００５及びラジオ放送情報配信サーバ１００６に対して提示することができない場合、これら発行元の音楽データ配信サーバ１００４、物販サーバ１００５及びラジオ放送情報配信サーバ１００６により、当該サービスセッションＩＤ情報で特定される通信接続状態が切断されたと判断される。
これにより音楽データ配信サーバ１００４、物販サーバ１００５及びラジオ放送情報配信サーバ１００６は、過去に発行したサービスセッションＩＤ情報が、音楽関連サービス提供システム１０００の運営業者と契約してはいないユーザによりユーザ認証処理等に対し不当に利用されることを防止している。
また認証情報記憶部１０３８に一時記憶されているサービスセッションＩＤ情報は、クライアント端末１００２と音楽データ配信サーバ１００４、物販サーバ１００５及びラジオ放送情報配信サーバ１００６とが以前にユーザ認証処理等の実行用に通信接続したとき、そのアクセス先の音楽データ配信サーバ１００４、物販サーバ１００５及びラジオ放送情報配信サーバ１００６によって発行されたものである。
ステップＳＰ１０１１において、音楽データ配信サーバ１００４の制御部１０７０は、クライアント端末１００２から送信されたページ情報取得要求信号及びサービスセッションＩＤ情報等をネットワークインタフェース１０７３及び通信制御部１０７２を順次介して受信し、当該受信したサービスセッションＩＤ情報等を認証処理部１０７５に送出する。
認証処理部１０７５は、制御部１０７０の制御のもと、クライアント端末１００２から受信されたサービスセッションＩＤ情報等と、認証情報記憶部１０７７にすでに一時記憶しているサービスセッションＩＤ情報等とを比較するようにしてユーザ認証処理を実行する。
その結果、認証処理部１０７５は、例えばクライアント端末１００２から受信したサービスセッションＩＤ情報の有効期限がすでに切れていることにより、当該クライアント端末１００２を利用するユーザを正規ユーザであるとは認証することができないと、クライアント端末１００２からの音楽データ配信用のページ情報の取得要求が正当な要求ではないと判断する。
そして制御部１０７０は、認証処理部１０７５によりクライアント端末１００２を利用するユーザが正規ユーザであると認証されないと、認証エラーを示す認証エラー情報と、音楽データ配信サーバ１００４を識別するショップコードとを通信制御部１０７２及びネットワークインタフェース１０７３を順次介してクライアント端末１００２に送信する。
ステップＳＰ１０１２において、クライアント端末１００２の制御部１０２３は、音楽データ配信サーバ１００４から送信された認証エラー情報及びショップコードをネットワークインタフェース１０３３及び通信制御部１０３２を順次介して受信し、当該受信した認証エラー情報により、音楽データ配信サーバ１００４においてユーザが正規ユーザとして認証されなかったことを認識すると共に、その音楽データ配信サーバ１００４から受信したショップコードを認証情報記憶部１０３８に一時記憶する。
そして制御部１０２３は、ポータルサーバ１００３に対して、音楽データ配信サーバ１００４にアクセスするための認証チケットを発行要求する認証チケット発行要求信号を生成し、当該生成した認証チケット発行要求信号を音楽データ配信サーバ１００４のショップコード、及びすでにポータルサーバ１００３から受信して認証情報記憶部１０３８に対し一時記憶している認証セッションＩＤ情報等と共に通信制御部１０３２及びネットワークインタフェース１０３３を順次介してポータルサーバ１００３に送信する。
ステップＳＰ１０１３において、ポータルサーバ１００３の制御部１０５０は、クライアント端末１００２から送信された認証チケット発行要求信号、ショップコード及び認証セッションＩＤ情報等をネットワークインタフェース１０５３及び通信制御部１０５２を順次介して受信し、これらを認証処理部１０５６に送出する。
これにより認証処理部１０５６は、制御部１０５０の制御のもと、そのクライアント端末１００２から受信された認証セッションＩＤ情報等と、認証情報記憶部１０５７に対しすでに一時記憶している認証セッションＩＤ情報等とを比較するようにしてユーザ認証処理を実行する。
その結果、認証処理部１０５６は、例えばクライアント端末１００２から受信された認証セッションＩＤ情報の有効期限がすでに切れており、当該クライアント端末１００２を利用するユーザを正規ユーザであるとは認証することができないと、クライアント端末１００２からの認証チケットの発行要求が正当な要求ではないと判断する。
そして制御部１０５０は、認証処理部１０５６によりクライアント端末１００２を利用するユーザが正規ユーザであると認証されないと、認証エラーを示す認証エラー情報を通信制御部１０５２及びネットワークインタフェース１０５３を順次介してクライアント端末１００２に送信する。
これに対して認証処理部１０５６は、例えばクライアント端末１００２から受信した認証セッションＩＤ情報の有効期限が未だ切れてはいないことで、クライアント端末１００２を利用するユーザを正規ユーザであると認証すると、当該クライアント端末１００２からの認証チケットの発行要求が正当な要求であると判断する。
そして制御部１０５０は、認証処理部１０５６により、クライアント端末１００２を利用するユーザが正規ユーザであると認証されると、後述するステップＳＰ１０１８に移る。
ステップＳＰ１０１４において、クライアント端末１００２の制御部１０２３は、ポータルサーバ１００３から送信された認証エラー情報をネットワークインタフェース１０３３及び通信制御部１０３２を順次介して受信すると、認証情報記憶部１０３８に記憶されているユーザＩＤ情報及びパスワード情報等を読み出すと共に、当該読み出したユーザＩＤ情報及びパスワード情報等を通信制御部１０３２及びネットワークインタフェース１０３３を順次介してポータルサーバ１００３に送信する。
ステップＳＰ１０１５において、ポータルサーバ１００３の制御部１０５０は、クライアント端末１００２から送信されたユーザＩＤ情報及びパスワード情報等をネットワークインタフェース１０５３及び通信制御部１０５２を順次介して受信し、当該受信したユーザＩＤ情報及びパスワード情報等を認証処理部１０５６に送出する。
これにより認証処理部１０５６は、制御部１０５０の制御のもと、クライアント端末１００２から受信されたユーザＩＤ情報及びパスワード情報等が、顧客データベース部１０５４に登録されている顧客情報に含まれているか否かを検出するようにしてユーザ認証処理を実行する。
その結果、認証処理部１０５６は、クライアント端末１００２を利用するユーザを正規ユーザであると認証すると、制御部１０５０の制御のもとポータル認証結果情報として、現時点のクライアント端末１００２とポータルサーバ１００３との通信接続状態に対する認証セッションＩＤ情報等を発行すると共に、当該クライアント端末１００２に対して発行した認証セッションＩＤ情報等を認証情報記憶部１０５７に一時記憶する。
そして制御部１０５０は、認証処理部１０５６によりそのクライアント端末１００２に対して発行された認証セッションＩＤ情報等を通信制御部１０５２及びネットワークインタフェース１０５３を順次介してクライアント端末１００２に送信する。
ステップＳＰ１０１６において、クライアント端末１００２の制御部１０２３は、ポータルサーバ１００３から送信された認証セッションＩＤ情報等をネットワークインタフェース１０３３及び通信制御部１０３２を順次介して受信し、当該受信した認証セッションＩＤ情報等を認証処理部１０３７により認証情報記憶部１０３８に一時記憶する。
そして制御部１０２３は、再びポータルサーバ１００３に対して、認証チケットを発行要求する認証チケット発行要求信号を生成すると共に、当該生成した認証チケット発行要求信号を、認証情報記憶部１０３８にすでに一時記憶しているショップコード、及びこのとき一時記憶した認証セッションＩＤ情報等と共に通信制御部１０３２及びネットワークインタフェース１０３３を順次介してポータルサーバ１００３に送信する。
ここで本実施の形態では、クライアント端末１００２において認証情報記憶部１０３８に対しショップコードを一時記憶しておいたが、これに限らず、当該クライアント端末１００２とポータルサーバ１００３との間でステップＳＰ１０１２乃至ステップＳＰ１０１６の処理を実行する際にショップコードを順次送受信することにより、クライアント端末１００２において認証情報記憶部１０３８に対しショップコードを一時記憶しなくてもステップＳＰ１０１６においてポータルサーバ１００３に対しショップコードを送信することが可能である。
ステップＳＰ１０１７において、ポータルサーバ１００３の制御部１０５０は、クライアント端末１００２から送信された認証チケット発行要求信号、ショップコード及び認証セッションＩＤ情報等をネットワークインタフェース１０５３及び通信制御部１０５２を順次介して受信し、これらを認証処理部１０５６に送出する。
これにより認証処理部１０５６は、制御部１０５０の制御のもと、そのクライアント端末１００２から受信された認証セッションＩＤ情報等と、認証情報記憶部１０５７にすでに一時記憶している認証セッションＩＤ情報等とを比較するようにしてユーザ認証処理を実行する。
その結果、認証処理部１０５６は、例えばクライアント端末１００２から受信した認証セッションＩＤ情報等の有効期限が未だ切れてはいないために、クライアント端末１００２を利用するユーザを正規ユーザであると認証すると、当該クライアント端末１００２からの認証チケットの発行要求が正当な要求であると判断する。
そして制御部１０５０は、認証処理部１０５６により、クライアント端末１００２を利用するユーザが正規ユーザであると認証されると、次のステップＳＰ１０１８に移る。
ステップＳＰ１０１８において、認証処理部１０５６は、制御部１０５０の制御のもと、上述のステップＳＰ１０１７においてクライアント端末１００２から受信したショップコード及び認証チケット発行要求信号に基づいて、ポータル認証結果情報として、当該ショップコードの示す音楽データ配信サーバ１００４へのアクセスを可能にする認証チケット等を発行する。
そして認証処理部１０５６は、制御部１０５０の制御のもと、その発行した認証チケット等を認証情報記憶部１０５７に一時記憶すると共に、クライアント端末１００２に対して発行していた認証セッションＩＤ情報等の有効期限を延長する。
これにより制御部１０５０は、認証チケット等を、認証処理部１０５６により有効期限の延長された認証セッションＩＤ情報等と共に通信制御部１０５２及びネットワークインタフェース１０５３を順次介してクライアント端末１００２に送信する。
ステップＳＰ１０１９において、クライアント端末１００２の制御部１０２３は、ポータルサーバ１００３から送信された認証チケット等と、有効期限の延長された認証セッションＩＤ情報等とをネットワークインタフェース１０３３及び通信制御部１０３２を順次介して受信し、当該受信した認証セッションＩＤ情報を認証処理部１０３７に送出する。
そして制御部１０２３は、そのポータルサーバ１００３から受信した認証チケット等を認証要求信号と共に通信制御部１０３２及びネットワークインタフェース１０３３を順次介して音楽データ配信サーバ１００４に送信する。
また認証処理部１０３７は、このとき制御部１０２３の制御のもとに認証情報記憶部１０３８において、ポータルサーバ１００３から受信された有効期限の延長されている認証セッションＩＤ情報等をその有効期限が延長される前の認証セッションＩＤ情報等に上書きするようにして一時記憶することにより、上述のステップＳＰ１０１６において一時記憶していた認証セッションＩＤ情報等を有効期限の延長された認証セッションＩＤ情報等に更新する。
ステップＳＰ１０２０において、音楽データ配信サーバ１００４の制御部１０７０は、クライアント端末１００２から送信された認証要求信号及び認証チケット等をネットワークインタフェース１０７３及び通信制御部１０７２を順次介して受信する。
そして制御部１０７０は、そのクライアント端末１００２から受信した認証チケット等を当該認証チケット等の確認を要求する認証チケット確認要求信号と共に通信制御部１０７２及びネットワークインタフェース１０７３を順次介してポータルサーバ１００３に送信する。
ステップＳＰ１０２１において、ポータルサーバ１００３の制御部１０５０は、音楽データ配信サーバ１００４から送信された認証チケット確認要求信号及び認証チケット等をネットワークインタフェース１０５３及び通信制御部１０５２を順次介して受信し、当該受信した認証チケット確認要求信号及び認証チケット等を認証処理部１０５６に送出する。
そして認証処理部１０５６は、制御部１０５０の制御のもと認証チケット確認要求信号に応じて、その音楽データ配信サーバ１００４から受信された認証チケット等と、認証情報記憶部１０５７にすでに一時記憶している認証チケット等とを比較するようにして、当該音楽データ配信サーバ１００４から受信した認証チケットに対する確認処理を実行する。
その結果、制御部１０５０は、認証処理部１０５６により、音楽データ配信サーバ１００４から受信した認証チケット等が正規の認証チケット等であると確認されると、当該認証チケット等を正規の認証チケット等であると確認したことを示す確認結果情報を通信制御部１０５２及びネットワークインタフェース１０５３を順次介して音楽データ配信サーバ１００４に送信する。
ステップＳＰ１０２２において、音楽データ配信サーバ１００４の制御部１０７０は、ポータルサーバ１００３から送信された確認結果情報をネットワークインタフェース１０７３及び通信制御部１０７２を順次介して受信し、当該受信した確認結果情報を認証処理部１０７５に送出する。
これにより認証処理部１０７５は、制御部１０７０の制御のもとにその確認結果情報に応じ、サーバ認証結果情報として、現時点のクライアント端末１００２と音楽データ配信サーバ１００４との通信接続状態に対するサービスセッションＩＤ情報等を発行すると共に、当該発行したサービスセッションＩＤ情報等を認証情報記憶部１０７７に一時記憶する。
また制御部１０７０は、認証処理部１０７５によりそのクライアント端末１００２に対して発行されたサービスセッションＩＤ情報等を通信制御部１０７２及びネットワークインタフェース１０７３を順次介してクライアント端末１００２に送信する。
ステップＳＰ１０２３において、クライアント端末１００２の制御部１０２３は、音楽データ配信サーバ１００４から送信されたサービスセッションＩＤ情報等をネットワークインタフェース１０３３及び通信制御部１０３２を順次介して受信し、当該受信したサービスセッションＩＤ情報等を認証処理部１０３７により認証情報記憶部１０３８に対し一時記憶させる。
これにより制御部１０２３は、音楽データ配信用のページ情報を要求するページ情報取得要求信号を、音楽データ配信サーバ１００４から受信して認証情報記憶部１０３８に一時記憶させたサービスセッションＩＤ情報等と共に通信制御部１０３２及びネットワークインタフェース１０３３を順次介して音楽データ配信サーバ１００４に送信する。
ステップＳＰ１０２４において、音楽データ配信サーバ１００４の制御部１０７０は、クライアント端末１００２から送信されたページ情報取得要求信号及びサービスセッションＩＤ情報等をネットワークインタフェース１０７３及び通信制御部１０７２を順次介して受信し、当該受信したサービスセッションＩＤ情報等を認証処理部１０７５に送出する。
これにより認証処理部１０７５は、制御部１０７０の制御のもと、クライアント端末１００２から受信されたサービスセッションＩＤ情報等と、上述のステップＳＰ１０２２においてすでにクライアント端末１００２に対し発行して認証情報記憶部１０７７に一時記憶していたサービスセッションＩＤ情報等とを比較するようにしてユーザ認証処理を実行する。
その結果、認証処理部１０７５は、例えばクライアント端末１００２から受信したサービスセッションＩＤ情報等の有効期限が未だ切れてはいないために、そのクライアント端末１００２を利用するユーザを正規ユーザであると認証すると、当該クライアント端末１００２からの音楽データ配信用のページ情報の取得要求が正当な要求であると判断する。
そして制御部１０７０は、認証処理部１０７５により、クライアント端末１００２を利用するユーザが正規ユーザであると認証されると、次のステップＳＰ１０２５に移る。
ステップＳＰ１０２５において、制御部１０７０は、ページ情報記憶部１０７６から、ユーザにより取得要求された音楽データ配信用のページ情報を読み出すと共に、認証処理部１０７５により、クライアント端末１００２に対して発行していたサービスセッションＩＤ情報等の有効期限を延長させる。
そして制御部１０７０は、そのページ情報記憶部１０７６から読み出した音楽データ配信用のページ情報を、認証処理部１０７５により有効期限を延長させたサービスセッションＩＤ情報等と共に通信制御部１０７２及びネットワークインタフェース１０７３を順次介してクライアント端末１００２に送信する。
ステップＳＰ１０２６において、クライアント端末１００２の制御部１０２３は、音楽データ配信サーバ１００４から送信された音楽データ配信用のページ情報と、有効期限の延長されたサービスセッショシＩＤ情報等とをネットワークインタフェース１０３３及び通信制御部１０３２を順次介して受信し、当該受信した音楽データ配信用のページ情報をページ情報生成部１０３６に送出すると共に、その音楽データ配信サーバ１００４から受信したサービスセッションＩＤ情報等を認証処理部１０３７に送出する。
これにより認証処理部１０３７は、制御部１０２３の制御のもと認証情報記憶部１０３８において、音楽データ配信サーバ１００４から受信された有効期限の延長されているサービスセッションＩＤ情報等をその有効期限が延長される前のサービスセッションＩＤ情報等に上書きするようにして一時記憶することにより、上述のステップＳＰ１０２３において一時記憶していたサービスセッションＩＤ情報等を有効期限の延長されたサービスセッションＩＤ情報等に更新する。
またページ情報生成部１０３６は、音楽データ配信用のページ情報に基づく映像データを生成し、当該生成した映像データを表示制御部１０２４に送出する。
これにより表示制御部１０２４は、ページ情報生成部１０３６から与えられた映像データに対しディジタルアナログ変換処理を施し、得られたアナログ映像信号を表示部１０２５に送出することにより当該表示部１０２５にそのアナログ映像信号に基づく映像として音楽データ配信用のページを表示する。
（３−７−３）音楽関連サービス提供処理
続いて図３２乃至図３５において、図３１について上述したクライアント端末１００２と、音楽データ配信サーバ１００４、物販サーバ１００５及びラジオ放送情報配信サーバ１００６との間で実行されたユーザ認証処理手順の終了後に、当該ユーザ認証処理手順においてクライアント端末１００２が音楽データ配信サーバ１００４、物販サーバ１００５及びラジオ放送情報配信サーバ１００６から取得した音楽データ配信用のページ情報、パッケージメディア販売用のページ情報及びオンエアリスト情報配信用のページ情報等を利用して音楽データ配信サービス、物販サービス及びラジオ放送情報配信サービスの提供を受ける際の音楽関連サービス提供処理について説明する。
（３−７−３−１）音楽データ配信サービス提供処理手順
まず図３２を用いてクライアント端末１００２が、音楽データ配信サーバ１００４から音楽データ配信サービスの提供を受ける際の音楽データ配信サービス提供処理手順について説明する。
ステップＳＰ１０３０において、クライアント端末１００２の制御部１０２３は、表示部１０２５に映像として表示された音楽データ配信用のページの一部を選択する制御コマンドが入力処理部１０２１から入力されると、当該入力された制御コマンドに応じて、ダウンロード希望の音楽データをダウンロード要求するダウンロード要求信号を生成する。
そして制御部１０２３は、そのダウンロード要求信号を、すでに音楽データ配信サーバ１００４で発行され認証情報記憶部１０３８に対し一時記憶されているサービスセッションＩＤ情報等と共に通信制御部１０３２及びネットワークインタフェース１０３３を順次介して音楽データ配信サーバ１００４に送信する。
ステップＳＰ１０３１において、音楽データ配信サーバ１００４の制御部１０７０は、クライアント端末１００２から送信されたダウンロード要求信号と、サービスセッションＩＤ情報等とをネットワークインタフェース１０７３及び通信制御部１０７２を順次介して受信し、当該受信したサービスセッションＩＤ情報等を認証処理部１０７５に送出する。
これにより認証処理部１０７５は、制御部１０７０の制御のもと、クライアント端末１００２から受信されたサービスセッションＩＤ情報等と、認証情報記憶部１０７７に対しすでに一時記憶しているサービスセッションＩＤ情報等とを比較するようにしてユーザ認証処理を実行する。
その結果、制御部１０７０は、認証処理部１０７５により、クライアント端末１００２を利用して音楽データのダウンロードを要求したユーザが正規ユーザであると認証されると、次のステップＳＰ１０３２に移る。
ステップＳＰ１０３２において、検索部１０７９は、ダウンロード要求信号に格納されている検索キーに基づいて、音楽データ記憶部１０７８内の複数の音楽データの中から当該検索キーの示す検索条件に該当するダウンロード希望の音楽データを検索する。
そして制御部１０７０は、検索部１０７９により音楽データが検索されると、認証処理部１０７５により、クライアント端末１００２に対し発行していたサービスセッションＩＤ情報等の有効期限を延長させて、次のステップＳＰ１０３３に移る。
ステップＳＰ１０３３において制御部１０７０は、音楽データ記憶部１０７８から、検索部１０７９によって検索されたダウンロード希望の音楽データを読み出すと共に、当該読み出したダウンロード希望の音楽データを、認証処理部１０７５により有効期限の延長されたサービスセッションＩＤ情報等と共に通信制御部１０７２及びネットワークインタフェース１０７３を順次介してクライアント端末１００２に送信する。
ステップＳＰ１０３４において、クライアント端末１００２の制御部１０２３は、音楽データ配信サーバ１００４から送信されたダウンロード希望の音楽データと、有効期限の延長されたサービスセッションＩＤ情報等とをネットワークインタフェース１０３３及び通信制御部１０３２を順次介して受信し、当該受信した音楽データを記憶媒体１０２９に記憶すると共に、その音楽データ配信サーバ１００４から受信したサービスセッションＩＤ情報等を認証処理部１０３７に送出する。
認証処理部１０３７は、制御部１０２３の制御のもと認証情報記憶部１０３８において、音楽データ配信サーバ１００４から受信された有効期限の延長されているサービスセッションＩＤ情報等をその有効期限が延長される前のサービスセッションＩＤ情報等に上書きするようにして一時記憶することにより、当該認証情報記憶部１０３８に対しすでに一時記憶しているサービスセッションＩＤ情報等の内容を更新する。
このようにしてクライアント端末１００２は、音楽データ配信サーバ１００４の提供している音楽データ配信サービスを利用して、ユーザにより取得の希望された音楽データをダウンロードすることができる。
（３−７−３−２）物販サービス提供処理手順
次に図３３を用いてクライアント端末１００２が、物販サーバ１００５から物販サービスの提供を受ける際の物販サービス提供処理手順について説明する。
ステップＳＰ１０４０において、クライアント端末１００２の制御部１０２３は、表示部１０２５に映像として表示されたパッケージメディア販売用のページの一部を選択する制御コマンドが入力処理部１０２１から入力されると、当該入力された制御コマンドに応じた特定のパッケージメディアに関するパッケージメディア情報を要求するメディア情報要求信号を生成する。
そして制御部１０２３は、そのメディア情報要求信号を、すでに物販サーバ１００５で発行され認証情報記憶部１０３８に対し一時記憶されているサービスセッションＩＤ情報等と共に通信制御部１０３２及びネットワークインタフェース１０３３を順次介して物販サーバ１００５に送信する。
ステップＳＰ１０４１において、物販サーバ１００５の制御部１０９０は、クライアント端末１００２から送信されたメディア情報要求信号と、サービスセッションＩＤ情報等とをネットワークインタフェース１０９３及び通信制御部１０９２を順次介して受信し、当該受信したサービスセッションＩＤ情報等を認証処理部１０９５に送出する。
認証処理部１０９５は、制御部１０９０の制御のもと、クライアント端末１００２から受信されたサービスセッションＩＤ情報等と、認証情報記憶部１０９７に対しすでに一時記憶しているサービスセッションＩＤ情報等とを比較するようにしてユーザ認証処理を実行する。
その結果、制御部１０９０は、認証処理部１０９５により、クライアント端末１００２を利用してパッケージメディアに関するパッケージメディア情報を要求したユーザが正規ユーザであると認証されると、次のステップＳＰ１０４２に移る。
ステップＳＰ１０４２において、検索部１０９９は、メディア情報要求信号に格納されている検索キーに基づいて、パッケージメディア情報記憶部１０９８内の複数のパッケージメディア情報の中から当該検索キーの示す検索条件に該当する特定のパッケージメディアのパッケージメディア情報を検索する。
そして制御部１０９０は、検索部１０９９によりパッケージメディア情報が検索されると、認証処理部１０９５により、クライアント端末１００２に対し発行していたサービスセッションＩＤ情報等の有効期限を延長させて、次のステップＳＰ１０４３に移る。
そしてステップＳＰ１０４３において制御部１０９０は、パッケージメディア情報記憶部１０９８から、検索部１０９９によって検索されたパッケージメディア情報を読み出すと共に、当該読み出したパッケージメディア情報を、認証処理部１０９５により有効期限の延長されたサービスセッションＩＤ情報等と共に通信制御部１０９２及びネットワークインタフェース１０９３を順次介してクライアント端末１００２に送信する。
ステップＳＰ１０４４において、クライアント端末１００２の制御部１０２３は、物販サーバ１００５から送信されたパッケージメディア情報と、有効期限の延長されたサービスセッションＩＤ情報等とをネットワークインタフェース１０３３及び通信制御部１０３２を順次介して受信し、当該受信したパッケージメディア情報をページ情報生成部１０３６に送出すると共に、その物販サーバ１００５から受信したサービスセッションＩＤ情報等を認証処理部１０３７に送出する。
認証処理部１０３７は、制御部１０２３の制御のもと認証情報記憶部１０３８において、物販サーバ１００５から受信された有効期限の延長されているサービスセッションＩＤ情報等をその有効期限が延長される前のサービスセッションＩＤ情報等に上書きするようにして一時記憶することにより、当該認証情報記憶部１０３８に対しすでに一時記憶しているサービスセッションＩＤ情報等の内容を更新する。
またページ情報生成部１０３６は、制御部１０２３から与えられたパッケージメディア情報に基づいて映像データを生成し、当該生成した映像データを表示制御部１０２４によりアナログ映像信号に変換して表示部１０２５に送出する。
このようにして制御部１０２３は、表示部１０２５に対しそのアナログ映像信号に基づく映像としてパッケージメディア情報を表示させると、次のステップＳＰ１０４５に移る。
ステップＳＰ１０４５において、制御部１０２３は、表示部１０２５に映像として表示させたパッケージメディア情報に対応するパッケージメディアを購入要求する制御コマンドが入力処理部１０２１から入力されると、当該入力された制御コマンドに応じてそのパッケージメディアを購入要求する購入要求信号を生成する。
そして制御部１０２３は、その購入要求信号を、すでに物販サーバ１００５から受信して認証情報記憶部１０３８に対し一時記憶されているサービスセッションＩＤ情報等（すなわち、有効期限の延長されたサービスセッションＩＤ情報等）と共に通信制御部１０３２及びネットワークインタフェース１０３３を順次介して物販サーバ１００５に送信する。
ステップＳＰ１０４６において、物販サーバ１００５の制御部１０９０は、クライアント端末１００２から送信された購入要求信号と、サービスセッションＩＤ情報等とをネットワークインタフェース１０９３及び通信制御部１０９２を順次介して受信し、当該受信したサービスセッションＩＤ情報等を認証処理部１０９５に送出する。
認証処理部１０９５は、制御部１０９０の制御のもと、クライアント端末１００２から受信されたサービスセッションＩＤ情報等と、認証情報記憶部１０９７に対しすでに一時記憶しているサービスセッションＩＤ情報等とを比較するようにしてユーザ認証処理を実行する。
その結果、制御部１０９０は、認証処理部１０９５により、クライアント端末１００２を利用してパッケージメディアの購入を要求したユーザが正規ユーザであると認証されると、次のステップＳＰ１０４７に移る。
ステップＳＰ１０４７において、制御部１０９０は、クライアント端末１００２を利用するユーザに対し、購入要求されたパッケージメディアを引き渡すための手続等の購入処理を実行すると共に、当該パッケージメディアの購入に伴うユーザに対する課金処理用の課金情報を通信制御部１０９２及びネットワークインタフェース１０９３を順次介して課金サーバ１００８に送信することにより、その課金サーバ１００８に対し当該ユーザに対するパッケージメディアの購入に応じた課金処理を実行させる。
また制御部１０９０は、認証処理部１０９５により、クライアント端末１００２に対し発行していたサービスセッションＩＤ情報等の有効期限を延長させる。
ステップＳＰ１０４８において、制御部１０９０は、課金処理終了後、パッケージメディアの購入処理が完了したことを示す購入完了ページ情報を、認証処理部１０９５により有効期限の延長されたサービスセッションＩＤ情報等と共に通信制御部１０９２及びネットワークインタフェース１０９３を順次介してクライアント端末１００２に送信する。
ステップＳＰ１０４９において、クライアント端末１００２の制御部１０２３は、物販サーバ１００５から送信された購入完了ページ情報と、有効期限の延長されたサービスセッションＩＤ情報等とをネットワークインタフェース１０３３及び通信制御部１０３２を順次介して受信し、当該受信した購入完了ページ情報をページ情報生成部１０３６に送出すると共に、その物販サーバ１００５から受信したサービスセッションＩＤ情報等を認証処理部１０３７に送出する。
認証処理部１０３７は、制御部１０２３の制御のもと認証情報記憶部１０３８において、物販サーバ１００５から受信された有効期限の延長されているサービスセッションＩＤ情報等をその有効期限が延長される前のサービスセッションＩＤ情報等に上書きするようにして一時記憶することにより、当該認証情報記憶部１０３８に対しすでに一時記憶しているサービスセッションＩＤ情報等の内容を更新する。
またページ情報生成部１０３６は、制御部１０２３から与えられた購入完了ページ情報に基づく映像データを生成し、当該生成した映像データを表示制御部１０２４によりアナログ映像信号に変換して表示部１０２５に送出する。
これにより制御部１０２３は、表示部１０２５に対しそのアナログ映像信号に基づく映像として購入完了ページを表示させる。
このようにしてクライアント端末１００２は、物販サーバ１００５の提供している物販サービスを利用して、ユーザに対して所望のパッケージメディアを購入させることができる。
（３−７−３−３）オンエアリスト情報配信サービス提供処理手順
次に図３４を用いてクライアント端末１００２が、ラジオ放送情報配信サーバ１００６からラジオ放送情報配信サービスとして特にオンエアリスト情報配信サービスの提供を受ける際のラジオ放送情報配信サービス提供処理手順について説明する。
ステップＳＰ１０６０において、クライアント端末１００２の制御部１０２３は、表示部１０２５に映像として表示させたオンエアリスト情報配信用のページ上で入力ボックスに対し取得希望のオンエアリスト情報検索用の検索キーが入力され、当該入力された検索キーを示す文字列に対応する制御コマンドが入力処理部１０２１から入力されると、当該入力された制御コマンドに応じて、取得希望のオンエアリスト情報をダウンロード要求するオンエアリスト情報要求信号を生成する。
そして制御部１０２３は、そのオンエアリスト情報要求信号を、すでにラジオ放送情報配信サーバ１００６で発行され認証情報記憶部１０３８に対し一時記憶されているサービスセッションＩＤ情報等と共に通信制御部１０３２及びネットワークインタフェース１０３３を順次介してラジオ放送情報配信サーバ１００６に送信する。
ステップＳＰ１０６１において、ラジオ放送情報配信サーバ１００６の制御部１１１０は、クライアント端末１００２から送信されたオンエアリスト情報要求信号と、サービスセッションＩＤ情報等とをネットワークインタフェース１１１３及び通信制御部１１１２を順次介して受信し、当該受信したサービスセッションＩＤ情報等を認証処理部１１１５に送出する。
認証処理部１１１５は、制御部１１１０の制御のもと、クライアント端末１００２から受信されたサービスセッションＩＤ情報等と、認証情報記憶部１１２０に対しすでに一時記憶しているサービスセッションＩＤ情報等とを比較するようにしてユーザ認証処理を実行する。
その結果、制御部１１１０は、認証処理部１１１５により、クライアント端末１００２を利用してオンエアリスト情報を要求したユーザが正規ユーザであると認証されると、次のステップＳＰ１０６２に移る。
ステップＳＰ１０６２において、検索部１１１８は、オンエアリスト情報要求信号に格納されている検索キーに基づいて、オンエアリスト情報記憶部１１１７内のオンエアリスト情報全体に対し、当該検索キーの示す検索条件に該当する所定範囲部分を取得希望のオンエアリスト情報として検索する。
そして制御部１１１０は、検索部１１１８によりオンエアリスト情報が検索されると、認証処理部１１１５により、クライアント端末１００２に対し発行していたサービスセッションＩＤ情報等の有効期限を延長させて、次のステップＳＰ１０６３に移る。
そしてステップＳＰ１０６３において制御部１１１０は、オンエアリスト情報記憶部１１１７から、検索部１１１８によって検索されたオンエアリスト情報を読み出すと共に、当該読み出したオンエアリスト情報を、認証処理部１１１５により有効期限の延長されたサービスセッションＩＤ情報等と共に通信制御部１１１２及びネットワークインタフェース１１１３を順次介してクライアント端末１００２に送信する。
ステップＳＰ１０６４において、クライアント端末１００２の制御部１０２３は、ラジオ放送情報配信サーバ１００６から送信されたオンエアリスト情報と、有効期限の延長されたサービスセッションＩＤ情報等とをネットワークインタフェース１０３３及び通信制御部１０３２を順次介して受信し、当該受信したオンエアリスト情報をページ情報生成部１０３６に送出すると共に、そのラジオ放送情報配信サーバ１００６から受信したサービスセッションＩＤ情報等を認証処理部１０３７に送出する。
認証処理部１０３７は、制御部１０２３の制御のもと認証情報記憶部１０３８において、ラジオ放送情報配信サーバ１００６から受信された有効期限の延長されているサービスセッションＩＤ情報等をその有効期限が延長される前のサービスセッションＩＤ情報等に上書きするようにして一時記憶することにより、当該認証情報記憶部１０３８に対しすでに一時記憶しているサービスセッションＩＤ情報等の内容を更新する。
またページ情報生成部１０３６は、制御部１０２３から与えられたオンエアリスト情報に基づいて映像データを生成し、当該生成した映像データを表示制御部１０２４によりアナログ映像信号に変換して表示部１０２５に送出することにより当該表示部１０２５に対しそのアナログ映像信号に基づく映像としてオンエアリスト情報を表示させる。
このようにしてクライアント端末１００２は、ラジオ放送情報配信サーバ１００６の提供しているラジオ放送情報配信サービスを利用して、ユーザに対して所望のオンエアリスト情報を取得させることができる。
（３−７−３−４）ナウオンエア情報配信サービス提供処理手順
次に図３５を用いてクライアント端末１００２が、ラジオ放送情報配信サーバ１００６からラジオ放送情報配信サービスとして特にナウオンエア情報配信サービスの提供を受ける際のラジオ放送情報配信サービス提供処理手順について説明する。
ただしナウオンエア情報を提供するラジオ放送情報配信サーバ１００６は、ラジオ局（コールサイン）毎に設けられている。
そしてクライアント端末１００２には、初期状態において、各ラジオ局に対応するラジオ放送情報配信サーバ１００６のＵＲＬ情報が記憶されていない場合がある。
そのため以下のラジオ放送情報配信サービス提供処理手順については、各ラジオ放送情報配信サーバ１００６のＵＲＬ情報をラジオ局のコールサイン毎にポータルサーバ１００３が管理している場合を例に挙げて説明する。
またかかるラジオ放送情報配信サービス提供処理手順では、クライアント端末１００２が、ラジオ局毎の放送周波数を自動プリセットするためにポータルサーバ１００３に対して当該放送周波数を示す周波数情報を要求するときに、認証情報記憶部１０３８に対し認証セッションＩＤ情報等を一時記憶してはいない場合を想定している。このため、まずクライアント端末１００２は、ポータルサーバ１００３に対しユーザＩＤ情報及びパスワード情報等を送信することになる。
ステップＳＰ１０７０において、クライアント端末１００２の制御部１０２３は、入力処理部１０２１から各ラジオ局の放送周波数を自動プリセットするように要求する操作コマンドが入力されると、これに応じて各ラジオ局の受信可能な放送周波数の周波数情報を取得要求する周波数情報要求信号を、ユーザにより入力された地域コードと、認証情報記憶部１０３８に記憶されているユーザＩＤ情報及びパスワード情報等と共に通信制御部１０３２及びネットワークインタフェース１０３３を順次介してポータルサーバ１００３に送信する。
ステップＳＰ１０７１において、ポータルサーバ１００３の制御部１０５０は、クライアント端末１００２から送信された周波数情報要求信号、地域コード、ユーザＩＤ情報及びパスワード情報等をネットワークインタフェース１０５３及び通信制御部１０５２を順次介して受信し、そのクライアント端末１００２から受信したユーザＩＤ情報及びパスワード情報等を認証処理部１０５６に送出する。
認証処理部１０５６は、制御部１０５０の制御のもと、クライアント端末１００２から受信されたユーザＩＤ情報及びパスワード情報等と、顧客データベース部１０５４に登録している顧客情報とを比較するようにしてユーザ認証処理を実行する。
その結果、認証処理部１０５６は、クライアント端末１００２を利用するユーザを正規ユーザであると認証し、当該クライアント端末１００２からの周波数情報の取得要求が正当な要求であると判断すると、制御部１０５０の制御のもと、現時点のクライアント端末１００２とポータルサーバ１００３との通信接続状態に対する認証セッションＩＤ情報等を発行し、当該発行した認証セッションＩＤ情報等を認証情報記憶部１０５７に一時記憶する。
そして制御部１０５０は、このように認証処理部１０５６によりユーザが正規ユーザであると認証されると、次のステップＳＰ１０７２に移る。
ステップＳＰ１０７２において、制御部１０５０は、クライアント端末１００２から受信した地域コードに基づいて、周波数情報記憶部１０５８内の複数の周波数情報、ラジオ局名及びコールサインのリストの中から当該地域コードに対応する周波数情報、ラジオ局名及びコールサインを検索してリスト化し読み出す。
これにより制御部１０５０は、周波数情報記憶部１０５８からリスト化して読み出した周波数情報、ラジオ局名及びコールサインを、上述のステップＳＰ１０７１において認証処理部１０５６によりクライアント端末１００２に対して発行された認証セッションＩＤ情報等と共に通信制御部１０５２及びネットワークインタフェース１０５３を順次介してクライアント端末１００２に送信する。
ステップＳＰ１０７３において、クライアント端末１００２の制御部１０２３は、ポータルサーバ１００３から送信された周波数情報、ラジオ局名及びコールサインのリストと、認証セッションＩＤ情報等とをネットワークインタフェース１０３３及び通信制御部１０３２を順次介して受信し、当該ポータルサーバ１００３から受信した認証セッションＩＤ情報等を認証処理部１０３７に送出すると共に、周波数情報、ラジオ局名及びコールサインのリストを表示制御部１０２４に送出する。
これにより認証処理部１０３７は、制御部１０２３の制御のもと、ポータルサーバ１００３から受信された認証セッションＩＤ情報等を認証情報記憶部１０３８に一時記憶する。
また表示制御部１０２４は、制御部１０２３から与えられた周波数情報、ラジオ局名及びコールサインのリストを表示部１０２５に送出することにより当該表示部１０２５に対しそのリストを表示させる。
さらに制御部１０２３は、このとき入力処理部１０２１から入力される選択コマンドに基づき、選択された周波数情報、ラジオ局名及びコールサインを記憶媒体１０２９にプリセットとして記憶して、次のステップＳＰ１０７４に移る。
ステップＳＰ１０７４において、制御部１０２３は、入力処理部１０２１から入力されるチューニング制御コマンドに応じて、チューナ部１０３１を、ラジオ放送波の中からチューニング制御コマンドに対応する放送周波数で放送されているラジオ放送のラジオ放送信号を抽出するように制御する。
これによりチューナ部１０３１は、放送信号受信部３０により受信されたラジオ放送波の中から、その放送周波数で放送されているラジオ放送信号を抽出して復号等の所定の受信処理を施し、この結果得られた音声データを音声制御部１０２６に送出する。
従って音声制御部１０２６は、チューナ部１０３１から与えられる音声データをアナログ音声信号に変換してスピーカ１０２７に送出することにより当該スピーカ１０２７から、選択されたラジオ番組の音声を出力させることができる。
ステップＳＰ１０７５において、ラジオ放送表示制御部１０３９は、制御部１０２３の制御のもと、記憶媒体１０２９から、上述のチューニング制御コマンドに対応する放送周波数を示す周波数情報に対応して記憶されているコールサインを読み出すと共に、当該読み出したコールサインを、認証情報記憶部１０３８に対しすでに一時記憶されている認証セッションＩＤ情報等と共に通信制御部１０３２及びネットワークインタフェース１０３３を順次介してポータルサーバ１００３に送信する。
ステップＳＰ１０７６において、ポータルサーバ１００３の制御部１０５０は、クライアント端末１００２から送信されたコールサイン及び認証セッションＩＤ情報等をネットワークインタフェース１０５３及び通信制御部１０５２を順次介して受信し、当該受信した認証セッションＩＤ情報等を認証処理部１０５６に送出する。
認証処理部１０５６は、制御部１０５０の制御のもと、クライアント端末１００２から受信された認証セッションＩＤ情報等と、認証情報記憶部１０５７に対しすでに一時記憶している認証セッションＩＤ情報等とを比較するようにしてユーザ認証処理を実行する。
その結果、制御部１０５０は、認証処理部１０５６により、クライアント端末１００２から受信した認証セッションＩＤ情報等が有効期限内のものであり、当該クライアント端末１００２を利用してコールサインを送信したユーザが正規ユーザであると認証されると、次のステップＳＰ１０７７に移る。
ステップＳＰ１０７７において、制御部１０５０は、クライアント端末１００２から受信したコールサインに基づいて、ＵＲＬ記憶部１０５９内の複数のＵＲＬ情報の中から当該コールサインに対応付けられたＵＲＬ情報を検索する。
また制御部１０５０は、認証処理部１０５６により、クライアント端末１００２に対し発行していた認証セッションＩＤ情報等の有効期限を延長させる。
そして制御部１０５０は、ＵＲＬ記憶部１０５９から、その検索したＵＲＬ情報を読み出すと共に、当該読み出したＵＲＬ情報を、認証処理部１０５６により有効期限の延長された認証セッションＩＤ情報等と共に通信制御部１０５２及びネットワークインタフェース１０５３を順次介してクライアント端末１００２に送信する。
ステップＳＰ１０７８において、クライアント端末１００２の制御部１０２３は、ポータルサーバ１００３から送信されたＵＲＬ情報と、有効期限の延長された認証セッションＩＤ情報等とをネットワークインタフェース１０３３及び通信制御部１０３２を順次介して受信し、当該受信した認証セッションＩＤ情報等を認証処理部１０３７に送出すると共に、ＵＲＬ情報をラジオ放送表示制御部１０３９に送出する。
認証処理部１０３７は、制御部１０２３の制御のもと認証情報記憶部１０３８において、ポータルサーバ１００３から受信された有効期限の延長されている認証セッションＩＤ情報等をその有効期限が延長される前の認証セッションＩＤ情報等に上書きするようにして一時記憶することにより、当該認証情報記憶部１０３８に対しすでに一時記憶している認証セッションＩＤ情報等の内容を更新する。
またラジオ放送表示制御部１０３９は、制御部１０２３の制御のもとに、当該制御部１０２３から与えられたＵＲＬ情報を、記憶媒体１０２９に記憶しているコールサインに対応付けて記憶媒体１０２９等に一時記憶する。
そしてラジオ放送表示制御部１０３９は、制御部１０２３の制御のもとに、記憶媒体１０２９等に一時記憶したＵＲＬ情報に従って、ナウオンエア情報を取得要求するナウオンエア情報要求信号を、すでにラジオ放送情報配信サーバ１００６から受信され認証情報記憶部１０３８に対し一時記憶されているサービスセッションＩＤ情報等と共に通信制御部１０３２及びネットワークインタフェース１０３３を順次介してラジオ放送情報配信サーバ１００６に送信する。
ここでかかるラジオ放送情報配信サービス提供処理手順では、ステップＳＰ１０７８においてクライアント端末１００２からナウオンエア情報要求信号及びサービスセッションＩＤ情報等をラジオ放送情報配信サーバ１００６に送信する処理が、図３１について上述したステップＳＰ１０１０の処理に対応している。
従ってこのラジオ放送情報配信サービス提供処理手順では、ステップＳＰ１０７８の処理に引き続き、クライアント端末１００２及びラジオ放送情報配信サーバ１００６並びにポータルサーバ１００３において、図３１について上述したステップＳＰ１０１１乃至ステップＳＰ１０１３及びステップＳＰ１０１８乃至ステップＳＰ１０２２と同様のユーザ認証処理を順次実行した後、続くステップＳＰ１０７９に移る。
ステップＳＰ１０７９において、クライアント端末１００２のラジオ放送表示制御部１０３９は、制御部１０２３の制御のもとに再び、記憶媒体１０２９等に一時記憶していたＵＲＬ情報に従ってナウオンエア情報要求信号を、すでにラジオ放送情報配信サーバ１００６から受信して認証情報記憶部１０３８に対し一時記憶されているサービスセッションＩＤ情報等と共に通信制御部１０３２及びネットワークインタフェース１０３３を順次介してラジオ放送情報配信サーバ１００６に送信する。
ステップＳＰ１０８０において、ラジオ放送情報配信サーバ１００６の制御部１１１０は、クライアント端末１００２から送信されたナウオンエア情報要求信号と、サービスセッションＩＤ情報等とをネットワークインタフェース１１１３及び通信制御部１１１２を順次介して受信し、当該受信した認証セッションＩＤ情報等を認証処理部１１１５に送出する。
これにより認証処理部１１１５は、制御部１１１０の制御のもと、クライアント端末１００２から受信されたサービスセッションＩＤ情報等と、認証情報記憶部１１２０に対しすでに一時記憶しているサービスセッションＩＤ情報等とを比較するようにしてユーザ認証処理を実行する。
その結果、認証処理部１１１５は、クライアント端末１００２を利用するユーザを正規ユーザであると認証すると、当該クライアント端末１００２からのナウオンエア情報の取得要求が正当な要求であると判断する。
そして制御部１１１０は、認証処理部１１１５により、クライアント端末１００２を利用するユーザが正規ユーザであると認証されると、当該認証処理部１１１５により、そのクライアント端末１００２に対し発行していたサービスセッションＩＤ情報等の有効期限を延長させて、次のステップＳＰ１０８１に移る。
ステップＳＰ１０８１において、制御部１１１０は、ナウオンエア情報記憶部１１１９からナウオンエア情報を読み出し、当該読み出したナウオンエア情報を、認証処理部１１１５により有効期限の延長されたサービスセッションＩＤ情報等と共に通信制御部１１１２及びネットワークインタフェース１１１３を順次介してクライアント端末１００２に送信する。
ステップＳＰ１０８２において、クライアント端末１００２の制御部１０２３は、ラジオ放送情報配信サーバ１００６から送信されたナウオンエア情報と、有効期限の延長されたサービスセッションＩＤ情報等とをネットワークインタフェース１０３３及び通信制御部１０３２を順次介して受信し、当該受信したサービスセッションＩＤ情報等を認証処理部１０３７に送出すると共に、ナウオンエア情報をラジオ放送表示制御部１０３９に送出する。
これにより認証処理部１０３７は、制御部１０２３の制御のもと認証情報記憶部１０３８において、ラジオ放送情報配信サーバ１００６から受信された有効期限の延長されているサービスセッションＩＤ情報等をその有効期限が延長される前のサービスセッションＩＤ情報等に上書きするようにして一時記憶することにより、当該認証情報記憶部１０３８に対しすでに一時記憶しているサービスセッションＩＤ情報等の内容を更新する。
またラジオ放送表示制御部１０３９は、制御部１０２３から与えられたナウオンエア情報を表示制御部１０２４を介して表示部１０２５に送出することにより、当該表示部１０２５に対し、現在受信中のラジオ放送のラジオ番組に関するナウオンエア情報を表示させる。
そしてかかるラジオ放送情報配信サービス提供処理手順では、この後、クライアント端末１００２がステップＳＰ１０７９におけるナウオンエア情報の取得要求を定期的に繰り返し実行すると共に、ラジオ放送情報配信サーバ１００６がクライアント端末１００２からその取得要求を受けてステップＳＰ１０８０及びステップＳＰ１０８１の処理を順次実行する。
これによりクライアント端末１００２では、現在受信中のラジオ番組の番組名、番組放送開始時刻、番組放送終了時刻、そのラジオ番組内で現在流れている楽曲のタイトル、アーティスト名、楽曲放送開始時刻等をナウオンエア情報として時々刻々と更新しながらクライアント端末１００２の表示部１０２５に表示することができる。
ところで第１の実施の形態として説明したプログラムモジュールにおいてＨＴＴＰメッセージプログラム１１１及びコミュニケータプログラム１１２は、図２４について上述したクライアント端末１００２の通信制御部１０３２と同様の機能を実現可能なプログラムモジュールである。
またコンテンツ再生モジュール１１３は、図２４について上述したクライアント端末１００２のエンコーダ／デコーダ部１０３４と同様の機能を実現可能なプログラムモジュールである。
さらに著作権保護管理モジュール１１４は、図２４について上述したクライアント端末１００２の著作権管理部１０３５と同様の機能を実現可能なプログラムモジュールである。
さらにインターネットラジオ選局再生モジュール１１８は、図２４について上述したクライアント端末１００２の制御部１０２３及び音声制御部１０２６と同様の機能を実現可能なプログラムモジュールである。
さらに楽曲購入再生モジュール１１９は、図２４について上述したクライアント端末１００２の制御部１０２３及び音声制御部１０２６と同様の機能を実現可能なプログラムモジュールである。
さらにＸＭＬブラウザ１５１は、図２４について上述したクライアント端末１００２の入力処理部１０２１及びページ情報生成部１０３６と同様の機能を実現可能なプログラムモジュールである。
さらにハードディスクコンテンツコントローラ１１７及びデータベースアクセスモジュール１１５並びにコンテンツデータアクセスモジュール１１６は、図２４について上述したクライアント端末１００２の制御部１０２３と同様の機能を実現可能なプログラムモジュールである。
さらにライブラリ１３０の認証ライブラリ１３１は、図２４について上述したクライアント端末１００２の認証処理部１０３７及び認証情報記憶部１０３８と同様の機能を実現可能なプログラムモジュールである。
さらにライブラリ１３０のクリップライブラリ１３２は、図２４について上述したクライアント端末１００２の制御部１０２３と同様の機能を実現可能なプログラムモジュールである。
さらに関連情報表示モジュール１２０は、図２４について上述したクライアント端末１００２のラジオ放送表示制御部１０３９と同様の機能を実現可能なプログラムモジュールである。
さらにチューナ選局再生／録音モジュール１２１は、図２４について上述したクライアント端末１００２の制御部１０２３及び音声制御部１０２６並びにチューナ部１０３１と同様の機能を実現可能なプログラムモジュールである。
さらにオーディオユーザインタフェース１５２は、図２４について上述したクライアント端末１００２の入力処理部１０２１及び制御部１０２３並びに表示制御部１０２４と同様の機能を実現可能なプログラムモジュールである。
さらにＣＤ再生モジュール１４１は、図２４について上述したクライアント端末１００２の音声制御部１０２６及び外部記録媒体記録再生部１０２８と同様の機能を実現可能なプログラムモジュールである。
さらにＨＤＤ再生モジュール１４２は、図２４について上述したクライアント端末１００２の制御部１０２３及び音声制御部１０２６と同様の機能を実現可能なプログラムモジュールである。
すなわち、端末装置１０（端末装置１０Ｘ）でも、ＣＰＵ１１がこれらプログラムモジュールを使って、クライアント端末１００２と同様の処理を実行することができる。
なお上述の実施の形態においては、クライアント端末１００２が受信可能な放送としてラジオ局から放送されるラジオ放送を適用したが、これに限らず、クライアント端末１００２がインターネットラジオ放送や衛星ラジオ放送を受信して、その関連情報及びラジオ放送情報を取得するようにしたり、或いはテレビジョン放送局から放送されるテレビジョン放送を受信し、そのテレビジョン放送のテレビジョン番組に関する各種放送情報等をネットワークＮＴ１０００上のサーバから取得するようにしてもよい。
また上述の実施の形態においては、ハードウェア回路ブロック、機能回路ブロック及びプログラムモジュールをクライアント端末１００２に実装した場合について述べたが、本発明はこれに限らず、クライアント端末１００２の各プログラムモジュールを携帯電話機やパーソナルコンピュータ等の種々の情報処理装置に実装するようにしてもよく、これにより当該情報処理装置に対しクライアント端末１００２と同様の処理を実行させることができる。
【産業上の利用可能性】  本発明は、例えば、放送中のコンテンツの関連情報を定期的に受信する情報処理装置等に利用することができる。
【図１】
2005006230.tif 000003
【図２】
2005006230.tif 000004
【図３】
2005006230.tif 000005
【図４】
2005006230.tif 000006
【図５】
2005006230.tif 000007
【図６】
2005006230.tif 000008
【図７】
2005006230.tif 000009
【図８】
2005006230.tif 000010
【図９】
2005006230.tif 000011
【図１０】
2005006230.tif 000012
【図１１】
2005006230.tif 000013
【図１２】
2005006230.tif 000014
【図１３】
2005006230.tif 000015
【図１４】
2005006230.tif 000016
【図１５】
2005006230.tif 000017
【図１６】
2005006230.tif 000018
【図１７】
2005006230.tif 000019
【図１８】
2005006230.tif 000020
【図１９】
2005006230.tif 000021
【図２０】
2005006230.tif 000022
【図２１】
2005006230.tif 000023
【図２２】
2005006230.tif 000024
【図２３】
2005006230.tif 000025
【図２４】
2005006230.tif 000026
【図２５】
2005006230.tif 000027
【図２６】
2005006230.tif 000028
【図２７】
2005006230.tif 000029
【図２８】
2005006230.tif 000030
【図２９】
2005006230.tif 000031
【図３０】
2005006230.tif 000032
【図３１】
2005006230.tif 000033
【図３２】
2005006230.tif 000034
【図３３】
2005006230.tif 000035
【図３４】
2005006230.tif 000036
【図３５】
2005006230.tif 000037
【国際調査報告】
2005006230.tif 000038
2005006230.tif 000039
2005006230.tif 000040
2005006230.tif 000041